(57)【特許請求の範囲】
【請求項１】
少なくとも一つの居室を含む居室エリアの複数を、空気調和機によって空調するための建築物の空調方法であって、
前記各居室の目標温度を設定するステップと、
前記居室の温度を検出するステップと、
前記各居室エリアに、各居室エリアに設けられたファンによって、前記空気調和機で暖められた暖空気を供給する暖房ステップとを含む暖房モードを実行し、
前記居室エリアの少なくとも一つは、複数の前記居室を含む第１居室エリアを含み、
前記暖房ステップは、前記居室エリア毎に、前記居室の温度から前記目標温度を差し引いた値に基づいて、前記ファンの風量を調節するファン風量調節ステップと、
前記第１居室エリアに供給された前記暖空気の各居室への供給量を、前記値に基づいて個別に調節する居室供給量調節ステップとを含み、
前記ファン風量調節ステップは、前記居室エリア毎に、前記値の最大値が、予め定められた第１暖房閾値よりも小である場合、前記ファンの風量を最も大きい第１風量に設定し、
前記値の最小値が、前記第１暖房閾値以上である場合、前記ファンの風量を前記第１風量よりも小さい風量に設定することを特徴とする建築物の空調方法。
【請求項２】
前記暖房ステップは、前記値に基づいて、前記空気調和機の設定温度を調節する空調温度調節ステップを含み、
前記空調温度調節ステップは、前記値の最小値が小さいほど、前記設定温度を高く調節する請求項１記載の建築物の空調方法。
【請求項３】
前記暖房ステップは、前記各居室エリアに設けられた前記ファンの合計風量に基づいて、前記空気調和機の設定風量を調節するステップを含み、
前記合計風量が大きいほど、前記設定風量を大きくする請求項１又は２記載の建築物の空調方法。
【請求項４】
少なくとも一つの居室を含む居室エリアの複数を、空気調和機によって空調するための建築物の空調方法であって、
前記各居室の目標温度を設定するステップと、
前記居室の温度を検出するステップと、
前記各居室エリアに、各居室エリアに設けられたファンによって、前記空気調和機で冷却された冷空気を供給する冷房ステップとを含む冷房モードを実行し、
前記居室エリアの少なくとも一つは、複数の前記居室を含む第１居室エリアを含み、
前記冷房ステップは、前記居室エリア毎に、前記居室の温度から前記目標温度を差し引いた値に基づいて、前記ファンの風量を調節するファン風量調節ステップと、
前記第１居室エリアに供給された前記冷空気の各居室への供給量を、前記値に基づいて個別に調節する居室供給量調節ステップとを含み、
前記ファン風量調節ステップは、前記居室エリア毎に、前記値の最小値が、予め定められた第１冷房閾値よりも大である場合、前記ファンの風量を最も大きい第１風量に設定し、
前記値の最大値が、前記第１冷房閾値以下である場合、前記ファンの風量を前記第１風量よりも小さい風量に設定することを特徴とする建築物の空調方法。
【請求項５】
前記冷房ステップは、前記値に基づいて、前記空気調和機の設定温度を調節する空調温度調節ステップを含み、
前記空調温度調節ステップは、前記値の最大値が大きいほど、前記設定温度を低く調節する請求項４記載の建築物の空調方法。
【請求項６】
前記冷房ステップは、前記各居室エリアに設けられた前記ファンの合計風量に基づいて、前記空気調和機の設定風量を調節するステップを含み、
前記合計風量が大きいほど、前記設定風量を大きくする請求項４又は５記載の建築物の空調方法。
【請求項７】
少なくとも一つの居室を含む居室エリアの複数を空調するための建築物の空調装置であって、
暖空気を生成する空気調和機、
前記各居室エリアに設けられ、かつ、前記暖空気を前記各居室に供給するファン、
前記居室の温度を検出する居室温度検知手段、並びに、
前記空気調和機、前記ファン、及び、前記居室温度検知手段を制御する制御手段を含み、
前記居室エリアの少なくとも一つは、複数の前記居室を含む第１居室エリアを有し、
前記制御手段は、前記各居室の目標温度を設定する目標温度設定部と、
前記居室エリア毎に、前記居室の温度から前記目標温度を差し引いた値に基づいて、前記ファンの風量を調節するファン風量調節部と、
前記第１居室エリアに供給された前記暖空気の各居室への供給量を、前記値に基づいて個別に調節する居室供給量調節部とを含み、
前記ファン風量調節部は、前記居室エリア毎に、前記値の最大値が、予め定められた第１暖房閾値よりも小である場合、前記ファンの風量を最も大きい第１風量に設定し、
前記値の最小値が、前記第１暖房閾値以上である場合、前記ファンの風量を前記第１風量よりも小さい風量に設定することを特徴とする建築物の空調装置。
【請求項８】
前記制御手段は、前記値に基づいて、前記空気調和機の設定温度を調節する空調温度調節部を含み、
前記空調温度調節部は、前記値の最小値が小さいほど、前記設定温度を高く調節する請求項７記載の建築物の空調装置。
【請求項９】
前記制御手段は、前記各居室エリアに設けられた前記ファンの合計風量に基づいて、前記空気調和機の設定風量を調節する空調風量調節部を含み、
前記空調風量調節部は、前記合計風量が大きいほど、前記設定風量を大きくする請求項７又は８記載の建築物の空調装置。
【請求項１０】
少なくとも一つの居室を含む居室エリアの複数を空調するための建築物の空調装置であって、
冷空気を生成する空気調和機、
前記各居室エリアに設けられ、かつ、前記冷空気を前記各居室に供給するファン、
前記居室の温度を検出する居室温度検知手段、並びに、
前記空気調和機、前記ファン、及び、前記居室温度検知手段を制御する制御手段を含み、
前記居室エリアの少なくとも一つは、複数の前記居室を含む第１居室エリアを有し、
前記制御手段は、前記各居室の目標温度を設定する目標温度設定部と、
前記居室エリア毎に、前記居室の温度から前記目標温度を差し引いた値に基づいて、前記ファンの風量を調節するファン風量調節部と、
前記第１居室エリアに供給された前記冷空気の各居室への供給量を、前記値に基づいて個別に調節する居室供給量調節部とを含み、
前記ファン風量調節部は、前記居室エリア毎に、前記値の最小値が、予め定められた第１冷房閾値よりも大である場合、前記ファンの風量を最も大きい第１風量に設定し、
前記値の最大値が、前記第１冷房閾値以下である場合、前記ファンの風量を前記第１風量よりも小さい風量に設定することを特徴とする建築物の空調装置。
【請求項１１】
前記制御手段は、前記値に基づいて、前記空気調和機の設定温度を調節する空調温度調節部を含み、
前記空調温度調節部は、前記値の最大値が大きいほど、前記設定温度を低く調節する請求項１０記載の建築物の空調装置。
【請求項１２】
前記制御手段は、前記各居室エリアに設けられた前記ファンの合計風量に基づいて、前記空気調和機の設定風量を調節する空調風量調節部を含み、
前記空調風量調節部は、前記合計風量が大きいほど、前記設定風量を大きくする請求項１０又は１１記載の建築物の空調装置。
【発明の詳細な説明】
【技術分野】
【０００１】
本発明は、少なくとも一つの居室を含む複数の居室エリアを、空気調和機によって空調するための方法及び空調装置に関する。
【背景技術】
【０００２】
従来、床下空間に設置された、例えば１台の空気調和機により、複数の居室を空調するための空調方法が提案されている（例えば、下記特許文献１参照）。空気調和機によって空調された空気は、ファン及びダクトを介して各居室へ供給される。これにより、複数の居室が同時に空調されうる。
【先行技術文献】
【特許文献】
【０００３】
【特許文献１】特許第５５３０２８２号公報
【発明の概要】
【発明が解決しようとする課題】
【０００４】
例えば、建築物の北側に配置される居室は、建築物の南側に配置される居室に比べて、温度が低くなりやすい。ところが、従来のファンは、全ての居室に対して同一の風量を供給してため、各居室を効率よく空調することが難しいという問題があった。
【０００５】
本発明は、以上のような実状に鑑み案出されたもので、各居室を効率よく空調しうる建築物の空調方法及び空調装置を提供することを主たる目的としている。
【課題を解決するための手段】
【０００６】
本願の第１発明は、少なくとも一つの居室を含む居室エリアの複数を、空気調和機によって空調するための建築物の空調方法であって、前記各居室の目標温度を設定するステップと、前記居室の温度を検出するステップと、前記各居室エリアに、各居室エリアに設けられたファンによって、前記空気調和機で暖められた暖空気を供給する暖房ステップとを含む暖房モードを実行し、前記居室エリアの少なくとも一つは、複数の前記居室を含む第１居室エリアを含み、前記暖房ステップは、前記居室エリア毎に、前記居室の温度から前記目標温度を差し引いた値に基づいて、前記ファンの風量を調節するファン風量調節ステップと、前記第１居室エリアに供給された前記暖空気の各居室への供給量を、前記値に基づいて個別に調節する居室供給量調節ステップとを含み、前記ファン風量調節ステップは、前記居室エリア毎に、前記値の最大値が、予め定められた第１暖房閾値よりも小である場合、前記ファンの風量を最も大きい第１風量に設定し、前記値の最小値が、前記第１暖房閾値以上である場合、前記ファンの風量を前記第１風量よりも小さい風量に設定することを特徴とする。
【０００８】
第１発明に係る前記建築物の空調方法において、前記暖房ステップは、前記値に基づいて、前記空気調和機の設定温度を調節する空調温度調節ステップを含み、前記空調温度調節ステップは、前記値の最小値が小さいほど、前記設定温度を高く調節するのが望ましい。
【０００９】
第１発明に係る前記建築物の空調方法において、前記暖房ステップは、前記各居室エリアに設けられた前記ファンの合計風量に基づいて、前記空気調和機の設定風量を調節するステップを含み、前記合計風量が大きいほど、前記設定風量を大きくするのが望ましい。
【００１０】
本願の第２発明は、少なくとも一つの居室を含む居室エリアの複数を、空気調和機によって空調するための建築物の空調方法であって、前記各居室の目標温度を設定するステップと、前記居室の温度を検出するステップと、前記各居室エリアに、各居室エリアに設けられたファンによって、前記空気調和機で冷却された冷空気を供給する冷房ステップとを含む冷房モードを実行し、前記居室エリアの少なくとも一つは、複数の前記居室を含む第１居室エリアを含み、前記冷房ステップは、前記居室エリア毎に、前記居室の温度から前記目標温度を差し引いた値に基づいて、前記ファンの風量を調節するファン風量調節ステップと、前記第１居室エリアに供給された前記冷空気の各居室への供給量を、前記値に基づいて個別に調節する居室供給量調節ステップとを含み、前記ファン風量調節ステップは、前記居室エリア毎に、前記値の最小値が、予め定められた第１冷房閾値よりも大である場合、前記ファンの風量を最も大きい第１風量に設定し、前記値の最大値が、前記第１冷房閾値以下である場合、前記ファンの風量を前記第１風量よりも小さい風量に設定することを特徴とする。
【００１２】
第２発明に係る前記建築物の空調方法において、前記冷房ステップは、前記値に基づいて、前記空気調和機の設定温度を調節する空調温度調節ステップを含み、前記空調温度調節ステップは、前記値の最大値が大きいほど、前記設定温度を低く調節するのが望ましい。
【００１３】
第２発明に係る前記建築物の空調方法において、前記冷房ステップは、前記各居室エリアに設けられた前記ファンの合計風量に基づいて、前記空気調和機の設定風量を調節するステップを含み、前記合計風量が大きいほど、前記設定風量を大きくするのが望ましい。
【００１４】
本願の第３発明は、少なくとも一つの居室を含む居室エリアの複数を空調するための建築物の空調装置であって、暖空気を生成する空気調和機、前記各居室エリアに設けられ、かつ、前記暖空気を前記各居室に供給するファン、前記居室の温度を検出する居室温度検知手段、並びに、前記空気調和機、前記ファン、及び、前記居室温度検知手段を制御する制御手段を含み、前記居室エリアの少なくとも一つは、複数の前記居室を含む第１居室エリアを有し、前記制御手段は、前記各居室の目標温度を設定する目標温度設定部と、前記居室エリア毎に、前記居室の温度から前記目標温度を差し引いた値に基づいて、前記ファンの風量を調節するファン風量調節部と、前記第１居室エリアに供給された前記暖空気の各居室への供給量を、前記値に基づいて個別に調節する居室供給量調節部とを含み、前記ファン風量調節部は、前記居室エリア毎に、前記値の最大値が、予め定められた第１暖房閾値よりも小である場合、前記ファンの風量を最も大きい第１風量に設定し、前記値の最小値が、前記第１暖房閾値以上である場合、前記ファンの風量を前記第１風量よりも小さい風量に設定することを特徴とする。
【００１６】
第３発明に係る前記建築物の空調装置において、前記制御手段は、前記値に基づいて、前記空気調和機の設定温度を調節する空調温度調節部を含み、前記空調温度調節部は、前記値の最小値が小さいほど、前記設定温度を高く調節するのが望ましい。
【００１７】
第３発明に係る前記建築物の空調装置において、前記制御手段は、前記各居室エリアに設けられた前記ファンの合計風量に基づいて、前記空気調和機の設定風量を調節する空調風量調節部を含み、前記空調風量調節部は、前記合計風量が大きいほど、前記設定風量を大きくするのが望ましい。
【００１８】
本願の第４発明は、少なくとも一つの居室を含む居室エリアの複数を空調するための建築物の空調装置であって、冷空気を生成する空気調和機、前記各居室エリアに設けられ、かつ、前記冷空気を前記各居室に供給するファン、前記居室の温度を検出する居室温度検知手段、並びに、前記空気調和機、前記ファン、及び、前記居室温度検知手段を制御する制御手段を含み、前記居室エリアの少なくとも一つは、複数の前記居室を含む第１居室エリアを有し、前記制御手段は、前記各居室の目標温度を設定する目標温度設定部と、前記居室エリア毎に、前記居室の温度から前記目標温度を差し引いた値に基づいて、前記ファンの風量を調節するファン風量調節部と、前記第１居室エリアに供給された前記冷空気の各居室への供給量を、前記値に基づいて個別に調節する居室供給量調節部とを含み、前記ファン風量調節部は、前記居室エリア毎に、前記値の最小値が、予め定められた第１冷房閾値よりも大である場合、前記ファンの風量を最も大きい第１風量に設定し、前記値の最大値が、前記第１冷房閾値以下である場合、前記ファンの風量を前記第１風量よりも小さい風量に設定することを特徴とする。
【００２０】
第４発明に係る前記建築物の空調装置において、前記制御手段は、前記値に基づいて、前記空気調和機の設定温度を調節する空調温度調節部を含み、前記空調温度調節部は、前記値の最大値が大きいほど、前記設定温度を低く調節するのが望ましい。
【００２１】
第４発明に係る前記建築物の空調装置において、前記制御手段は、前記各居室エリアに設けられた前記ファンの合計風量に基づいて、前記空気調和機の設定風量を調節する空調風量調節部を含み、前記空調風量調節部は、前記合計風量が大きいほど、前記設定風量を大きくするのが望ましい。
【発明の効果】
【００２２】
本願の第１発明の建築物の空調方法は、少なくとも一つの居室を含む複数の居室エリアに、各居室エリアに設けられたファンによって、空気調和機で暖められた暖空気を供給する暖房ステップを含む暖房モードが実行される。暖房ステップは、居室エリア毎に、居室の温度から目標温度を差し引いた値に基づいて、ファンの風量を調節するファン風量調節ステップを含んでいる。
【００２３】
ファン風量調節ステップは、居室エリア毎に、前記値の最大値が、予め定められた第１暖房閾値よりも小である場合、ファンの風量を最も大きい第１風量に設定している。前記値の最大値が第１暖房閾値よりも小である場合、居室エリアに属する居室の温度は、第１暖房閾値に対して不利側に偏って分布している。第１発明では、ファンの風量が最も大きい第１風量に設定されるため、暖空気が積極的に供給され、各居室が効率よく暖房されうる。
【００２４】
ファン風量調節ステップは、居室エリア毎に、前記値の最小値が、第１暖房閾値以上である場合、ファンの風量を第１風量よりも小さい風量に設定している。前記値の最小値が、第１暖房閾値以上である場合、居室エリアに属する居室の温度は、第１暖房閾値に対して有利側に偏って分布している。第１発明では、ファンの風量が第１風量よりも小さい風量に設定されるため、各居室に暖空気が必要以上に供給されるのを防ぐことができる。従って、第１発明では、各居室が効率よく暖房されうる。
【００２５】
前記値の最大値が第１暖房閾値よりも小である場合と、前記値の最小値が第１暖房閾値以上である場合とでは、居室エリアに属する居室の温度が重複していない。これにより、第１発明では、例えば、前記値の最大値が第１暖房閾値よりも小であると判断された後に、前記値の最小値が第１暖房閾値以上であると短時間で判断されるのを防げるため、ファンの風量として、第１風量と第１風量よりも小さい風量とが、短時間で繰り返し設定されるのを防ぐことができる。
【００２６】
本願の第２発明の建築物の空調方法は、少なくとも一つの居室を含む複数の居室エリアに、各居室エリアに設けられたファンによって、空気調和機で冷却された冷空気を供給する冷房ステップを含む冷房モードが実行される。冷房ステップは、居室エリア毎に、居室の温度から目標温度を差し引いた値に基づいて、ファンの風量を調節するファン風量調節ステップを含んでいる。
【００２７】
ファン風量調節ステップは、居室エリア毎に、前記値の最小値が、予め定められた第１冷房閾値よりも大である場合、ファンの風量を最も大きい第１風量に設定している。前記値の最小値が、第１冷房閾値よりも大である場合、居室エリアに属する居室の温度は、第１冷房閾値に対して不利側に偏って分布している。第２発明では、ファンの風量が最も大きい第１風量に設定されるため、冷空気が積極的に供給され、各居室が効率よく冷房されうる。
【００２８】
ファン風量調節ステップは、居室エリア毎に、前記値の最大値が、第１冷房閾値以下である場合、ファンの風量を第１風量よりも小さい風量に設定している。前記値の最大値が、第１冷房閾値以下である場合、居室エリアに属する居室の温度は、第１冷房閾値に対して有利側に偏って分布している。第２発明では、ファンの風量が第１風量よりも小さい風量に設定されるため、各居室に冷空気が必要以上に供給されるのを防ぐことができる。従って、第２発明では、各居室が効率よく冷房されうる。
【００２９】
前記値の最小値が第１冷房閾値よりも大である場合と、前記値の最大値が第１冷房閾値以下である場合とでは、居室エリアに属する居室の温度が重複していない。これにより、第２発明では、例えば、前記値の最小値が第１冷房閾値よりも大であると判断された後に、前記値の最小値が第１冷房閾値以下であると短時間で判断されるのを防げるため、ファンの風量として、第１風量と第１風量より小さい風量とが、短時間で繰り返し設定されるのを防ぐことができる。
【００３０】
本願の第３発明の建築物の空調装置は、暖空気を生成する空気調和機、各居室エリアに設けられ、かつ、暖空気を前記各居室に供給するファン、居室の温度を検出する居室温度検知手段、並びに、空気調和機、ファン、及び、居室温度検知手段を制御する制御手段を含んでいる。制御手段は、各居室の目標温度を設定する目標温度設定部と、居室エリア毎に、居室の温度から目標温度を差し引いた値に基づいて、ファンの風量を調節するファン風量調節部とを含んでいる。
【００３１】
ファン風量調節部は、居室エリア毎に、前記値の最大値が、予め定められた第１暖房閾値よりも小である場合、ファンの風量を最も大きい第１風量に設定している。前記値の最大値が第１暖房閾値よりも小である場合、居室エリアに属する居室の温度は、第１暖房閾値に対して不利側に偏って分布している。第３発明では、ファンの風量が最も大きい第１風量に設定されるため、暖空気が積極的に供給され、各居室が効率よく暖房されうる。
【００３２】
ファン風量調節部は、居室エリア毎に、前記値の最小値が、第１暖房閾値以上である場合、ファンの風量を第１風量よりも小さい風量に設定している。前記値の最小値が、第１暖房閾値以上である場合、居室エリアに属する居室の温度は、第１暖房閾値に対して有利側に偏って分布している。第３発明では、ファンの風量が第１風量よりも小さい風量に設定されるため、各居室に暖空気が必要以上に供給されるのを防ぐことができる。従って、第３発明では、各居室が効率よく暖房されうる。
【００３３】
前記値の最大値が第１暖房閾値よりも小である場合と、前記値の最小値が第１暖房閾値以上である場合とでは、居室エリアに属する居室の温度が重複していない。これにより、第３発明では、例えば、前記値の最大値が第１暖房閾値よりも小であると判断された後に、前記値の最小値が第１暖房閾値以上であると短時間で判断されるのを防げるため、ファンの風量として、第１風量と第１風量よりも小さい風量とが、短時間で繰り返し設定されるのを防ぐことができる。
【００３４】
本願の第４発明の建築物の空調装置は、冷空気を生成する空気調和機、各居室エリアに設けられ、かつ、冷空気を前記各居室に供給するファン、居室の温度を検出する居室温度検知手段、並びに、空気調和機、ファン、及び、居室温度検知手段を制御する制御手段を含んでいる。制御手段は、各居室の目標温度を設定する目標温度設定部と、居室エリア毎に、居室の温度から目標温度を差し引いた値に基づいて、ファンの風量を調節するファン風量調節部とを含んでいる。
【００３５】
ファン風量調節部は、居室エリア毎に、前記値の最小値が、予め定められた第１冷房閾値よりも大である場合、ファンの風量を最も大きい第１風量に設定している。前記値の最小値が、第１冷房閾値よりも大である場合、居室エリアに属する居室の温度は、第１冷房閾値に対して不利側に偏って分布している。第４発明では、ファンの風量が最も大きい第１風量に設定されるため、冷空気が積極的に供給され、各居室が効率よく冷房されうる。
【００３６】
ファン風量調節部は、居室エリア毎に、前記値の最大値が、第１冷房閾値以下である場合、ファンの風量を第１風量よりも小さい風量に設定している。前記値の最大値が、第１冷房閾値以下である場合、居室エリアに属する居室の温度は、第１冷房閾値に対して有利側に偏って分布している。第４発明では、ファンの風量が第１風量よりも小さい風量に設定されるため、各居室に冷空気が必要以上に供給されるのを防ぐことができる。従って、第４発明では、各居室が効率よく冷房されうる。
【００３７】
前記値の最小値が第１冷房閾値よりも大である場合と、前記値の最大値が第１冷房閾値以下である場合とでは、居室エリアに属する居室の温度が重複していない。これにより、第４発明では、例えば、前記値の最小値が第１冷房閾値よりも大であると判断された後に、前記値の最小値が第１冷房閾値以下であると短時間で判断されるのを防げるため、ファンの風量として、第１風量と第１風量より小さい風量とが、短時間で繰り返し設定されるのを防ぐことができる。
【図面の簡単な説明】
【００３８】
【図１】本実施形態の建築物の一例を示す断面図である。
【図２】チャンバーボックスの拡大図である。
【図３】制御手段の概念図である。
【図４】記憶部の一例を示す概念図である。
【図５】本実施形態の空調方法の処理手順の一例を示すフローチャートである。
【図６】本実施形態の冬季空調ステップの処理手順の一例を示すフローチャートである。
【図７】暖房モードの処理手順の一例を示すフローチャートである。
【図８】空調停止ステップの処理手順の一例を示すフローチャートである。
【図９】暖房ステップの処理手順の一例を示すフローチャートである。
【図１０】本実施形態の積極運転ステップの処理手順の一例を示すフローチャートである。
【図１１】１階居室エリア調節ステップの処理手順を示すフローチャートである。
【図１２】１階居室エリア調節ステップの処理手順を示すフローチャートである。
【図１３】第１居室供給量調節ステップの処理手順の一例を示すフローチャートである。
【図１４】第２居室供給量調節ステップの処理手順の一例を示すフローチャートである。
【図１５】第３居室供給量調節ステップの処理手順の一例を示すフローチャートである。
【図１６】第９居室供給量調節ステップの処理手順の一例を示すフローチャートである。
【図１７】第４居室供給量調節ステップの処理手順の一例を示すフローチャートである。
【図１８】第１暖房閾値を基準とする各居室の値の範囲を示す図である。
【図１９】２階居室エリア調節ステップの処理手順を示すフローチャートである。
【図２０】２階居室エリア調節ステップの処理手順を示すフローチャートである。
【図２１】効率運転ステップの処理手順の一例を示すフローチャートである。
【図２２】（ａ）は、ＣＯＰ（Coefficient of Performance ）、顕熱負荷（ｋＷ）及び暖房消費電力（ｋＷ）、並びに、暖房能力（ｋＷ）の関係を示すグラフ、（ｂ）は、ＣＯＰ（ Coefficient of Performance ）、顕熱負荷（ｋＷ）、潜熱負荷（ｋＷ）及び冷房消費電力（ｋＷ）、並びに、冷房能力（ｋＷ）の関係を示すグラフである。
【図２３】パッシブ暖房モードの処理手順の一例を示すフローチャートである。
【図２４】第１供給ステップの処理手順の一例を示すフローチャートである。
【図２５】本実施形態の夏季空調ステップの処理手順の一例を示すフローチャートである。
【図２６】冷房モードの処理手順の一例を示すフローチャートである。
【図２７】冷房ステップの処理手順の一例を示すフローチャートである。
【図２８】本実施形態の積極運転ステップの処理手順の一例を示すフローチャートである。
【図２９】１階居室エリア調節ステップの処理手順を示すフローチャートである。
【図３０】１階居室エリア調節ステップの処理手順を示すフローチャートである。
【図３１】第５居室供給量調節ステップの処理手順の一例を示すフローチャートである。
【図３２】第６居室供給量調節ステップの処理手順の一例を示すフローチャートである。
【図３３】第７居室供給量調節ステップの処理手順の一例を示すフローチャートである。
【図３４】第１０居室供給量調節ステップの処理手順の一例を示すフローチャートである。
【図３５】第８居室供給量調節ステップの処理手順の一例を示すフローチャートである。
【図３６】第１冷房閾値を基準とする各居室の値の範囲を示す図である。
【図３７】２階居室エリア調節ステップの処理手順を示すフローチャートである。
【図３８】２階居室エリア調節ステップの処理手順を示すフローチャートである。
【図３９】本実施形態の効率運転ステップの処理手順の一例を示すフローチャートである。
【図４０】除湿運転ステップの処理手順の一例を示すフローチャートである。
【図４１】効率冷房運転ステップの処理手順の一例を示すフローチャートである。
【図４２】パッシブ冷房モードの処理手順の一例を示すフローチャートである。
【図４３】第２供給ステップの処理手順の一例を示すフローチャートである。
【発明を実施するための形態】
【００３９】
以下、本願の第１発明乃至第４発明の実施の一形態が図面に基づき説明される。
第１発明及び第２発明の建築物の空調方法（以下、単に「空調方法」ということがある）は、少なくとも一つの居室を含む居室エリアの複数を、空気調和機によって空調するための方法である。図１には、本実施形態の建築物Ｂの断面図が概念的に示されている。本実施形態の建築物Ｂとしては、住宅Ｂｈが示されている。なお、空調効果を高めるために、住宅Ｂｈは、優れた断熱性能、遮光性能及び気密性能を具えた工業化住宅であるのが望ましい。
【００４０】
住宅Ｂｈは、床下空間３と、床上空間４とを具えている。床下空間３は、基礎５と地面６と床７とで囲まれた非居住空間である。床上空間４は、床下空間３の上方に設けられた空間である。本実施形態の床上空間４は、複数の居室４Ａ乃至４Ｄと、洗面室、トイレ等の非居室（図示省略）とに区分されている。
【００４１】
居室４Ａ乃至４Ｄは、複数の居室エリアＡに区分される。本実施形態の居室エリアＡは、１階の居室４Ａ、４Ｂを含む１階居室エリアＡ１と、２階の居室４Ｃ、４Ｄを含む２階居室エリアＡ２とを含んでいる。これらの居室エリアＡ１、Ａ２は、複数の居室を含む第１居室エリアＡｒとして設定される。
【００４２】
本実施形態の１階の居室４Ａ、４Ｂは、例えば、リビング等である。また、本実施形態の２階の居室４Ｃ、４Ｄは、例えば、寝室等である。このため、１階の居室４Ａ、４Ｂと、２階の居室４Ｃ、４Ｄとは、居住者が滞在する時刻がそれぞれ異なる。従って、１階居室エリアＡ１と、２階居室エリアＡ２とは、１日を通して室温に差が生じやすい。
【００４３】
本実施形態の空調方法は、第３発明又は第４発明の空調装置２が用いられる。空調装置２は、外気を床下空間３に導入するための基礎給気口８と、床下空間３に配されたチャンバーボックス９と、暖空気又は冷空気を生成する空気調和機１６と、チャンバーボックス９内の空気を各居室４Ａ乃至４Ｄに供給しうる換気手段１０とを含んでいる。なお、チャンバーボックス９内の空気は、非居室（図示省略）に直接供給されてもよい。さらに、本実施形態の空調装置２は、集熱装置２２を含むものが示されているが、この装置は、任意の要素である。また、本実施形態では、チャンバーボックス９の全体が床下空間３に配されているが、このような態様に限定されない。例えば、チャンバーボックス９の全体が、居室４Ａ乃至４Ｄ等の床上の任意の位置に配されてもよく、また、チャンバーボックス９の一部が、床下空間３から居室４Ａ乃至４Ｄに突出して配置されてもよい。
【００４４】
基礎給気口８は、基礎５の立ち上がり部に設けられた一つの開口である。この基礎給気口８を介して、床下空間３に外気が取り込まれる。本実施形態では、外気を積極的に導入するために、例えば、基礎給気口８の近傍に、基礎給気ファン１１が設けられている。基礎５は、発泡樹脂等の断熱材により、外気から断熱されていることが望ましい（図示省略）。
【００４５】
床下空間３に供給された外気は、床下空間３の地面６を介して、地冷熱と熱交換される。これにより、床下空間３に蓄えられた空気（以下、単に「床下空気」ということがある）１７は、夏期には外気よりも低く、冬期には外気よりも高い温度を持ち得る。床下空間３の地面６は、例えば、土間コンクリート等で仕上げられている。
【００４６】
図２には、チャンバーボックス９の一例が、拡大して示されている。なお、図１のチャンバーボックス９は、概念的に示されたものである。このため、図１のチャンバーボックス９と、図２に示されているチャンバーボックス９とは必ずしも一致していない。チャンバーボックス９は、各居室４Ａ乃至４Ｄ（図１に示す）に供給するための空気を蓄える空間として用いられる。図２に示されるように、チャンバーボックス９は、略箱状であり、少なくとも１台以上の空気調和機（エアコン）１６が収納されている。チャンバーボックス９は、第１空間９Ａと、第２空間９Ｂと、これらの間に設けられた仕切り板９Ｃとを含んでいる。
【００４７】
第１空間９Ａは、チャンバーボックス９の下部側に設けられている。第１空間９Ａを区画するチャンバーボックス９の壁面は、断熱材１２が配されるのが望ましい。また、第１空間９Ａには、床下空気１７を取り込むための第１導入口１３が設けられている。従って、第１空間９Ａは、第１導入口１３から床下空気（即ち、地冷熱と熱交換された外気）１７が導入されうる。本実施形態の第１導入口１３は、第１空間９Ａの上面側に設けられているが、その位置は任意に定められうる。また、本実施形態の第１導入口１３には、電気制御により開閉可能な開閉部３０が設けられている。
【００４８】
第１空間９Ａには、集熱装置２２で温められた外気を取り込むための第２導入口１９が設けられている。従って、第１空間９Ａは、集熱装置２２（図１に示す）で温められた外気が取り込まれうる。また、第２導入口１９には、開閉可能な開閉部２１が設けられている。
【００４９】
第１空間９Ａには、その中の空気を排出するための排気口１４が設けられている。排気口１４は、例えば、第１空間９Ａの側面に設けられている。排気口１４には、換気手段１０のダクト１０Ａの一端が接続されている。これらについては、後で詳述する。
【００５０】
第１空間９Ａには、空気調和機１６の排気部１６ｂが配置されている。これにより、第１空間９Ａには、空気調和機１６の運転により、空調された空気（暖空気又は冷空気）が導入される。また、第１空間９Ａには、地面６と熱交換した床下空気１７と、空気調和機１６によって空調された空気とが供給されることにより、第１空間９Ａ内で混合空気が作成されうる。なお、第１空間９Ａには、集熱装置２２で温められた外気が取り込まれても良い。
【００５１】
第２空間９Ｂは、チャンバーボックス９の上部側に設けられている。第２空間９Ｂを区画するチャンバーボックス９の壁面にも、断熱材１２が配されているのが望ましい。また、第２空間９Ｂには、空気調和機１６の吸気部１６ａと、床上空気導入口１８とが配置されている。床上空気導入口１８は、空気調和機１６の吸気部１６ａに、床上空間４の空気を供給するためのものである。
【００５２】
本実施形態の仕切り板９Ｃは、第１空間９Ａと第２空間９Ｂとの間で、空気が互いに混合しないように気密に配置されている。
【００５３】
本実施形態の空気調和機１６は、一般的な家庭用のセパレート型エアコンである。空気調和機１６の室外機（図示省略）は、例えば、建築物Ｂの外部に設置されている。
【００５４】
空気調和機１６は、空気を吸い込む吸気部１６ａと、内部で冷媒と熱交換された空気を排気する排気部１６ｂとを有している。この空気調和機１６の運転により、第１空間９Ａには、空調された空気（暖空気又は冷空気）が導入される。
【００５５】
空気調和機１６は、その設定温度が適宜設定されうる。また、空気調和機１６は、その設定風量が、複数段階で設定されうる。本実施形態の設定風量は、例えば、次のとおりである。なお、このような設定風量に限定されるわけではない。
第１空調風量（例えば、１１００m3／ｈ）
第２空調風量（例えば、９５０m3／ｈ）
第３空調風量（例えば、８００m3／ｈ）
第４空調風量（例えば、６５０m3／ｈ）
静音風量（例えば、５００m3／ｈ）
【００５６】
図１に示されるように、換気手段１０は、ダクト１０Ａと、ファン１０Ｂと、空気浄化装置１０Ｃとを含んでいる。空気浄化装置１０Ｃとしては、ダクト１０Ａ内の空気から花粉、微粒子状物質、塵埃等を除去するものであれば、種々の形式のものが採用されうる。
【００５７】
ダクト１０Ａは、居室エリアＡ（本実施形態では、１階居室エリアＡ１及び２階居室エリアＡ２）毎にそれぞれ独立して設けられている。本実施形態のダクト１０Ａは、１階居室エリアＡ１の居室４Ａ、４Ｂに接続される１階ダクト１０Ａａと、２階居室エリアＡ２の居室４Ｃ、４Ｄに接続される２階ダクト１０Ａｂとを含んでいる。
【００５８】
１階ダクト１０Ａａの一端は、チャンバーボックス９の排気口１４に接続されている。１階ダクト１０Ａａの他端は、１階居室エリアＡ１の居室４Ａ、４Ｂの各天井部分に、ダンパー２０ａ、２０ｂを介して接続されている。同様に、２階ダクト１０Ａｂの一端は、チャンバーボックス９の排気口１４に接続されている。２階ダクト１０Ａｂの他端は、２階居室エリアＡ２の居室４Ｃ、４Ｄの天井部分に、ダンパー２０ｃ、２０ｄを介してそれぞれ接続されている。
【００５９】
ダンパー２０（２０ａ乃至２０ｄ）は、床下空気１７又は混合空気の供給量を調節するためのものである。ダンパー２０の開度（開口面積）が大きいほど、床下空気１７又は混合空気の供給量が大きくなる。ダンパー２０の開度は、複数段階で調整されうる。本実施形態のダンパー２０の開度は、例えば、第１開度〜第５開度の５段階で調整されうる。なお、本実施形態において、各開度は、第１開度から第５開度に向かって漸増している。このようなダンパー２０により、居室４Ａ乃至４Ｄ毎に、床下空気１７又は混合空気の供給量が柔軟に調節されうる。
【００６０】
ファン１０Ｂは、居室エリアＡ（本実施形態では、１階居室エリアＡ１及び２階居室エリアＡ２）毎にそれぞれ独立して設けられている。ファン１０Ｂは、１階居室エリアＡ１用の１階ファン１０Ｂａと、２階居室エリアＡ２用の２階ファン１０Ｂｂとを含んでいる。
【００６１】
１階ファン１０Ｂａは、１階ダクト１０Ａａの一端から他端に向かう強制的な空気の流れを生成するファンによって構成されている。従って、１階ファン１０Ｂａが運転されることにより、チャンバーボックス９の第１空間９Ａ内の空気は、排気口１４から、１階居室エリアＡ１の各居室４Ａ、４Ｂへと送給される。
【００６２】
２階ファン１０Ｂｂは、２階ダクト１０Ａｂの一端から他端に向かう強制的な空気の流れを生成するファンによって構成されている。従って、２階ファン１０Ｂｂが運転されることにより、チャンバーボックス９の第１空間９Ａ内の空気は、排気口１４から、２階居室エリアＡ２の各居室４Ｃ、４Ｄへと送給される。
【００６３】
１階ファン１０Ｂａ及び２階ファン１０Ｂｂの風量は、複数段階でそれぞれ設定されうる。本実施形態の各ファン１０Ｂａ、１０Ｂｂの風量は、例えば、次の第１風量〜第４風量が設定されている。なお、第４風量は、建築物Ｂに必要な換気回数に基づいて設定される。なお、風量は、これらの第１風量〜第４風量に限定されるわけではない。
第１風量：５５０m3／ｈ
第２風量：２５０m3／ｈ
第３風量：４００m3／ｈ
第４風量：１００m3／ｈ
【００６４】
図１及び図２に示されるように、本実施形態の空調装置２は、床下温度検知手段２３、外気温度検知手段２４、居室温度検知手段２５、居室湿度検知手段２９、吸気温度検知手段２７、排気温度検知手段２８、及び、制御手段２６がさらに含まれている。図３は、本実施形態の制御手段２６の概念図である。
【００６５】
図１に示されるように、床下温度検知手段２３は、床下空間３内に配置された温度センサーによって構成されている。外気温度検知手段２４は、屋外に配置された温度センサーによって構成されている。居室温度検知手段２５（２５ａ〜２５ｄ）は、各居室４Ａ乃至４Ｄ内にそれぞれ配置された温度センサーによって構成されている。居室湿度検知手段２９（２９ａ〜２９ｄ）は、各居室４Ａ乃至４Ｄ内にそれぞれ配置された湿度センサーによって構成されている。図２に示されるように、吸気温度検知手段２７は、空気調和機１６の吸気部１６ａ付近に配置された温度センサーによって構成されている。排気温度検知手段２８は、空気調和機１６の排気部１６ｂ付近に配置された温度センサーによって構成されている。
【００６６】
図３に示されるように、床下温度検知手段２３、外気温度検知手段２４、居室温度検知手段２５（２５ａ〜２５ｃ）、居室湿度検知手段２９（２９ａ〜２９ｄ）、吸気温度検知手段２７、及び、排気温度検知手段２８は、制御手段２６に接続されている。これにより、床下空気１７の温度、各居室４Ａ乃至４Ｄの温湿度、外気の温度、空気調和機１６の吸気温度、及び、空気調和機１６の排気温度が、制御手段２６に伝達されうる。
【００６７】
制御手段２６は、空調装置２の各構成部材を制御するためのものである。本実施形態では、空気調和機１６、換気手段１０のファン１０Ｂ、ダンパー２０（２０ａ乃至２０ｄ）、第１導入口１３の開閉部３０、第２導入口１９の開閉部２１、床下温度検知手段２３、外気温度検知手段２４、居室温度検知手段２５、居室湿度検知手段２９、吸気温度検知手段２７及び排気温度検知手段２８が制御されるが、このような態様に限定されるわけではない。
【００６８】
制御手段２６は、図１に示されるように、例えば、間仕切り壁等に設置されている。図３に示されるように、制御手段２６は、ＣＰＵ（中央演算装置）からなる演算部３３と、制御手順が予め記憶されている記憶部３４と、記憶部３４から制御手順を読み込む作業用メモリ３５とを含んで構成されている。
【００６９】
演算部３３には、第１導入口１３の開閉部３０、第２導入口１９の開閉部２１、及び、各居室４Ａ乃至４Ｄのダンパー２０（２０ａ〜２０ｄ）が接続されている。これにより、第１導入口１３の開閉部３０、第２導入口１９の開閉部２１、及び、各居室４Ａ乃至４Ｄのダンパー２０（２０ａ〜２０ｄ）は、演算部３３からの信号が伝達されることによって、それぞれ独立して開閉されうる。さらに、演算部３３は、換気手段１０の１階ファン１０Ｂａ、２階ファン１０Ｂｂ、及び、空気調和機１６が接続されている。これにより、１階ファン１０Ｂａ、２階ファン１０Ｂｂ、及び、空気調和機１６は、演算部３３からの信号が伝達されることによって、それぞれ運転が制御されうる。
【００７０】
図４は、記憶部３４の一例を示す概念図である。記憶部３４は、例えば、不揮発性の情報記憶装置である。記憶部３４には、演算部３３（図３に示す）によって実行されるプログラム部４１が少なくとも設けられている。
【００７１】
プログラム部４１は、作業用メモリ３５（図３に示す）に読み込まれて、演算部３３（図３に示す）によって実行されるプログラムである。本実施形態のプログラム部４１は、目標温度設定部４１ａ、及び、ファン風量調節部４１ｂを含んでいる。目標温度設定部４１ａは、各居室４Ａ乃至４Ｄの目標温度を設定するためのものである。ファン風量調節部４１ｂは、居室エリアＡ１、Ａ２毎に、居室の温度から目標温度を差し引いた値に基づいて、ファン１０Ｂａ、１０Ｂｂの風量を調節するためのものである。
【００７２】
また、本実施形態のプログラム部４１は、居室供給量調節部４１ｃ、空調温度調節部４１ｄ、空調風量調節部４１ｅ及び期間判断部４１ｆを含んでいる。居室供給量調節部４１ｃは、第１居室エリアＡｒ（本実施形態では、１階居室エリアＡ１及び２階居室エリアＡ２）に供給された暖空気又は冷空気の各居室への供給量を、居室の温度から目標温度を差し引いた値に基づいて個別に調節するためのものである。空調温度調節部４１ｄは、前記差し引いた値に基づいて、空気調和機１６の設定温度を調節するためのものである。空調風量調節部４１ｅは、各居室エリアＡ１、Ａ２に設けられたファン１０Ｂ（本実施形態では、１階ファン１０Ｂａ及び２階ファン１０Ｂｂ）の合計風量に基づいて、空気調和機１６の設定風量を調節するためのものである。期間判断部４１ｆは、現在が属する季節（例えば、冬季又は夏季）や期間（例えば、暖房期間又は冷房期間）を判断するためのものである。
【００７３】
さらに、本実施形態のプログラム部４１は、後述の効率運転ステップＳ６２４、Ｓ８２４の一連の処理手順を実行するための効率運転部４１ｇ、後述のパッシブ暖房モードＳ２４の一連の処理手順を実行するためのパッシブ暖房部４１ｈ、後述のパッシブ冷房モードＳ３４の一連の処理手順を実行するためのパッシブ冷房部４１ｉ、後述の換気モードＳ２２、Ｓ３２の一連の処理手順を実行するための換気部４１ｊ、及び、後述の空調停止ステップＳ２３４、Ｓ３３４の一連の処理手順を実行するための停止部４１ｋを含んでいる。なお、プログラム部４１は、このような態様に限定されるわけではなく、処理手順に従って適宜設定さえる。
【００７４】
次に、本実施形態の空調装置２を用いた空調方法について説明する。本実施形態の空調方法では、例えば、冬季（１０月〜３月）と、夏季（４月〜９月）とで、異なる処理手順が実施される。なお、冬季及び夏季は、例示した期間に限定されるわけではない。図５は、本実施形態の空調方法の処理手順の一例を示すフローチャートである。
【００７５】
本実施形態の空調方法では、先ず、現在が冬季又は夏季のいずれに属するかが判断される（ステップＳ１）。ステップＳ１では、演算部３３（図３に示す）が期間判断部４１ｆ（図４に示す）を実行することによって、現在が冬季又は夏季のいずれに属するかが判断される。現在が冬季であると判断された場合、次の冬季空調ステップＳ２が実施される。他方、現在が夏季であると判断された場合、次の夏季空調ステップＳ３が実施される。
【００７６】
冬季空調ステップＳ２では、空気調和機１６（図１に示す）による暖房が不要な中間期間、空気調和機１６による暖房が必要な暖房期間、及び、暖房期間と中間期間との間の第１期間（以下、単に「冬季パッシブ期間」ということがある。）において、異なる処理手順が実施される。各期間は、例えば、次のとおりである。なお、中間期間、暖房期間、及び、第１期間（冬季パッシブ期間）は、例示した期間に限定されるわけではなく、例えば、建築物Ｂ（図１に示す）が建てられた地域の気候に応じて、適宜設定されうる。図６は、本実施形態の冬季空調ステップＳ２の処理手順の一例を示すフローチャートである。
中間期間：４月２８日〜６月１６日、９月２３日〜１０月２５日
暖房期間：１２月９日〜２月２０日
第１期間（冬季パッシブ期間）：２月２１日〜４月２７日、１０月２６日〜１２月８日
【００７７】
冬季空調ステップＳ２では、先ず、現在が、中間期間、暖房期間、又は、第１期間（冬季パッシブ期間）のいずれに属するかが判断される（ステップＳ２１）。これらの判断は、演算部３３（図３に示す）が期間判断部４１ｆ（図４に示す）を実行することによって行われる。現在が、中間期間に属すると判断された場合、換気モードＳ２２が実施される。また、現在が、暖房期間に属すると判断された場合、暖房モードＳ２３が実施される。さらに、現在が、第１期間（冬季パッシブ期間）に属すると判断された場合、パッシブ暖房モードＳ２４が実施される。
【００７８】
換気モードＳ２２では、図１及び図２に示されるように、換気手段１０のファン１０Ｂ（１階ファン１０Ｂａ、２階ファン１０Ｂｂ）が運転される。これにより、チャンバーボックス９の第１空間９Ａには、第１導入口１３から床下空気１７（外気）が導入される。さらに、第１空間９Ａの床下空気１７は、排気口１４からダクト１０Ａ（１階ダクト１０Ａａ及び２階ダクト１０Ａｂ）、空気浄化装置１０Ｃを経由して清浄化された後、ダンパー２０（２０ａ〜２０ｄ）を介して、各居室４Ａ乃至４Ｄに供給される。また、居室４Ａ乃至４Ｄ内の空気は、各居室４Ａ乃至４Ｄ又は非居室（図示省略）に設けられた排気用のファン（図示省略）等によって、屋外へと排出される。これにより、各居室４Ａ乃至４Ｄは、清浄化された外気によって換気される。
【００７９】
これらの換気モードＳ２２の一連の処理は、演算部３３（図３に示す）が換気部４１ｊ（図４に示す）を実行することによって行われる。また、換気手段１０の１階ファン１０Ｂａ及び２階ファン１０Ｂｂの風量は、建築物Ｂに必要な換気回数に基づいて設定された第４風量（例えば、１００m3／ｈ）がそれぞれ設定されている。各居室４Ａ乃至４Ｄのダンパー２０は、第１開度〜第５開度から適宜選択される。
【００８０】
暖房モードＳ２３では、空気調和機１６（図１に示す）で暖められた暖空気が、各居室４Ａ乃至４Ｄ（図１に示す）に供給される。図７は、暖房モードＳ２３の処理手順の一例を示すフローチャートである。
【００８１】
暖房モードＳ２３では、先ず、各居室４Ａ乃至４Ｄの目標温度が設定される（ステップＳ２３０）。ステップＳ２３０では、図４に示した目標温度設定部４１ａが演算部３３によって実行される。
【００８２】
目標温度は、空気調和機１６による暖房により、各居室４Ａ乃至４Ｄで維持したい温度である。目標温度は、適宜設定されうる。本実施形態の目標温度は、ヒートショックを未然に防ぐ観点より、例えば、１８℃〜２２℃（本実施形態では、２０℃）に設定されるのが望ましい。目標温度は、居室４Ａ乃至４Ｄ毎にそれぞれ設定されてもよいし、同一でもよい。目標温度は、作業用メモリ３５に入力される。
【００８３】
次に、暖房モードＳ２３では、各居室４Ａ乃至４Ｄの温度が検知される（ステップＳ２３１）。図１及び図３に示されるように、各居室４Ａ乃至４Ｄの温度は、居室温度検知手段２５（２５ａ〜２５ｄ）によってそれぞれ検知される。各居室４Ａ乃至４Ｄの温度は、制御手段２６に伝達され、作業用メモリ３５に入力される。
【００８４】
次に、暖房モードＳ２３では、各居室４Ａ乃至４Ｄの温度から予め定められた目標温度を差し引いた値Ｗ１がそれぞれ求められる（ステップＳ２３２）。ステップＳ２３２では、作業用メモリ３５に入力された目標温度、及び、各居室４Ａ乃至４Ｄの温度に基づいて、演算部３３よって実行される。値Ｗ１は、居室４Ａ乃至４Ｄ毎に求められる。値Ｗ１が大きいほど、各居室４Ａ乃至４Ｄの温度が大きいことを示している。値Ｗ１は、作業用メモリ３５に入力される。
【００８５】
次に、暖房モードＳ２３では、全ての居室４Ａ乃至４Ｄの前記値Ｗ１が、予め定められた第２暖房閾値以上であるか否かが判断される（ステップＳ２３３）。本実施形態のステップＳ２３３では、作業用メモリ３５に入力された値Ｗ１、及び、第２暖房閾値に基づいて、演算部３３が判断している。第２暖房閾値は、例えば、記憶部３４に予め入力されている。
【００８６】
ステップＳ２３３では、空気調和機１６による空調（暖房）が、必要か否かが判断される。従って、第２暖房閾値は、０℃以上に設定されるのが望ましい。本実施形態の第２暖房閾値は、例えば、０℃よりも大きい＋１．０℃に設定されている。
【００８７】
全ての居室４Ａ乃至４Ｄの前記値Ｗ１が、予め定められた第２暖房閾値（例えば、＋１．０℃）以上であると判断された場合（ステップＳ２３３で、「Ｙ」）、全ての居室４Ａ乃至４Ｄの温度は、目標温度（例えば、２０℃）よりも大きい。このため、全ての居室４Ａ乃至４Ｄは、十分に暖められており、空気調和機１６による空調（暖房）が不要であると判断されうる。このような場合、次の空調停止ステップＳ２３４が実行される。
【００８８】
他方、全ての居室４Ａ乃至４Ｄの前記値Ｗ１が、予め定められた第２暖房閾値（例えば、＋１．０℃）以上でないと判断された場合（ステップＳ２３３で、「Ｎ」）、居室４Ａ乃至４Ｄのうち、少なくとも一つの居室４Ａ乃至４Ｄが十分に暖められていない可能性がある。このため、空気調和機１６による空調（暖房）が必要であると判断されうる。このような場合、各居室エリアＡ１、Ａ２に設けられたファン１０Ｂ（１階ファン１０Ｂａ、２階ファン１０Ｂｂ）によって、空気調和機１６で暖められた暖空気を、各居室４Ａ乃至４Ｄに供給する暖房ステップＳ２３５が実行される。本実施形態では、第２暖房閾値が、＋１．０℃に設定されるため、各居室４Ａ乃至４Ｄが必要以上に暖房されるのを防ぐことができ、ひいては、空気調和機１６の省エネルギー運転を図ることができる。
【００８９】
図８は、空調停止ステップＳ２３４の処理手順の一例を示すフローチャートである。空調停止ステップＳ２３４の一連の処理は、演算部３３（図３に示す）が停止部４１ｋ（図４に示す）を実行することによって行われる。
【００９０】
本実施形態の空調停止ステップＳ２３４では、先ず、空気調和機１６（図１に示す）の運転が停止され（ステップＳ６１１）、図１に示した換気手段１０の１階ファン１０Ｂａ及び２階ファン１０Ｂｂの風量が設定される（ステップＳ６１２）。本実施形態の１階ファン１０Ｂａ及び２階ファン１０Ｂｂの設定風量は、建築物Ｂに必要な換気回数に基づいて、第４風量（例えば、１００m3／ｈ）にそれぞれ設定される。
【００９１】
これにより、空調停止ステップＳ２３４では、換気モードＳ２２と同様に、各居室４Ａ乃至４Ｄは、清浄化された外気（床下空気１７）によって換気される。さらに、第１空間９Ａと第２空間９Ｂとが遮断されることにより、空気調和機１６のフィルターの自動清掃等のメンテナンス時に排出される熱等が、換気モードＳ２２で各居室４Ａ乃至４Ｄに供給される床下空気１７に影響するのを防ぐことができる。これらのステップＳ６１１乃至ステップＳ６１３の実行終了により、空調停止ステップＳ２３４の一連の処理が終了する。
【００９２】
暖房ステップＳ２３５では、先ず、空気調和機１６（図１に示す）による暖房が開始される（ステップＳ６２１）。ステップＳ６２１では、演算部３３が、空気調和機１６、１階ファン１０Ｂａ及び２階ファン１０Ｂｂを制御することによって行われる。
【００９３】
本実施形態のステップＳ６２１では、先ず、空気調和機１６が暖房運転される。次に、換気手段１０の１階ファン１０Ｂａ及び２階ファン１０Ｂｂが運転される。これにより、第１空間９Ａにおいて、床下空間３の空気と、空気調和機１６で暖められた暖空気とが混合される。そして、この混合空気（暖空気＋床下空気）が、換気手段１０によって各居室４Ａ乃至４Ｄに供給される。
【００９４】
これにより、換気を行いながら、空気調和機１６による暖房（空調）が実現されうる。なお、空気調和機１６による暖房が既に開始されている場合、ステップＳ６２１は省略される。
【００９５】
次に、暖房ステップＳ２３５では、全ての居室４Ａ乃至４Ｄの前記値Ｗ１が、予め定められた第３暖房閾値以上、かつ、予め定められた第１暖房閾値以下であるか否かが判断される（ステップＳ６２２）。ステップＳ６２２では、例えば、記憶部３４に入力されている値Ｗ１、第１暖房閾値及び第３暖房閾値に基づいて、演算部３３が判断している。
【００９６】
ステップＳ６２２では、空気調和機１６（図１に示す）のよる積極的な運転が、必要か否かが判断される。従って、第３暖房閾値は、０℃未満に設定されるのが望ましい。本実施形態の第３暖房閾値は、例えば、−０．５℃に設定されている。
【００９７】
空気調和機１６（図１に示す）のよる積極的な運転は、各居室４Ａ乃至４Ｄの値Ｗ１が広範囲に分布している場合に実施されるのが望ましい。このため、第１暖房閾値は、暖房ステップＳ２３５の実施を判断するステップＳ２３３で用いられた第２暖房閾値（例えば、＋１．０℃）よりも小に設定されるのが望ましい。本実施形態の第１暖房閾値は、例えば、＋０．５℃に設定されている。
【００９８】
ステップＳ６２２において、全ての居室４Ａ乃至４Ｄの前記値Ｗ１が、第３暖房閾値（例えば、−０．５℃）以上、かつ、第１暖房閾値（例えば、＋０．５℃）以下でない場合（ステップＳ６２２で、Ｎ）、各居室４Ａ乃至４Ｄの値Ｗ１が広範囲に分布している可能性がある。このため、積極運転ステップＳ６２３が実施される。これにより、各居室４Ａ乃至４Ｄが効果的に暖房されうる。他方、全ての居室４Ａ乃至４Ｄの前記値Ｗ１が、第３暖房閾値（例えば、−０．５℃）以上、かつ、第１暖房閾値（例えば、＋０．５℃）以下である場合（ステップＳ６２２で、Ｙ）、各居室４Ａ乃至４Ｄが比較的暖まっており、しかも、各居室４Ａ乃至４Ｄの値Ｗ１が広範囲に分布していない。このため、空気調和機１６の効率的な運転が行われる効率運転ステップＳ６２４が実施される。このように、暖房ステップＳ２３５では、各居室４Ａ乃至４Ｄの値Ｗ１が広範囲に分布している場合に、積極運転ステップＳ６２３が実施されるため、各居室４Ａ乃至４Ｄを効果的に暖房しうる。
【００９９】
積極運転ステップＳ６２３では、居室エリアＡ（本実施形態では、１階居室エリアＡ１及び２階居室エリアＡ２）毎に、各居室４Ａ乃至４Ｄへの暖空気の供給量、及び、ファン１０Ｂ（本実施形態では、１階ファン１０Ｂａ及び２階ファン１０Ｂｂ）の風量が調節される。図１０は、本実施形態の積極運転ステップＳ６２３の処理手順の一例を示すフローチャートである。
【０１００】
本実施形態の積極運転ステップＳ６２３では、先ず、１階居室エリアＡ１の各居室４Ａ、４Ｂへの暖空気の供給量、及び、１階ファン１０Ｂａの風量が調節される（１階居室エリア調節ステップＳ６３１）。図１１及び図１２は、１階居室エリア調節ステップＳ６３１の処理手順を示すフローチャートである。なお、１階居室エリア調節ステップＳ６３１において実施される各判断処理（例えば、ステップＳ６４１、Ｓ６４３等）は、例えば、作業用メモリ３５に入力された値Ｗ１等に基づいて、演算部３３によって行われている。
【０１０１】
１階居室エリア調節ステップＳ６３１では、先ず、１階居室エリアＡ１に含まれる全ての居室（本実施形態では、１階の居室４Ａ、４Ｂ）の前記値Ｗ１のうち、最も大きい最大値Ｗ２ｍが、予め定められた第４暖房閾値以下であるか否かが判断される（ステップＳ６４１）。このステップＳ６４１では、１階居室エリアＡ１に含まれる各居室４Ａ、４Ｂへの暖空気（混合空気）の供給量を最大にして、暖房する必要があるか否かが判断される。従って、第４暖房閾値は、積極的な運転が必要か否かの判断に用いられた第３暖房閾値（例えば、−０．５℃）よりも小に設定されるのが望ましい。本実施形態の第４暖房閾値は、−１．５℃に設定されている。
【０１０２】
最大値Ｗ２ｍが第４暖房閾値（例えば、−１．５℃）以下である場合（ステップＳ６４１で、「Ｙ」）、１階居室エリアＡ１の全ての居室（本実施形態では、１階の居室４Ａ、４Ｂ）の温度が大幅に低下している。このため、１階居室エリアＡ１の各居室４Ａ、４Ｂへの暖空気（混合空気）の供給量が最大に設定される（ステップＳ６４２）。この場合、１階居室エリアＡ１の各居室４Ａ、４Ｂのダンパー２０ａ、２０ｂ（図１に示す）は、最も大きい第５開度に設定される。これにより、１階居室エリアＡ１の各居室４Ａ、４Ｂへの暖空気の供給量が最大にされうる。ステップＳ６４２では、演算部３３が、ダンパー２０ａ、２０ｂを制御することによって行われる。
【０１０３】
他方、最大値Ｗ２ｍが第４暖房閾値（例えば、−１．５℃）よりも大きい場合（ステップＳ６４１で、「Ｎ」）、１階居室エリアＡ１の全ての居室（本実施形態では、１階の居室４Ａ、４Ｂ）の温度が、大きく低下しているわけではない。従って、１階居室エリアＡ１の各居室４Ａ、４Ｂへの暖空気（混合空気）の供給量を個別に調節して、暖房するのが有効である。この場合、図１３〜図１７に示す第１居室供給量調節ステップＳ６４４〜第４居室供給量調節ステップＳ６５０又は第９居室供給量調節ステップＳ６５８の何れかが実施される。
【０１０４】
第１居室供給量調節ステップＳ６４４〜第４居室供給量調節ステップＳ６５０及び第９居室供給量調節ステップＳ６５８では、第１居室エリアＡｒ（即ち、１階居室エリアＡ１及び２階居室エリアＡ２）の各居室の値Ｗ１に基づいて、各居室のダンパー２０の開度が個別に調節される。本実施形態では、前記値Ｗ１が小さい居室４Ａ又は居室４Ｂほど、ダンパー２０ａ、２０ｂの開度が大に設定されている。これにより、温度が低い居室４Ａ、４Ｂほど、より多くの暖空気（混合空気）が供給されるため、効率よく暖房されうる。
【０１０５】
これらの第１居室供給量調節ステップＳ６４４〜第４居室供給量調節ステップＳ６５０及び第９居室供給量調節ステップＳ６５８は、演算部３３（図３に示す）が居室供給量調節部４１ｃ（図４に示す）を実行することによって行われる。詳細な処理手順については、後述する。
【０１０６】
次に、１階居室エリア調節ステップＳ６３１では、１階居室エリアＡ１の各居室４Ａ、４Ｂ（図１に示す）の前記値Ｗ１のうち、最も小さい最小値Ｗ２ｓが第５暖房閾値以下であるか否かが判断される（ステップＳ６４３）。最小値Ｗ２ｓが大幅に小さいと、各居室４Ａ、４Ｂの前記値Ｗ１が広範囲に分布している可能性が高い。従って、このような分布の有無を判断するために、第５暖房閾値については、第４暖房閾値（例えば、−１．５℃）よりも小に設定されるのが望ましい。本実施形態の第５暖房閾値は、例えば、−３．０℃に設定されている。
【０１０７】
最小値Ｗ２ｓが第５暖房閾値（例えば、−３．０℃）以下である場合（ステップＳ６４３で、「Ｙ」）、１階居室エリアＡ１の各居室４Ａ、４Ｂ（図１に示す）の前記値Ｗ１が広範囲に分布している可能性が高い。この場合、第１居室供給量調節ステップＳ６４４が実施される。他方、最小値Ｗ２ｓが第５暖房閾値（例えば、−３．０℃）よりも大きい場合、本ステップＳ６４３のみでは、各居室４Ａ、４Ｂの前記値Ｗ１が広範囲に分布しているか否かが判断できないため、次のステップＳ６４５が実施される。
【０１０８】
図１３は、第１居室供給量調節ステップＳ６４４の処理手順の一例を示すフローチャートである。第１居室供給量調節ステップＳ６４４では、第１開度〜第５開度毎に、１階居室エリアＡ１の居室４Ａ、４Ｂ（図１に示す）の前記値Ｗ１の閾値の範囲が設定されている。第１居室供給量調節ステップＳ６４４での閾値の範囲は、例えば、「＋３．０℃よりも大」、「＋３．０℃（以下）〜＋１．０℃（よりも大）」、「＋１．０℃（以下）〜−１．０℃（よりも大）」、「−１．０℃（以下）〜−３．０℃（以上）」、及び、「−３．０℃未満」である。
【０１０９】
第１居室供給量調節ステップＳ６４４では、前記値Ｗ１が小さい１階居室エリアＡ１の各居室４Ａ又は居室４Ｂ（図１に示す）ほど、そのダンパー２０（２０ａ又は２０ｂ）の開度が大に設定されている（ステップＳ６６２〜ステップＳ６６６）。例えば、前記値Ｗ１が＋３．０℃よりも大きい居室４Ａ又は４Ｂのダンパー２０は、最も小さい第１開度が設定される（ステップＳ６６２）。前記値Ｗ１が＋３．０℃〜＋１．０℃である居室４Ａ又は４Ｂのダンパー２０は、第１開度よりも大きい第２開度に設定される（ステップＳ６６３）。前記値Ｗ１が＋１．０℃〜−１．０℃である居室４Ａ又は４Ｂのダンパー２０は、第２開度よりも大きい第３開度に設定される（ステップＳ６６４）。
【０１１０】
さらに、前記値Ｗ１が−１．０℃〜−３．０℃である居室４Ａ又は４Ｂのダンパー２０（２０ａ又は２０ｂ）は、第３開度よりも大きい第４開度に設定される（ステップＳ６６５）。前記値Ｗ１が−３．０℃未満である居室４Ａ又は４Ｂのダンパー２０は、第４開度よりも大きい第５開度に設定される（ステップＳ６６６）。
【０１１１】
そして、１階居室エリアＡ１の全ての居室（本実施形態では、居室４Ａ及び４Ｂ）のダンパー２０（２０ａ又は２０ｂ）の開度が調節されたか否かが判断される（ステップＳ６６７）。１階居室エリアＡ１の全ての居室４Ａ、４Ｂのダンパー２０の開度が調節されたと判断された場合（ステップＳ６６７で、「Ｙ」）、第１居室供給量調節ステップＳ６４４の一連の処理が終了する。他方、１階居室エリアＡ１の全ての居室４Ａ、４Ｂのダンパー２０の開度が調節されていないと判断された場合（ステップＳ６６７で、「Ｎ」）、開度が調節されていない居室４Ａ又は４Ｂのダンパー２０が選択され（ステップＳ６６８）、ステップＳ６６１〜Ｓ６６７が再度実施される。これにより、前記値Ｗ１に基づいて、１階居室エリアＡ１の全ての居室４Ａ及び４Ｂのダンパー２０の開度がそれぞれ調節されるため、各居室４Ａ及び４Ｂへの暖空気（混合空気）の供給量が、個別に調節されうる。
【０１１２】
本実施形態では、前記値Ｗ１が小さい居室４Ａ又は居室４Ｂほど、ダンパー２０ａ、２０ｂの開度が大に設定されている。従って、温度が低い居室４Ａ、４Ｂほど、より多くの暖空気（混合空気）が供給されるため、各居室４Ａ及び４Ｂが効率よく暖房されうる。なお、各ダンパー２０（２０ａ、２０ｂ）の開度を区分した各閾値については、上記の値に限定されるわけではなく、例えば、換気手段１０のファン１０Ｂ（１階ファン１０Ｂａ）の風量に応じて、適宜変更されうる。
【０１１３】
次に、図１１に示されるように、１階居室エリア調節ステップＳ６３１では、１階居室エリアＡ１の各居室４Ａ、４Ｂ（図１に示す）の前記値Ｗ１のうち、最も大きい最大値Ｗ２ｍが第１暖房閾値未満であるか否かが判断される（ステップＳ６４５）。上述したように、本実施形態の第１暖房閾値は、＋０．５℃に設定されている。図１８は、第１暖房閾値を基準とする各居室４Ａ、４Ｂの値Ｗ１の範囲を示す図である。
【０１１４】
最大値Ｗ２ｍが第１暖房閾値（例えば、＋０．５℃）未満である場合（ステップＳ６４５で、「Ｙ」）、各居室４Ａ、４Ｂの温度が、第１暖房閾値に対して不利側に偏って分布している（図１８において、「Ｃ１」）。この場合、第２居室供給量調節ステップＳ６４６が実施される。他方、最大値Ｗ２ｍが第１暖房閾値未満でない場合（ステップＳ６４５で、「Ｎ」）、次のステップＳ６４７が実施される。
【０１１５】
図１４は、第２居室供給量調節ステップＳ６４６の処理手順の一例を示すフローチャートである。第２居室供給量調節ステップＳ６４６での閾値の範囲は、例えば、「＋０．５℃（未満）〜−０．５℃（以上）」、「−０．５℃（未満）〜−１．５℃（以上）」、及び、「−１．５℃未満」である。このように、第２居室供給量調節ステップＳ６４６での閾値は、第１居室供給量調節ステップＳ６４４（図１３に示す）の閾値とは異なり、第１暖房閾値（例えば、＋０．５℃）に対して不利側に偏って設定されている。
【０１１６】
第２居室供給量調節ステップＳ６４６では、前記値Ｗ１が小さい居室４Ａ又は居室４Ｂほど、ダンパー２０の開度が大に設定されている（ステップＳ６７２〜ステップＳ６７４）。これにより、温度が低い居室４Ａ、４Ｂほど、より多くの暖空気（混合空気）が供給されるため、効率よく暖房されうる。例えば、前記値Ｗ１が＋０．５℃（未満）〜−０．５℃（以上）の居室４Ａ又は４Ｂのダンパー２０は、最も小さい第１開度が設定される（ステップＳ６７２）。前記値Ｗ１が−０．５℃（未満）〜−１．５℃（以上）の居室４Ａ又は４Ｂのダンパー２０は、第１開度よりも大きい第３開度に設定される（ステップＳ６７３）。前記値Ｗ１が−１．５℃未満の居室４Ａ又は４Ｂのダンパー２０は、第３開度よりも大きい第５開度に設定される（ステップＳ６７４）。このように、第２居室供給量調節ステップＳ６４６では、第１暖房閾値（例えば、＋０．５℃）に対して不利側に偏った閾値に基づいて、最も小さな第１開度から、最も大きい第５開度まで万遍なく設定されるため、各居室４Ａ、４Ｂが効果的に暖房されうる。
【０１１７】
そして、第２居室供給量調節ステップＳ６４６では、１階居室エリアＡ１の全ての居室（本実施形態では、居室４Ａ及び４Ｂ）のダンパー２０（２０ａ又は２０ｂ）の開度が調節されたか否かが判断される（ステップＳ６７５）。１階居室エリアＡ１の全ての居室４Ａ、４Ｂのダンパー２０の開度が調節されたと判断された場合（ステップＳ６７５で、「Ｙ」）、第２居室供給量調節ステップＳ６４６の一連の処理が終了する。他方、１階居室エリアＡ１の全ての居室４Ａ、４Ｂのダンパー２０の開度が調節されていないと判断された場合（ステップＳ６７５で、「Ｎ」）、開度が調節されていない他の居室４Ａ又は居室４Ｂのダンパー２０が選択され（ステップＳ６７６）、ステップＳ６７１〜Ｓ６７５が再度実施される。これにより、前記値Ｗ１に基づいて、１階居室エリアＡ１の全ての居室４Ａ及び居室４Ｂのダンパー２０の開度がそれぞれ調節されるため、各居室４Ａ及び４Ｂへの暖空気（混合空気）の供給量が、個別に調節されうる。
【０１１８】
次に、図１１に示されるように、１階居室エリア調節ステップＳ６３１では、１階居室エリアＡ１の各居室４Ａ、４Ｂ（図１に示す）の前記値Ｗ１のうち、最も小さい最小値Ｗ２ｓが第１暖房閾値以上であるか否かが判断される（ステップＳ６４７）。上述したように、本実施形態の第１暖房閾値は、＋０．５℃に設定されている。
【０１１９】
最小値Ｗ２ｓが第１暖房閾値（例えば、＋０．５℃）以上である場合（ステップＳ６４７で、「Ｙ」）、図１８に示されるように、各居室４Ａ、４Ｂの温度が、第１暖房閾値に対して有利側に偏って分布している（図１８において、「Ｃ２」）。この場合、次のステップＳ６５７が実施される。他方、最小値Ｗ２ｓが第１暖房閾値以上でない場合（ステップＳ６４７で、「Ｎ」）、次のステップＳ６４９（図１２に示す）が実施される。
【０１２０】
本実施形態のステップＳ６５７では、１階居室エリアＡ１の各居室４Ａ、４Ｂ（図１に示す）の前記値Ｗ１のうち、最も小さい最小値Ｗ２ｓが第２暖房閾値未満であるか否かが判断される。上述したように、第２暖房閾値は、第１暖房閾値（例えば、＋０．５℃）よりも大きい＋１．０に設定される。
【０１２１】
ステップＳ６５７において、最小値Ｗ２ｓが第２暖房閾値（例えば、＋１．０℃）未満であると判断された場合（ステップＳ６５７で、「Ｙ」）、各居室４Ａ、４Ｂの温度が、第１暖房閾値（例えば、＋０．５℃）に対して、それほど有利側に偏って分布しているわけではない。この場合、第３居室供給量調節ステップＳ６４８が実施される。他方、最小値Ｗ２ｓが第２暖房閾値未満でないと判断された場合（ステップＳ６５７で、「Ｎ」）、各居室４Ａ、４Ｂの温度が、第１暖房閾値に対して、有利側に偏って分布している。この場合、第９居室供給量調節ステップＳ６５８が実施される。
【０１２２】
図１５は、第３居室供給量調節ステップＳ６４８の処理手順の一例を示すフローチャートである。第３居室供給量調節ステップＳ６４８での閾値の範囲は、例えば、「＋１．５℃（以上）」、「＋１．５℃（未満）〜＋１．０℃（以上）」、及び、「＋１．０℃（未満）〜＋０．５℃以上」である。このように、第３居室供給量調節ステップＳ６４８での閾値は、第１暖房閾値（例えば、＋０．５℃）に対して有利側に偏って設定されている。
【０１２３】
第３居室供給量調節ステップＳ６４８では、前記値Ｗ１が小さい居室４Ａ又は居室４Ｂほど、ダンパー２０の開度が大に設定されている（ステップＳ６８２〜ステップＳ６８４）。これにより、温度が低い居室４Ａ、４Ｂほど、より多くの暖空気（混合空気）が供給されるため、効率よく暖房されうる。例えば、前記値Ｗ１が＋１．５℃（以上）の居室４Ａ又は居室４Ｂのダンパー２０は、最も小さい第１開度が設定される（ステップＳ６８２）。前記値Ｗ１が＋１．５℃（未満）〜＋１．０℃（以上）の居室４Ａ又は居室４Ｂのダンパー２０は、第１開度よりも大きい第３開度に設定される（ステップＳ６８３）。前記値Ｗ１が＋１．０℃（未満）〜＋０．５℃以上の居室４Ａ又は居室４Ｂのダンパー２０は、第３開度よりも大きい第５開度に設定される（ステップＳ６８４）。このように、第３居室供給量調節ステップＳ６４８は、第１暖房閾値（例えば、＋０．５℃）に対して有利側に偏った閾値に基づいて、最も小さな第１開度から、最も大きい第５開度まで万遍なく設定されるため、各居室４Ａ、４Ｂが効果的に暖房されうる。
【０１２４】
そして、１階居室エリアＡ１の全ての居室（本実施形態では、居室４Ａ及び居室４Ｂ）のダンパー２０（２０ａ又は２０ｂ）の開度が調節されたか否かが判断される（ステップＳ６８５）。１階居室エリアＡ１の全ての居室４Ａ、４Ｂのダンパー２０の開度が調節されたと判断された場合（ステップＳ６８５で、「Ｙ」）、第３居室供給量調節ステップＳ６４８の一連の処理が終了する。他方、１階居室エリアＡ１の全ての居室４Ａ、４Ｂのダンパー２０の開度が調節されていないと判断された場合（ステップＳ６８５で、「Ｎ」）、開度が調節されていない居室４Ａ又は居室４Ｂのダンパー２０が選択され（ステップＳ６８６）、ステップＳ６８１〜Ｓ６８５が再度実施される。これにより、前記値Ｗ１に基づいて、１階居室エリアＡ１の全ての居室４Ａ、４Ｂのダンパー２０の開度がそれぞれ調節されるため、各居室４Ａ及び４Ｂへの暖空気（混合空気）の供給量が、効果的に調節されうる。
【０１２５】
図１６は、第９居室供給量調節ステップＳ６５８の処理手順の一例を示すフローチャートである。第９居室供給量調節ステップＳ６５８での閾値の範囲は、例えば、「＋２．０℃（以上）」、「＋２．０℃（未満）〜＋１．５℃（以上）」、及び、「＋１．５℃（未満）〜＋１．０℃以上」である。このように、第９居室供給量調節ステップＳ６５８での閾値は、第２暖房閾値（例えば、＋１．０℃）に対して有利側に偏って設定されている。
【０１２６】
第９居室供給量調節ステップＳ６５８では、前記値Ｗ１が小さい居室４Ａ又は居室４Ｂほど、ダンパー２０の開度が大に設定されている（ステップＳ７０２〜ステップＳ７０４）。これにより、温度が低い居室４Ａ、４Ｂほど、より多くの暖空気（混合空気）が供給されるため、効率よく暖房されうる。例えば、前記値Ｗ１が＋２．０℃（以上）の居室４Ａ又は居室４Ｂのダンパー２０は、最も小さい第１開度が設定される（ステップＳ７０２）。前記値Ｗ１が＋２．０℃（未満）〜＋１．５℃（以上）の居室４Ａ又は居室４Ｂのダンパー２０は、第１開度よりも大きい第３開度に設定される（ステップＳ７０３）。前記値Ｗ１が＋１．５℃（未満）〜＋１．０℃以上の居室４Ａ又は居室４Ｂのダンパー２０は、第３開度よりも大きい第５開度に設定される（ステップＳ７０４）。このように、第９居室供給量調節ステップＳ６５８は、第２暖房閾値（例えば、＋１．０℃）に対して有利側に偏った閾値に基づいて、最も小さな第１開度から、最も大きい第５開度まで万遍なく設定されるため、各居室４Ａ、４Ｂが効果的に暖房されうる。
【０１２７】
そして、１階居室エリアＡ１の全ての居室（本実施形態では、居室４Ａ及び居室４Ｂ）のダンパー２０（２０ａ又は２０ｂ）の開度が調節されたか否かが判断される（ステップＳ７０５）。１階居室エリアＡ１の全ての居室４Ａ、４Ｂのダンパー２０の開度が調節されたと判断された場合（ステップＳ７０５で、「Ｙ」）、第９居室供給量調節ステップＳ６５８の一連の処理が終了する。他方、１階居室エリアＡ１の全ての居室４Ａ、４Ｂのダンパー２０の開度が調節されていないと判断された場合（ステップＳ７０５で、「Ｎ」）、開度が調節されていない居室４Ａ又は居室４Ｂのダンパー２０が選択され（ステップＳ７０６）、ステップＳ７０１〜Ｓ７０５が再度実施される。これにより、前記値Ｗ１に基づいて、１階居室エリアＡ１の全ての居室４Ａ、４Ｂのダンパー２０の開度がそれぞれ調節されるため、各居室４Ａ及び４Ｂへの暖空気（混合空気）の供給量が、効果的に調節されうる。
【０１２８】
次に、図１２に示されるように、１階居室エリア調節ステップＳ６３１では、最大値Ｗ２ｍが第６暖房閾値以上であるか否かが判断される（ステップＳ６４９）。最大値Ｗ２ｍが大幅に大きいと、１階居室エリアＡ１の各居室４Ａ、４Ｂの前記値Ｗ１が広範囲に分布している可能性が高い。従って、このような分布の有無を判断するために、第６暖房閾値については、第２暖房閾値（例えば、＋１．０℃）よりも大きい値に設定されるのが望ましい。本実施形態の第６暖房閾値は、例えば、＋３．０℃に設定されている。
【０１２９】
最大値Ｗ２ｍが第６暖房閾値（例えば、＋３．０℃）以上である場合（ステップＳ６４９で、「Ｙ」）、１階居室エリアＡ１の各居室４Ａ、４Ｂの前記値Ｗ１が広範囲に分布している可能性が高い。この場合、図１３に示した第１居室供給量調節ステップＳ６４４が実施される。他方、最大値Ｗ２ｍが第６暖房閾値（例えば、＋３．０℃）未満である場合（ステップＳ６４９で、「Ｎ」）、最大値Ｗ２ｍが比較的小さい。しかも、図１１に示したステップＳ６４３の判断により、最小値Ｗ２ｓが−３．０℃より大である。従って、１階居室エリアＡ１の各居室４Ａ及び４Ｂの前記値Ｗ１が広範囲に分布している可能性が低い。この場合、第４居室供給量調節ステップＳ６５０が実施される。
【０１３０】
図１７は、第４居室供給量調節ステップＳ６５０の処理手順の一例を示すフローチャートである。第４居室供給量調節ステップＳ６５０での閾値の範囲は、「＋１．５℃よりも大」、「＋１．５℃（以下）〜＋０．５℃（よりも大）」、「＋０．５℃（以下）〜−０．５℃（よりも大）」、「−０．５℃（以下）〜−１．５℃（以上）」、「−１．５℃未満」である。このように、第４居室供給量調節ステップＳ６５０は、第１居室供給量調節ステップＳ６４４に比べて、閾値の範囲が小に設定されている。従って、各居室４Ａ、４Ｂ（図１に示す）の前記値Ｗ１が広範囲に分布していなくても、居室４Ａ、４Ｂ毎に、ダンパー２０ａ、２０ｂの開度が、より細やかにバランスよく調節されうる。
【０１３１】
第４居室供給量調節ステップＳ６５０では、前記値Ｗ１が小さい１階居室エリアＡ１の各居室４Ａ又は４Ｂほど、そのダンパー２０（２０ａ又は２０ｂ（図１に示す））の開度が大に設定されている（ステップＳ６９２〜ステップＳ６９６）。例えば、前記値Ｗ１が＋１．５℃よりも大きい居室４Ａ又は４Ｂのダンパー２０は、最も小さい第１開度が設定される（ステップＳ６９２）。前記値Ｗ１が＋１．５℃〜＋０．５℃である居室４Ａ又は４Ｂのダンパー２０は、第１開度よりも大きい第２開度に設定される（ステップＳ６９３）。前記値Ｗ１が＋０．５℃〜−０．５℃である居室４Ａ又は４Ｂのダンパー２０は、第２開度よりも大きい第３開度に設定される（ステップＳ６９４）。
【０１３２】
さらに、前記値Ｗ１が−０．５℃〜−１．５℃である居室４Ａ又は４Ｂのダンパー２０（２０ａ又は２０ｂ）は、第３開度よりも大きい第４開度に設定される（ステップＳ６９５）。前記値Ｗ１が−１．５℃未満である居室４Ａ又は４Ｂのダンパー２０は、第４開度よりも大きい第５開度に設定される（ステップＳ６９６）。
【０１３３】
そして、１階居室エリアＡ１の全ての居室（本実施形態では、居室４Ａ及び４Ｂ）のダンパー２０（２０ａ又は２０ｂ）の開度が調節されたか否かが判断される（ステップＳ６９７）。全ての居室４Ａ及び４Ｂのダンパー２０の開度が調節されたと判断された場合（ステップＳ６９７で、「Ｙ」）、第４居室供給量調節ステップＳ６５０の一連の処理が終了する。他方、全ての居室４Ａ及び４Ｂのダンパー２０の開度が調節されていないと判断された場合（ステップＳ６９７で、「Ｎ」）、調節されていない居室４Ａ又は４Ｂのダンパー２０が選択され（ステップＳ６９８）、ステップＳ６９１〜Ｓ６９７が再度実施される。これにより、前記値Ｗ１に基づいて、１階居室エリアＡ１の全ての居室４Ａ及び４Ｂのダンパー２０の開度がそれぞれ調節されるため、各居室４Ａ及び４Ｂへの暖空気（混合空気）の供給量が、個別に調節されうる。
【０１３４】
本実施形態では、前記値Ｗ１が小さい居室４Ａ又は居室４Ｂほど、ダンパー２０ａ、２０ｂの開度が大に設定されている。これにより、温度が低い居室４Ａ、４Ｂほど、より多くの暖空気（混合空気）が供給されるため、各居室４Ａ及び４Ｂが効率よく暖房されうる。なお、各ダンパー２０（２０ａ及び２０ｂ）の開度を区分した各閾値については、上記の値に限定されるわけではない。
【０１３５】
次に、図１１及び図１２に示されるように、本実施形態の１階居室エリア調節ステップＳ６３１では、図１に示した１階居室エリアＡ１のファン１０Ｂ（１階ファン１０Ｂａ）の風量が調節される（ファン風量調節ステップＳ６５１〜Ｓ６５６及びＳ６５９）。ファン風量調節ステップＳ６５１〜Ｓ６５６及びＳ６５９では、前記値Ｗ１（１階居室エリアＡ１の居室４Ａ又は４Ｂの温度から目標温度を差し引いた値）に基づいて、１階ファン１０Ｂａの風量が調節される。これらのファン風量調節ステップＳ６５１〜Ｓ６５６及びＳ６５９は、演算部３３（図３に示す）がファン風量調節部４１ｂ（図４に示す）を実行することによって行われる。
【０１３６】
ステップＳ６４１において、１階居室エリアＡ１の前記値Ｗ１の最大値Ｗ２ｍが第４暖房閾値（例えば、−１．５℃）以下であると判断された場合（ステップＳ６４１で、「Ｙ」）、最小値Ｗ２ｓが第４暖房閾値よりも大幅に小さい可能性がある。このため、１階ファン１０Ｂａの風量を大きくして、低温の居室４Ａ又は４Ｂを含む１階居室エリアＡ１に暖空気を積極的に供給することが有効である。従って、１階ファン１０Ｂａの風量は、最も大きい第１風量（例えば、５５０m3／ｈ）に設定される（ファン風量調節ステップＳ６５１）。
【０１３７】
また、ステップＳ６４３において、１階居室エリアＡ１の前記値Ｗ１の最小値Ｗ２ｓが第５暖房閾値（例えば、−３．０℃）以下であると判断された場合（ステップＳ６４３で、「Ｙ」）も同様に、１階ファン１０Ｂａの風量が、第１風量（例えば、５５０m3／ｈ）に設定される（ファン風量調節ステップＳ６５２）。
【０１３８】
ステップＳ６４５において、１階居室エリアＡ１の前記値Ｗ１の最大値Ｗ２ｍが第１暖房閾値（例えば、＋０．５℃）よりも小（即ち、未満）であると判断された場合（ステップＳ６４５で、「Ｙ」）、第１暖房閾値に対して不利側に偏って分布している（図１８において、「Ｃ１」）。このため、１階ファン１０Ｂａの風量を大きくして、低温の居室４Ａ又は４Ｂを含む１階居室エリアＡ１に暖空気を積極的に供給することが有効である。従って、１階ファン１０Ｂａの風量は、最も大きい第１風量（例えば、５５０m3／ｈ）に設定される（ファン風量調節ステップＳ６５３）。これにより、各居室４Ａ又は４Ｂに暖空気が積極的に供給されるため、各居室４Ａ又は４Ｂが効率よく暖房されうる。
【０１３９】
ステップＳ６４７において、１階居室エリアＡ１の最小値Ｗ２ｓが第１暖房閾値（例えば、＋０．５℃）以上であると判断された場合（ステップＳ６４７で、「Ｙ」）、各居室４Ａ、４Ｂの温度が、第１暖房閾値に対して有利側に偏って分布している（図１８において、「Ｃ２」）。このため、１階ファン１０Ｂａの風量は、第１風量よりも小さい風量に設定される（ファン風量調節ステップＳ６５４及びＳ６５９）。これにより、各居室４Ａ又は４Ｂに暖空気が必要以上に供給されるのを防ぐことができるため、各居室４Ａ又は４Ｂが効率よく暖房されうる。
【０１４０】
本実施形態では、ステップＳ６５７において、１階居室エリアＡ１の最小値Ｗ２ｓが第２暖房閾値（例えば、＋１．０℃）未満と判断された場合（ステップＳ６５７で、「Ｙ」）、第２風量（例えば、２５０m3／ｈ）に設定される（ファン風量調節ステップＳ６５４）。他方、ステップＳ６５７において、最小値Ｗ２ｓが第２暖房閾値（例えば、＋１．０℃）以上と判断された場合（ステップＳ６５７で、「Ｎ」）、第４風量（例えば、１００m3／ｈ）に設定される（ファン風量調節ステップＳ６５９）。このように、本実施形態では、各居室に暖空気が必要以上に供給されるのを防ぐことができるため、各居室が効率よく暖房されうる。
【０１４１】
図１８に示されるように、最大値Ｗ２ｍが第１暖房閾値（例えば、＋０．５℃）よりも小である範囲Ｃ１と、最小値Ｗ２ｓが第１暖房閾値以上である範囲Ｃ２とでは、１階居室エリアＡ１に属する全ての居室４Ａ及び４Ｂの温度が、各範囲Ｃ１及びＣ２の何れかに属している。このため、例えば、最大値Ｗ２ｍが第１暖房閾値よりも小である（即ち、全ての居室４Ａ、４Ｂの温度が範囲Ｃ１に分布している）と判断（ステップＳ６４５）された後に、再び処理された１階居室エリア調節ステップＳ６３１において、最小値Ｗ２ｓが第１暖房閾値以上である（即ち、全ての居室４Ａ、４Ｂの温度が範囲Ｃ２に分布している）と、短時間で判断（ステップＳ６４７）されるのを防ぐことができる。従って、本実施形態では、１階ファン１０Ｂａの風量として、第１風量（例えば、５５０m3／ｈ）と、第１風量よりも小さい第２風量（例えば、２５０m3／ｈ）又は第４風量（例えば、１００m3／ｈ）とが、短時間で繰り返し設定されるのを防ぐことができる。
【０１４２】
図１２に示されるように、ステップＳ６４９において、１階居室エリアＡ１の最大値Ｗ２ｍが第６暖房閾値（例えば、＋３．０℃）以上であると判断された場合（ステップＳ６４９で、「Ｙ」）、ファン風量調節ステップＳ６５１〜Ｓ６５３ほど、１階ファン１０Ｂａの風量を大きくする必要はないと判断されうる。このため、１階ファン１０Ｂａの風量が、第２風量（例えば、２５０m3／ｈ）に設定される（ファン風量調節ステップＳ６５５）。
【０１４３】
ステップＳ６４９において、１階居室エリアＡ１の最大値Ｗ２ｍが第６暖房閾値（例えば、＋３．０℃）未満であると判断された場合（ステップＳ６４９で、「Ｎ」）、ファン風量調節ステップＳ６５１〜Ｓ６５３ほど、１階ファン１０Ｂａの風量を大きくする必要はないが、ファン風量調節ステップＳ６５５よりも１階ファン１０Ｂａの風量を大きくするのが有効である。このため、１階ファン１０Ｂａの風量が、第３風量（例えば、４００m3／ｈ）に設定される（ファン風量調節ステップＳ６５６）。
【０１４４】
このように、ファン風量調節ステップＳ６５１〜Ｓ６５６及びＳ６５９では、１階居室エリアＡ１の最小値Ｗ２ｓが小さいほど、１階ファン１０Ｂａの風量が大きく設定される。さらに、１階居室エリアＡ１の最大値Ｗ２ｍが大きいほど、１階ファン１０Ｂａの風量が小さく設定されうる。従って、１階居室エリアＡ１の居室４Ａ及び４Ｂが効率よく暖房されうる。このファン風量調節ステップＳ６５１〜Ｓ６５６及びＳ６５９の処理終了後、１階居室エリア調節ステップＳ６３１の一連の処理が終了する。
【０１４５】
次に、図１０に示されるように、積極運転ステップＳ６２３では、２階居室エリアＡ２の各居室４Ｃ、４Ｄへの暖空気の供給量、及び、２階ファン１０Ｂｂの風量が調節される（２階居室エリア調節ステップＳ６３２）。図１９及び図２０は、２階居室エリア調節ステップＳ６３２の処理手順を示すフローチャートである。２階居室エリア調節ステップＳ６３２では、図１１、図１２に示した１階居室エリア調節ステップＳ６３１と同一の処理手順によって実施される。なお、２階居室エリア調節ステップＳ６３２において実施される各判断処理（例えば、ステップＳ７４１、Ｓ７４３等）は、例えば、作業用メモリ３５に入力された値Ｗ１等に基づいて、演算部３３によって行われている。
【０１４６】
２階居室エリア調節ステップＳ６３２では、先ず、２階居室エリアＡ２に含まれる全ての居室（本実施形態では、２階の居室４Ｃ、４Ｄ）の前記値Ｗ１のうち、最も大きい最大値Ｗ３ｍが、予め定められた第４暖房閾値以下であるか否かが判断される（ステップＳ７４１）。第４暖房閾値は、１階居室エリア調節ステップＳ６３１と同様に、−１．５℃に設定されている。
【０１４７】
最大値Ｗ３ｍが第４暖房閾値（例えば、−１．５℃）以下である場合（ステップＳ７４１で、「Ｙ」）、２階居室エリアＡ２の全ての居室（本実施形態では、２階の居室４Ｃ、４Ｄ）の温度が大幅に低下しているため、２階居室エリアＡ２の各居室４Ｃ、４Ｄへの暖空気（混合空気）の供給量が最大に設定される（ステップＳ７４２）。この場合、２階居室エリアＡ２の各居室４Ｃ、４Ｄのダンパー２０ｃ、２０ｄ（図１に示す）は、最も大きい第５開度に設定される。ステップＳ７４２では、演算部３３が、ダンパー２０ａ、２０ｂを制御することによって行われる。
【０１４８】
他方、最大値Ｗ３ｍが第４暖房閾値（例えば、−１．５℃）よりも大きい場合（ステップＳ７４１で、「Ｎ」）、２階居室エリアＡ２の全ての居室４Ｃ、４Ｄの温度が、大きく低下していないため、２階居室エリアＡ２の各居室４Ｃ、４Ｄへの暖空気（混合空気）の供給量を個別に調節して、暖房するのが有効である。本実施形態では、１階居室エリア調節ステップＳ６３１と同様に、図１３〜図１７に示した第１居室供給量調節ステップ〜第４居室供給量調節ステップ又は第９居室供給量調節ステップの何れかが実施される。
【０１４９】
次に、２階居室エリア調節ステップＳ６３２では、２階居室エリアＡ２の各居室４Ｃ、４Ｄ（図１に示す）の前記値Ｗ１のうち、最も小さい最小値Ｗ３ｓが第５暖房閾値以下であるか否かが判断される（ステップＳ７４３）。本実施形態の第５暖房閾値は、１階居室エリア調節ステップＳ６３１と同様に、−３．０℃に設定されている。
【０１５０】
最小値Ｗ３ｓが第５暖房閾値（例えば、−３．０℃）以下である場合（ステップＳ７４３で、「Ｙ」）、２階居室エリアＡ２の各居室４Ｃ、４Ｄ（図１に示す）の前記値Ｗ１が広範囲に分布している可能性が高い。この場合、第１居室供給量調節ステップＳ７４４が実施される。他方、最小値Ｗ３ｓが第５暖房閾値（例えば、−３．０℃）よりも大きい場合（ステップＳ７４３で、「Ｎ」）、本ステップＳ７４３のみでは、各居室４Ｃ、４Ｄの前記値Ｗ１が広範囲に分布しているか否かが判断できないため、次のステップＳ７４５が実施される。
【０１５１】
第１居室供給量調節ステップＳ７４４は、１階居室エリア調節ステップＳ６３１の第１居室供給量調節ステップＳ６４４（図１３に示す）と同一の処理手順である。従って、前記値Ｗ１に基づいて、２階居室エリアＡ２の各居室４Ｃ及び４Ｄのダンパー２０の開度がそれぞれ調節されるため、各居室４Ｃ及び４Ｄへの暖空気（混合空気）の供給量が、個別に調節されうる。従って、各居室４Ｃ及び４Ｄが効率よく暖房されうる。
【０１５２】
図１９に示されるように、２階居室エリア調節ステップＳ６３２では、２階居室エリアＡ２の各居室４Ｃ、４Ｄ（図１に示す）の前記値Ｗ１のうち、最も大きい最大値Ｗ３ｍが第１暖房閾値未満であるか否かが判断される（ステップＳ７４５）。本実施形態の第１暖房閾値は、１階居室エリア調節ステップＳ６３１と同様に、例えば、＋０．５℃に設定されている。
【０１５３】
最大値Ｗ３ｍが第１暖房閾値（例えば、＋０．５℃）未満である場合（ステップＳ７４５で、「Ｙ」）、各居室４Ｃ、４Ｄの温度が、第１暖房閾値に対して不利側に偏って分布している（図１８において、「Ｃ１」）。この場合、第２居室供給量調節ステップＳ７４６が実施される。他方、最大値Ｗ３ｍが第１暖房閾値以上である場合（ステップＳ７４５で、「Ｎ」）、次のステップＳ７４７が実施される。
【０１５４】
第２居室供給量調節ステップＳ７４６は、１階居室エリア調節ステップＳ６３１の第２居室供給量調節ステップＳ６４６（図１４に示す）と同一の処理手順である。このため、第２居室供給量調節ステップＳ７４６での閾値は、第１居室供給量調節ステップＳ６４４（図１３に示す）の閾値とは異なり、第１暖房閾値（例えば、＋０．５℃）に対して不利側に偏って設定されているため、各居室４Ｃ及び４Ｄが効果的に暖房されうる。
【０１５５】
図１９に示されるように、２階居室エリア調節ステップＳ６３２では、２階居室エリアＡ２の各居室４Ｃ、４Ｄ（図１に示す）の前記値Ｗ１のうち、最も小さい最小値Ｗ３ｓが第１暖房閾値以上であるか否かが判断される（ステップＳ７４７）。上述したように、本実施形態の第１暖房閾値は、＋０．５℃に設定されている。
【０１５６】
最小値Ｗ３ｓが第１暖房閾値（例えば、＋０．５℃）以上である場合（ステップＳ７４７で、「Ｙ」）、各居室４Ｃ、４Ｄの温度が、第１暖房閾値に対して有利側に偏って分布している（図１８において、「Ｃ２」）。この場合、次のステップＳ７５７が実施される。他方、最小値Ｗ３ｓが第１暖房閾値未満である場合（ステップＳ７４７で、「Ｎ」）、次のステップＳ７４９（図２０に示す）が実施される。
【０１５７】
本実施形態のステップＳ７５７では、２階居室エリアＡ２の各居室４Ｃ、４Ｄ（図１に示す）の前記値Ｗ１のうち、最も小さい最小値Ｗ３ｓが第２暖房閾値未満であるか否かが判断される。本実施形態の第２暖房閾値は、１階居室エリア調節ステップＳ６３１と同様に、例えば、＋１．０℃に設定されている。
【０１５８】
本実施形態のステップＳ７５７において、最小値Ｗ３ｓが第２暖房閾値（例えば、＋１．０℃）未満であると判断された場合（ステップＳ７５７で、「Ｙ」）、各居室４Ｃ、４Ｄの温度が、第１暖房閾値（例えば、＋０．５℃）に対して、それほど有利側に偏って分布しているわけではない。この場合、第３居室供給量調節ステップＳ７４８が実施される。他方、最小値Ｗ３ｓが第２暖房閾値未満でないと判断された場合（ステップＳ７５７で、「Ｎ」）、各居室４Ｃ、４Ｄの温度が、第１暖房閾値に対して、有利側に偏って分布している。この場合、第９居室供給量調節ステップＳ７５８が実施される。
【０１５９】
第３居室供給量調節ステップＳ７４８は、１階居室エリア調節ステップＳ６３１の第３居室供給量調節ステップＳ６４８（図１５に示す）と同一の処理手順である。このため、第３居室供給量調節ステップＳ７４８での閾値は、第１暖房閾値（例えば、＋０．５℃）に対して有利側に偏って設定されている。また、第９居室供給量調節ステップＳ７５８は、１階居室エリア調節ステップＳ６３１の第９居室供給量調節ステップＳ６５８（図１６に示す）と同一の処理手順である。このため、第９居室供給量調節ステップＳ７５８での閾値は、第２暖房閾値（例えば、＋１．０℃）に対して有利側に偏って設定されている。従って、各居室４Ｃ及び４Ｄが効果的に暖房されうる。
【０１６０】
図２０に示されるように、２階居室エリア調節ステップＳ６３２では、２階居室エリアＡ２の各居室４Ｃ、４Ｄ（図１に示す）の前記値Ｗ１のうち、最も大きい最大値Ｗ３ｍが第６暖房閾値以上であるか否かが判断される（ステップＳ７４９）。本実施形態の第６暖房閾値は、１階居室エリア調節ステップＳ６３１と同様に、例えば、＋３．０℃に設定されている。
【０１６１】
最大値Ｗ３ｍが第６暖房閾値（例えば、＋３．０℃）以上である場合（ステップＳ７４９で、「Ｙ」）、１階居室エリアＡ１の各居室４Ａ、４Ｂの前記値Ｗ１が広範囲に分布している可能性が高い。この場合、図１３に示した第１居室供給量調節ステップが実施される（ステップＳ７４４）。他方、最大値Ｗ３ｍが第６暖房閾値（例えば、＋３．０℃）未満である場合（ステップＳ７４９で、「Ｎ」）、１階居室エリアＡ１の各居室４Ａ及び４Ｂの前記値Ｗ１が広範囲に分布している可能性が低い。この場合、第４居室供給量調節ステップＳ７５０が実施される。
【０１６２】
第４居室供給量調節ステップＳ７５０は、１階居室エリア調節ステップＳ６３１の第４居室供給量調節ステップＳ６５０（図１７に示す）と同一の処理手順である。第４居室供給量調節ステップＳ７５０は、第１居室供給量調節ステップＳ７４４に比べて、閾値の範囲が小に設定されている。このため、２階居室エリアＡ２の各居室４Ｃ、４Ｄ（図１に示す）の前記値Ｗ１が広範囲に分布していなくても、居室４Ｃ、４Ｄ毎に、ダンパー２０ｃ、２０ｄの開度が、より細やかにバランスよく調節されうる。
【０１６３】
図１９及び図２０に示されるように、本実施形態の２階居室エリア調節ステップＳ６３２では、図１に示した２階居室エリアＡ２のファン１０Ｂ（２階ファン１０Ｂｂ）の風量が調節される（ファン風量調節ステップＳ７５１〜Ｓ７５６及びＳ７５９）。ファン風量調節ステップＳ７５１〜Ｓ７５６及びＳ７５９では、２階居室エリアＡ２の各居室４Ｃ及び４Ｄの前記値Ｗ１に基づいて、２階ファン１０Ｂｂの風量が調節される。
【０１６４】
なお、ファン風量調節ステップＳ７５１〜Ｓ７５６及びＳ７５９は、図１１及び図１２に示した１階居室エリア調節ステップＳ６３１のファン風量調節ステップＳ６５１〜Ｓ６５６及びＳ６５９と同様の処理手順である。従って、これらのファン風量調節ステップＳ７５１〜Ｓ７５６及びＳ７５９は、演算部３３（図３に示す）がファン風量調節部４１ｂ（図４に示す）を実行することによって行われる。
【０１６５】
ステップＳ７４１において、２階居室エリアＡ２の前記値Ｗ１の最大値Ｗ３ｍが第４暖房閾値（例えば、−１．５℃）以下であると判断された場合（ステップＳ７４１で、「Ｙ」）、２階ファン１０Ｂｂの風量は、最も大きい第１風量（例えば、５５０m3／ｈ）に設定される（ファン風量調節ステップＳ７５１）。また、ステップＳ７４３において、２階居室エリアＡ２の最小値Ｗ３ｓが第５暖房閾値（例えば、−３．０℃）以下であると判断された場合（ステップＳ７４３で、「Ｙ」）も同様に、２階ファン１０Ｂｂの風量が、第１風量（例えば、５５０m3／ｈ）に設定される（ファン風量調節ステップＳ７５２）。これにより、低温の居室４Ｃ又は４Ｄを含む２階居室エリアＡ２に、暖空気を積極的に供給することができる。
【０１６６】
ステップＳ７４５において、２階居室エリアＡ２の最大値Ｗ３ｍが第１暖房閾値（例えば、＋０．５℃）未満であると判断された場合（ステップＳ７４５で、「Ｙ」）、第１暖房閾値に対して不利側に偏って分布している（図１８において、「Ｃ１」）。このため、２階ファン１０Ｂｂの風量は、最も大きい第１風量（例えば、５５０m3／ｈ）に設定される（ファン風量調節ステップＳ７５３）。これにより、各居室４Ｃ又は４Ｄに暖空気が積極的に供給されるため、各居室４Ｃ又は４Ｄが効率よく暖房されうる。
【０１６７】
ステップＳ７４７において、２階居室エリアＡ２の最小値Ｗ３ｓが第１暖房閾値（例えば、＋０．５℃）以上であると判断された場合（ステップＳ７４７で、「Ｙ」）、第１暖房閾値に対して有利側に偏って分布している（図１８において、「Ｃ２」）。このため、２階ファン１０Ｂｂの風量は、第１風量よりも小さい風量に設定される（ファン風量調節ステップＳ７５４及びＳ７５９）。これにより、各居室４Ｃ又は４Ｄに暖空気が必要以上に供給されるのを防ぐことができるため、各居室４Ｃ又は４Ｄが効率よく暖房されうる。
【０１６８】
本実施形態では、ステップＳ７５７において、２階居室エリアＡ２の最小値Ｗ３ｓが第２暖房閾値（例えば、＋１．０℃）未満と判断された場合（ステップＳ７５７で、「Ｙ」）、第２風量（例えば、２５０m3／ｈ）に設定される（ファン風量調節ステップＳ７５４）。他方、ステップＳ７５７において、最小値Ｗ３ｓが第２暖房閾値（例えば、＋１．０℃）以上と判断された場合（ステップＳ７５７で、「Ｎ」）、第４風量（例えば、１００m3／ｈ）に設定される（ファン風量調節ステップＳ７５９）。このように、本実施形態では、各居室に暖空気が必要以上に供給されるのを防ぐことができるため、各居室が効率よく暖房されうる。
【０１６９】
図１８に示されるように、最大値Ｗ３ｍが第１暖房閾値（例えば、＋０．５℃）よりも小である範囲Ｃ１と、最小値Ｗ３ｓが第１暖房閾値以上である範囲Ｃ２とでは、２階居室エリアＡ２に属する全ての居室４Ｃ及び４Ｄの温度が、各範囲Ｃ１及びＣ２の何れかに属している。このため、例えば、最大値Ｗ３ｍが第１暖房閾値よりも小である（即ち、全ての居室４Ｃ、４Ｄの温度が範囲Ｃ１に分布している）と判断（ステップＳ７４５）された後に、再び処理された２階居室エリア調節ステップＳ６３２において、最小値Ｗ３ｓが第１暖房閾値以上である（即ち、全ての居室４Ｃ、４Ｄの温度が範囲Ｃ２に分布している）と、短時間で判断（ステップＳ７４７）されるのを防ぐことができるため、第１風量と、第１風量よりも小さい第２風量又は第４風量とが、短時間で繰り返し設定されるのを防ぐことができる。
【０１７０】
図２０に示されるように、ステップＳ７４９において、２階居室エリアＡ２の最大値Ｗ３ｍが第６暖房閾値（例えば、＋３．０℃）以上であると判断された場合（ステップＳ７４９で、「Ｙ」）、ファン風量調節ステップＳ７５１〜Ｓ７５３ほど、２階ファン１０Ｂｂの風量を大きくする必要はないと判断されうる。このため、２階ファン１０Ｂｂの風量が、第２風量（例えば、２５０m3／ｈ）に設定される（ファン風量調節ステップＳ７５５）。
【０１７１】
ステップＳ７４９において、２階居室エリアＡ２の最大値Ｗ３ｍが第６暖房閾値（例えば、＋３．０℃）未満であると判断された場合（ステップＳ７４９で、「Ｎ」）、ファン風量調節ステップＳ７５１〜Ｓ７５３ほど、２階ファン１０Ｂｂの風量を大きくする必要はないが、ファン風量調節ステップＳ７５５よりも２階ファン１０Ｂｂの風量を大きくするのが有効である。このため、２階ファン１０Ｂｂの風量が、第３風量（例えば、４００m3／ｈ）に設定される（ファン風量調節ステップＳ７５６）。
【０１７２】
このように、ファン風量調節ステップＳ７５１〜Ｓ７５６及びＳ７５９では、２階居室エリアＡ２の最小値Ｗ３ｓが小さいほど、２階ファン１０Ｂｂの風量が大きく設定され、最大値Ｗ３ｍが大きいほど、２階ファン１０Ｂｂの風量が小さく設定されうる。従って、２階居室エリアＡ２の居室４Ｃ及び４Ｄが効率よく暖房されうる。このファン風量調節ステップＳ７５１〜Ｓ７５６及びＳ７５９の処理終了後、２階居室エリア調節ステップＳ６３２の一連の処理が終了する。
【０１７３】
本実施形態では、１階居室エリア調節ステップＳ６３１のファン風量調節ステップＳ６５１〜Ｓ６５６及びＳ６５９（図１１及び図１２に示す）、及び、２階居室エリア調節ステップＳ６３２のファン風量調節ステップＳ７５１〜Ｓ７５６及びＳ７５９（図１９及び図２０に示す）により、１日を通して室温に差が生じやすい居室エリアＡ１、Ａ２毎に、１階ファン１０Ｂａ又は２階ファン１０Ｂｂの風量がそれぞれ調節される。これにより、前記値Ｗ１が相対的に小さい低温の居室を含む居室エリアＡ１又はＡ２に、１階ファン１０Ｂａ又は２階ファン１０Ｂｂによって暖空気が積極的に供給されうるため、各居室４Ａ〜４Ｄが効率よく暖房されうる。
【０１７４】
次に、図１０に示されるように、積極運転ステップＳ６２３では、次の空気調和機１６の設定温度を調節する空調温度調節ステップＳ６３４及びＳ６３５に先立ち、前記各居室４Ａ乃至４Ｄの前記値Ｗ１のうち、最も小さい最小値Ｗ１ｓが第５暖房閾値（例えば、−３．０℃）以下、又は、最も大きい最大値Ｗ１ｍが第４暖房閾値（例えば、−１．５℃）以下であるか否かが判断される（ステップＳ６３３）。このステップＳ６３３では、空気調和機１６の設定温度を大幅に高める必要があるか否かが判断される。なお、ステップＳ６３３では、作業用メモリ３５に入力された最小値Ｗ１ｓ、第５暖房閾値及び第４暖房閾値に基づいて、演算部３３が判断している。
【０１７５】
最小値Ｗ１ｓが第５暖房閾値（例えば、−３．０℃）以下、又は、最大値Ｗ１ｍが第４暖房閾値（例えば、−１．５℃）以下である場合（ステップＳ６３３で、「Ｙ」）、少なくとも一つの居室（本実施形態では、居室４Ａ、４Ｂ、４Ｃ又は４Ｄ）の温度が大幅に低下している。この場合、空気調和機１６の設定温度が、目標温度（例えば、２０℃）と、第１加算温度との和に設定される（空調温度調節ステップＳ６３４）。第１加算温度については、適宜設定されうる。本実施形態の第１加算温度は、例えば、＋５℃に設定されている。
【０１７６】
他方、最小値Ｗ１ｓが第４暖房閾値（例えば、−３．０℃）より大、かつ、最大値Ｗ１ｍが第１暖房閾値（例えば、−１．５℃）よりも大である場合（ステップＳ６３３で、「Ｎ」）、全ての居室（本実施形態では、居室４Ａ乃至４Ｄ）の温度が大幅に低下しているわけではない。従って、ステップＳ６３４ほど、空気調和機１６の設定温度を高くする必要はないと判断されうる。この場合、空気調和機１６の設定温度は、目標温度（例えば、２０℃）と、第２加算温度との和に設定される（空調温度調節ステップＳ６３５）。第２加算温度については、第１加算温度よりも小であれば、適宜設定されうる。本実施形態の第２加算温度は、例えば、＋２℃に設定されている。
【０１７７】
このように、空調温度調節ステップＳ６３４及びＳ６３５は、最小値Ｗ１ｓ（及び最大値Ｗ１ｍ）が小さいほど、設定温度が高く調節されるため、各居室４Ａ乃至４Ｄが効果的に暖房されうる。なお、空調温度調節ステップＳ６３４及びＳ６３５は、演算部３３（図３に示す）が空調温度調節部４１ｄ（図４に示す）を実行することによって行われる。
【０１７８】
次に、本実施形態の積極運転ステップＳ６２３では、空気調和機１６の設定風量が調節される（ステップＳ６３６）。本実施形態のステップＳ６３６は、演算部３３（図３に示す）が空調風量調節部４１ｅ（図４に示す）を実行することによって行われる。
【０１７９】
本実施形態のステップＳ６３６では、各居室エリアＡ１、Ａ２に設けられたファン１０Ｂ（本実施形態では、１階ファン１０Ｂａ及び２階ファン１０Ｂｂ）の合計風量に基づいて、空気調和機１６の設定風量が調節される。本実施形態の空気調和機１６の設定風量Ｆｗは、下記式（１）で定義される。
Ｆｗ＝Ｔｆ−Ｖｆ…（１）
ここで、各変数は、次のとおりである。
Ｔｆ：ファンの合計風量
Ｖｆ：建築物Ｂに必要な換気風量
【０１８０】
上記式（１）おいて、本実施形態のファン１０Ｂの合計風量Ｔｆは、ファン風量調節ステップＳ６５１〜Ｓ６５６及びＳ６５９で設定された１階ファン１０Ｂａの風量と、ファン風量調節ステップＳ７５１〜Ｓ７５６及びＳ７５９で設定された２階ファン１０Ｂｂの風量との和である。
【０１８１】
空気調和機１６の設定風量Ｆｗは、ファン１０Ｂ（本実施形態では、１階ファン１０Ｂａ及び２階ファン１０Ｂｂ）の合計風量Ｔｆから建築物Ｂに必要な換気風量Ｖｆを差し引いた値である。そして、空気調和機１６の上記した風量（静音風量〜第４空調風量）のうち、設定風量Ｆｗに最も近似する風量が設定される。
【０１８２】
上記式（１）では、ファン１０Ｂ（本実施形態では、１階ファン１０Ｂａ及び２階ファン１０Ｂｂ）の合計風量Ｔｆが大きいほど、空気調和機１６の設定風量Ｆｗが大に設定される。これにより、空気調和機１６で暖められた暖空気が、各居室（本実施形態では、居室４Ａ乃至４Ｄ）に効果的に供給されうる。また、設定風量Ｆｗは、合計風量Ｔｆから建築物Ｂに必要な換気風量Ｖｆを差し引いた値が設定されるため、空気調和機１６で暖められた暖空気とともに、換気に必要な床下空気１７も、各居室（本実施形態では、居室４Ａ乃至４Ｄ）に供給されうる。本実施形態では、ステップＳ６３６の処理終了後、積極運転ステップＳ６２３及び暖房ステップＳ２３５（図９に示す）の一連の処理が終了する。
【０１８３】
図２１は、本実施形態の効率運転ステップＳ６２４の処理手順の一例を示すフローチャートである。上述したように、効率運転ステップＳ６２４は、空気調和機１６の効率的な運転が行われる。本実施形態の効率運転ステップＳ６２４の一連の処理は、演算部３３（図３に示す）が効率運転部４１ｇ（図４に示す）を実行することによって行われる。
【０１８４】
効率運転ステップＳ６２４では、先ず、現在の空気調和機１６の暖房能力が計算される（ステップＳ７８１）。本実施形態の暖房モードＳ２３において、空気調和機１６の暖房能力Ｅｗは、下記式（２）で求められる。
Ｅｗ＝（Ｔｂ−Ｔａ）×Ａｆ×Ｈｓ／１０００  …（２）
ここで、各定数及び変数については、次のとおりである。
Ｔｂ：空気調和機の排気部の温度（℃）
Ｔａ：空気調和機の吸気部の温度（℃）
Ａｆ：空気調和機の風量（m3／ｈ）
Ｈｓ：空気比熱（０．３５Wh／m3・℃）
【０１８５】
排気部１６ｂの温度Ｔｂは、排気温度検知手段２８（図２に示す）によって測定される。吸気部１６ａの温度Ｔａは、吸気温度検知手段２７（図２に示す）によって測定される。空気調和機１６の風量は、空気調和機１６の運転状況が伝達される信号によって取得されうる。
【０１８６】
図２２（ａ）は、ＣＯＰ（ Coefficient of Performance ）、顕熱負荷（ｋＷ）及び暖房消費電力（ｋＷ）、並びに、暖房能力（ｋＷ）の関係を示すグラフである。一般に、暖房能力Ｅｗが、２ｋＷ以上である場合、暖房効率が悪い状態である。このような場合、暖房能力Ｅｗが２ｋＷに近づくように、例えば、設定温度を低く調節、及び、設定風量を小さくして、空気調和機１６が運転されるのが望ましい。
【０１８７】
次に、効率運転ステップＳ６２４では、図２１に示されるように、現在の空気調和機１６の暖房効率が悪いか否かが判断される（ステップＳ７８２）。本実施形態では、現在の暖房能力Ｅｗが２ｋＷ以上である場合に、暖房効率が悪いと判断される。このように、暖房効率が悪いと判断された場合、空気調和機１６の効率的な運転が行われる。
【０１８８】
現在の空気調和機１６の暖房効率が悪い（暖房能力Ｅｗが２ｋＷ以上）と判断された場合（ステップＳ７８２で、「Ｙ」）、空気調和機１６の効率的な運転を行わせるに先立ち、次のステップＳ７８３が実施される。他方、現在の空気調和機１６の暖房効率が悪くない（暖房能力Ｅｗが２ｋＷ未満）と判断された場合（ステップＳ７８２で、「Ｎ」）、既に、空気調和機１６の効率的な運転が行われている。
【０１８９】
このため、現在の空気調和機１６の運転状態（設定温度、及び、設定風量）、並びに、ファン１０Ｂの風量が維持されたまま、効率運転ステップＳ６２４及び暖房ステップＳ２３５（図９に示す）の一連の処理が終了する。
【０１９０】
ステップＳ７８３では、空気調和機１６の設定温度が、目標温度（例えば、２０℃）よりも大きいか否かが判断される。空気調和機１６の設定温度が、目標温度よりも大きい場合（ステップＳ７８３で、「Ｙ」）、その設定温度をやや小さくしても、各居室４Ａ乃至４Ｄが目標温度に暖房されうる。このような場合、ダンパー２０ａ〜２０ｄの開度が維持されたまま（ステップＳ７８４）、ファン１０Ｂ（１階ファン１０Ｂａ及び２階ファン１０Ｂｂ）の風量が第３風量（例えば、４００m3／ｈ）に設定され（ステップＳ７８５）、さらに、空気調和機１６の設定温度が低く調節される（ステップＳ７８６）。なお、空気調和機１６の設定温度の低下分は、適宜設定される。本実施形態の減少分は、例えば、−１．０℃に設定される。
【０１９１】
さらに、空気調和機１６の設定風量は、上記式（１）で定義される設定風量Ｆｗに基づいて、第３空調風量（例えば、６２５m3／ｈ）に設定される（ステップＳ７８７）。これにより、効率運転ステップＳ６２４では、空気調和機１６の設定温度を低くしても、各居室４Ａ乃至４Ｄが効率よく暖房されるため、暖房効率を高めることができる。
【０１９２】
また、空気調和機１６の設定温度が、目標温度以下である場合（ステップＳ７８３で、「Ｎ」）、設定温度をこれ以上低くすると、各居室４Ａ、４Ｂ、４Ｃ又は４Ｄを目標温度に維持できないおそれがある。このような場合、ダンパー２０ａ〜２０ｄの開度が維持されたまま（ステップＳ７８８）、ファン１０Ｂ（１階ファン１０Ｂａ及び２階ファン１０Ｂｂ）の風量が第４風量（例えば１００m3／ｈ）に設定され（ステップＳ７８９）、さらに、空気調和機１６の設定温度が目標温度に維持される（ステップＳ７９０）。
【０１９３】
さらに、空気調和機１６の設定風量は、上記式（１）で定義される設定風量Ｆｗに基づいて、静音風量（例えば、３２５m3／ｈ）に設定される（ステップＳ７９１）。これにより、効率運転ステップＳ６２４では、空気調和機１６の暖房効率の悪化を防ぎつつ、各居室４Ａ乃至４Ｄが効率よく暖房されうる。
【０１９４】
次に、効率運転ステップＳ６２４では、ステップＳ７８４〜Ｓ７９１で設定された空気調和機１６の設定温度、設定風量、及び、ファン１０Ｂ（１階ファン１０Ｂａ及び２階ファン１０Ｂｂ）の風量が維持された状態で、空気調和機１６及びファン１０Ｂの運転が残置される（ステップＳ７９２）。これにより、空気調和機１６の暖房効率の悪化を防ぎつつ、各居室４Ａ乃至４Ｄが効率よく暖房されうる。なお、残置される時間については、適宜設定されうる。本実施形態では、効率運転ステップＳ６２４で設定された空気調和機１６の設定温度、設定風量、及び、ファン１０Ｂの風量により、各居室４Ａ、４Ｂ、４Ｃ又は４Ｄが効率よく暖房させることを考慮して、例えば、５分程度に設定されるのが望ましい。このステップＳ７９２の処理終了後、効率運転ステップＳ６２４及び暖房ステップＳ２３５（図９に示す）の一連の処理が終了する。
【０１９５】
次に、図７に示されるように、暖房モードＳ２３では、暖房モードＳ２３が開始されてから予め定められた終了時間が経過したか否かが判断される（ステップＳ２３６）。ステップＳ２３６では、作業用メモリ３５に入力された暖房モードＳ２３の開始時間、及び、終了時間に基づいて、演算部３３が判断している。終了時間については、適宜設定されうる。本実施形態では、暖房モードＳ２３で設定された空気調和機１６の設定温度、設定風量、及び、ファン１０Ｂの風量により、各居室４Ａ、４Ｂ、４Ｃ又は４Ｄが効果的に暖房させることを考慮して、例えば、例えば、３０分程度に設定されるのが望ましい。
【０１９６】
ステップＳ２３６において、終了時間が経過したと判断された場合（ステップＳ２３６で、「Ｙ」）、暖房モードＳ２３の一連の処理が終了する。他方、終了時間が経過していないと判断された場合（ステップＳ２３６で、「Ｎ」）、ステップＳ２３０〜Ｓ２３６が再度実施される。これにより、暖房モードＳ２３では、時々刻々と変化する各居室４Ａ乃至４Ｄの温度に基づいて、ダンパー２０の開度、空気調和機１６の設定温度、設定風量、及び、ファン１０Ｂ（１階ファン１０Ｂａ及び２階ファン１０Ｂｂ）の風量が調節されるため、各居室４Ａ乃至４Ｄが効果的に暖房されうる。
【０１９７】
次に、図６に示されるように、パッシブ暖房モードＳ２４では、床下空気１７（図１に示す）が各居室４Ａ乃至４Ｄに供給されることにより、居室４Ａ乃至４Ｄがそれぞれ換気されながら空調される。図２３は、パッシブ暖房モードＳ２４の処理手順の一例を示すフローチャートである。パッシブ暖房モードＳ２４の一連の処理は、演算部３３（図３に示す）がパッシブ暖房部４１ｈ（図４に示す）を実行することによって行われる。
【０１９８】
パッシブ暖房モードＳ２４では、先ず、図１及び図３に示されるように、各居室４Ａ乃至４Ｄの温度が検知される（ステップＳ２４１）。各居室４Ａ乃至４Ｄの温度は、居室温度検知手段２５によってそれぞれ検知される。各居室４Ａ乃至４Ｄの温度は、制御手段２６に伝達される。
【０１９９】
次に、パッシブ暖房モードＳ２４では、外気の温度が検知される（ステップＳ２４２）。外気の温度は、外気温度検知手段２４によって検知される。外気の温度は、制御手段２６に伝達される。
【０２００】
次に、パッシブ暖房モードＳ２４では、床下空気１７の温度が検知される（ステップＳ２４３）。床下空気１７の温度は、床下温度検知手段２３によって検知される。床下空気１７の温度は、制御手段２６に伝達される。
【０２０１】
次に、パッシブ暖房モードＳ２４では、各居室４Ａ乃至４Ｄの温度が、空気調和機１６による暖房運転が必要とされる温度よりも高いか否かが判断される（ステップＳ２４４）。なお、「空気調和機１６による暖房運転が必要とされる温度」については、例えば、建築物Ｂの構造や、床下空気１７による暖房能力（温度）等に応じて、適宜設定されうる。本実施形態では、例えば、１５℃程度に設定されている。
【０２０２】
各居室４Ａ乃至４Ｄの温度が、空気調和機１６による暖房運転が必要とされる温度（例えば、１５℃）よりも高い場合（ステップＳ２４４で、「Ｙ」）、床下空気１７を利用して暖房（空調）可能と判断されうる。このような場合、次のステップＳ２４５が実施される。他方、各居室４Ａ乃至４Ｄの温度が、空気調和機１６による暖房運転が必要とされる温度（例えば、１５℃）以下である場合（ステップＳ２４４で。「Ｎ」）、床下空気１７を利用しても、各居室４Ａ乃至４Ｄを十分に暖房できないと判断されうる。このような場合、パッシブ暖房モードＳ２４が中断され、前記暖房モードＳ２３（図６及び図７に示す）が実施される。
【０２０３】
次に、パッシブ暖房モードＳ２４では、外気の温度が、予め定められた温度以上であるか否かが判断される（ステップＳ２４５）。外気の「予め定められた温度」については、例えば、建築物Ｂの構造や、床下空気１７による暖房能力（温度）等に応じて、適宜設定されうる。本実施形態では、例えば、１０℃に設定されている。
【０２０４】
外気の温度が、予め定められた温度（例えば、１０℃）以上である場合（ステップＳ２４５で、「Ｙ」）、外気による居室４Ａ乃至４Ｄの温度低下の影響が小さいため、床下空気１７を利用して、各居室４Ａ乃至４Ｄを暖房（空調）できると判断されうる。このような場合、次のステップＳ２４６が実施される。他方、外気の温度が、予め定められた温度（例えば、１０℃）未満である場合（ステップＳ２４５で、「Ｎ」）、床下空気１７を利用しても、各居室４Ａ乃至４Ｄを十分に暖房できないと判断されうる。このような場合、パッシブ暖房モードＳ２４が中断され、前記暖房モードＳ２３（図６及び図７に示す）が実施される。
【０２０５】
次に、パッシブ暖房モードＳ２４では、床下空気１７の温度が、予め定められた温度以上であるか否かが判断される（ステップＳ２４６）。床下空気１７の「予め定められた温度」については、例えば、建築物Ｂの構造等に応じて、適宜設定されうる。本実施形態では、例えば、１８℃に設定されている。
【０２０６】
床下空気１７の温度が、予め定められた温度（例えば、１８℃）以上である場合（ステップＳ２４６で、「Ｙ」）、比較的温度が高い床下空気１７を利用して、各居室４Ａ乃至４Ｄを暖房（空調）できると判断されうる。このような場合、次の第１供給ステップＳ２４７が実施される。他方、床下空気１７の温度が、予め定められた温度（例えば、１８℃）未満である場合（ステップＳ２４６で、「Ｎ」）、床下空気１７を利用しても、各居室４Ａ乃至４Ｄを効果的に暖房できないと判断されうる。このような場合、パッシブ暖房モードＳ２４が中断され、暖房モードＳ２３（図６及び図７に示す）が実施される。
【０２０７】
次に、パッシブ暖房モードＳ２４では、床下空気１７が、各居室４Ａ乃至４Ｄに供給される（第１供給ステップＳ２４７）。第１供給ステップＳ２４７は、ステップＳ２４４〜Ｓ２４６の判断により、各居室４Ａ乃至４Ｄの温度が、空気調和機１６による暖房運転が必要とされる温度よりも高く、外気の温度が予め定められた温度以上であり、しかも、床下空気１７の温度が、予め定められた温度以上であると判断された場合にのみ実施される。従って、第１供給ステップＳ２４７では、各居室４Ａ乃至４Ｄの温度、外気の温度、及び、床下空気１７の温度が比較的高いため、空気調和機１６を使用しなくても、床下空気１７を利用して、各居室４Ａ乃至４Ｄが効果的に暖房（空調）されうる。従って、空気調和機１６による空調コストの増大を防ぐことができる。図２４は、第１供給ステップＳ２４７の処理手順の一例を示すフローチャートである。
【０２０８】
図１、図２及び図２４に示されるように、本実施形態の第１供給ステップＳ２４７では、先ず、換気手段１０のファン１０Ｂ（１階ファン１０Ｂａ及び２階ファン１０Ｂｂ）の風量（床下空気１７の総供給量）が設定される（ステップＳ７１１）。本実施形態の１階ファン１０Ｂａ及び２階ファン１０Ｂｂの風量は、例えば、冬季の自然換気量を考慮して、比較的小さい第２風量（２５０m3／ｈ）にそれぞれ設定されている。これにより、チャンバーボックス９の第１空間９Ａの空気は、排気口１４からダクト１０Ａ、空気浄化装置１０Ｃを経由して清浄化された後、ダンパー２０（２０ａ〜２０ｄ）を介して、各居室４Ａ乃至４Ｄに供給されうる。
【０２０９】
次に、第１供給ステップＳ２４７では、各居室４Ａ乃至４Ｄの温度と予め定められた目標温度との差Ｖａが求められる（ステップＳ７１２）。本実施形態の目標温度は、ヒートショックを未然に防ぐ観点より、例えば、２０℃に設定されるのが望ましい。また、目標温度は、居室４Ａ乃至４Ｄ毎に設定されてもよい。目標温度は、記憶部３４に予め記憶されている。
【０２１０】
差Ｖａは、居室４Ａ乃至４Ｄ毎に求められる。本実施形態の差Ｖａは、暖房モードＳ２３の値Ｗ１と同様に、各居室４Ａ乃至４Ｄの温度から目標温度を差し引いた値として求められる。この値（差Ｖａ）が大きいほど、各居室４Ａ乃至４Ｄの温度が大きいことを示している。
【０２１１】
本実施形態では、ステップＳ２４６（図２３に示す）で判断された床下空気１７の温度（１８℃）が、目標温度（２０℃）よりも小に設定されている。このため、床下空気１７を利用しても、各居室４Ａ乃至４Ｄを目標温度まで暖めることができないとも考えられる。しかしながら、本実施形態の各居室４Ａ乃至４Ｄは、家電製品や、居住者等による内部発熱を有するため、目標温度よりもやや小さい床下空気１７が利用されたとしても、各居室４Ａ乃至４Ｄを目標温度まで十分に暖めうる。このように、床下空気１７の温度が、目標温度よりも小であっても、空気調和機１６を使用しないパッシブ暖房モードＳ２４が実施されるため、空調コストが抑制されうる。
【０２１２】
次に、第１供給ステップＳ２４７では、各居室４Ａ乃至４Ｄの前記差Ｖａに基づいて、各居室４Ａ乃至４Ｄのダンパー２０（２０ａ〜２０ｄ）の開度が調節される（ステップＳ７１３〜ステップＳ７１９）。本実施形態では、前記差Ｖａが小さい居室４Ａ、４Ｂ、４Ｃ又は４Ｄほど、ダンパー２０の開度（床下空気１７の供給量）が大に設定されている。これにより、温度が低い居室４Ａ乃至４Ｄほど、より多くの暖かい床下空気１７が供給されるため、各居室４Ａ乃至４Ｄが効率よく暖房されうる。
【０２１３】
例えば、前記差Ｖａが＋１．５℃よりも大きい居室４Ａ、４Ｂ、４Ｃ又は４Ｄのダンパー２０（２０ａ〜２０ｄ）は、最も小さい第１開度が設定される（ステップＳ７１４）。前記差Ｖａが＋１．５℃（以下）〜＋０．５℃（よりも大）である居室４Ａ、４Ｂ、４Ｃ又は４Ｄのダンパー２０は、第１開度よりも大きい第２開度に設定される（ステップＳ７１５）。前記差Ｖａが＋０．５℃（以下）〜−０．５℃（よりも大）である居室４Ａ、４Ｂ、４Ｃ又は４Ｄのダンパー２０は、第２開度よりも大きい第３開度に設定される（ステップＳ７１６）。
【０２１４】
さらに、前記差Ｖａが−０．５℃（以下）〜−１．５℃（以上）である居室４Ａ、４Ｂ、４Ｃ又は４Ｄのダンパー２０（２０ａ〜２０ｄ）は、第３開度よりも大きい第４開度に設定される（ステップＳ７１７）。前記差Ｖａが−１．５℃未満である居室４Ａ、４Ｂ、４Ｃ又は４Ｄのダンパー２０は、第４開度よりも大きい第５開度に設定される（ステップＳ７１８）。
【０２１５】
そして、全ての居室４Ａ乃至４Ｄのダンパー２０（２０ａ〜２０ｄ）の開度が調節されたか否かが判断される（ステップＳ７１９）。全ての居室４Ａ乃至４Ｄのダンパー２０の開度が調節されたと判断された場合（ステップＳ７１９で、「Ｙ」）、次のステップＳ２４８（図２３に示す）が実施される。他方、全ての居室４Ａ乃至４Ｄのダンパー２０の開度が調節されていないと判断された場合（ステップＳ７１９で、「Ｎ」）、開度が調節されていない居室４Ａ、４Ｂ、４Ｃ又は４Ｄのダンパー２０が選択され（ステップＳ７２０）、ステップＳ７１３〜Ｓ７１９が再度実施される。これにより、前記差Ｖａに基づいて、全ての居室４Ａ乃至４Ｄのダンパー２０の開度がそれぞれ調節されうる。従って、各居室４Ａ乃至４Ｄへの床下空気１７の供給量が、個別に調節されうる。
【０２１６】
なお、ダンパー２０（２０ａ〜２０ｄ）の各開度を区分した前記差Ｖａの各閾値（本実施形態では、「＋１．５℃」、「＋０．５℃」、「−０．５℃」、「−１．５℃」）については、例えば、換気手段１０のファン１０Ｂ（１階ファン１０Ｂａ及び２階ファン１０Ｂｂ）の風量に応じて、適宜変更されうる。また、本実施形態の前記差Ｖａは、各居室４Ａ乃至４Ｄの温度から目標温度を差し引いた値として求められる態様が例示されたが、これに限定されない。例えば、前記差Ｖａは、目標温度から各居室４Ａ乃至４Ｄの温度を差し引いた値として求められてもよい。この場合、前記差Ｖａが大きいほど、ダンパー２０の開度（床下空気１７の供給量）が大に設定されるのが望ましい。
【０２１７】
次に、図１及び図２３に示されるように、パッシブ暖房モードＳ２４では、第１供給ステップＳ２４７の開始から予め定められた時間が経過するまで、各居室４Ａ乃至４Ｄへの床下空気１７の供給が残置される（ステップＳ２４８）。このような残置により、第１供給ステップＳ２４７で設定された各居室４Ａ乃至４Ｄのダンパー２０（２０ａ〜２０ｄ）の開度に基づいて、床下空気１７が一定時間供給されるため、各居室４Ａ乃至４Ｄが効果的に暖房されうる。残置される時間については、適宜設定されうる。本実施形態では、換気手段１０のファン１０Ｂ（１階ファン１０Ｂａ及び２階ファン１０Ｂｂ）の風量や、各居室４Ａ乃至４Ｄへの床下空気１７の供給量等を考慮して、例えば、２０分〜３０分程度に設定されている。
【０２１８】
次に、パッシブ暖房モードＳ２４では、各居室４Ａ乃至４Ｄの温度が、予め定められた温度以上か否かが判断される（ステップＳ２４９）。各居室４Ａ乃至４Ｄの「予め定められた温度」については、適宜設定されうる。本実施形態では、例えば、第１供給ステップＳ２４７で設定された目標温度（例えば、２０℃）と、ステップＳ２４６で判断された床下空気１７の温度（１８℃）との間の温度（１９℃）に設定される。これにより、床下空気１７を利用して、各居室４Ａ乃至４Ｄの温度が目標温度に向かって、上昇しているか否かが判断されうる。
【０２１９】
ステップＳ２４９において、各居室４Ａ乃至４Ｄの温度が前記温度（１９℃）以上である場合（ステップＳ２４９で、「Ｙ」）、床下空気１７を利用して、各居室４Ａ乃至４Ｄが効果的に暖房されていると判断されうる。このような場合、次のステップＳ２５０が実施される。他方、各居室４Ａ乃至４Ｄの温度が前記温度未満（即ち、少なくとも一つの居室４Ａ乃至４Ｄの温度が前記温度未満）である場合（ステップＳ２４９で、「Ｎ」）、床下空気１７を利用しても、各居室４Ａ乃至４Ｄを効果的に暖房できないと判断されうる。この場合、パッシブ暖房モードＳ２４が中断され、暖房モードＳ２３（図６及び図７に示す）が実施される。このように、本実施形態では、各居室４Ａ乃至４Ｄに床下空気１７が一定時間供給されても、各居室４Ａ乃至４Ｄが十分に暖房されないと判断された場合に、パッシブ暖房モードＳ２４が中断され、暖房モードＳ２３が迅速に実施される。従って、各居室４Ａ乃至４Ｄが確実に暖房されうる。
【０２２０】
次に、パッシブ暖房モードＳ２４では、ステップＳ２４１〜ステップＳ２４９を経た現在において、第１期間（冬季パッシブ期間）か否かが判断される（ステップＳ２５０）。現在が第１期間であると判断された場合（ステップＳ２５０で、「Ｙ」）、ステップＳ２４１〜Ｓ２５０が再度実施される。これにより、第１期間（冬季パッシブ期間）では、空気調和機１６を使用しなくても、自然エネルギーのみを利用して、各居室４Ａ乃至４Ｄが継続して暖房（空調）されうるため、空調コストの増大が防がれうる。
【０２２１】
他方、現在が第１期間（冬季パッシブ期間）外であると判断された場合（ステップＳ２５０で、「Ｎ」）、パッシブ暖房モードＳ２４の一連の処理が終了する。
【０２２２】
本実施形態のパッシブ暖房モードＳ２４では、換気手段１０の１階ファン１０Ｂａ及び２階ファン１０Ｂｂに同一風量が設定される態様が示されたが、これに限定されるわけではない。例えば、暖房モードＳ２３と同様に、各居室４Ａ乃至４Ｄの前記差Ｖａに基づいて、各居室エリアＡ１、Ａ２毎に、１階ファン１０Ｂａ及び２階ファン１０Ｂｂの風量が調節されてもよい。
【０２２３】
図５に示されるように、上述した換気モードＳ２２、暖房モードＳ２３、及び、パッシブ暖房モードＳ２４の一連の処理が終了することにより、次のステップＳ４が実施される。これにより、冬季空調ステップＳ２では、現在が属する期間に応じて、各居室４Ａ乃至４Ｄが、効率よく暖房（空調）されうる。
【０２２４】
図２５は、本実施形態の夏季空調ステップＳ３の処理手順の一例を示すフローチャートである。図１及び図２５に示されるように、夏季空調ステップＳ３では、空気調和機１６による冷房が不要な中間期間、空気調和機１６による冷房が必要な冷房期間、及び、中間期間と冷房期間との間の第２期間（以下、単に「夏季パッシブ期間」ということがある。）で、異なる処理手順が実施される。各期間は、例えば、次のとおりである。なお、中間期間、冷房期間、及び、第２期間（夏季パッシブ期間）は、例示した期間に限定されるわけではなく、例えば、建築物Ｂが竣工された地域の気候に応じて、適宜変更されうる。
中間期間：４月２８日〜６月１６日、９月２３日〜１０月２５日
冷房期間：８月１日〜８月２１日
第２期間（夏季パッシブ期間）：６月１７日〜７月３１日、８月２２日〜９月２２日
【０２２５】
夏季空調ステップＳ３では、先ず、現在が中間期間、冷房期間、又は、第２期間（夏季季パッシブ期間）の何れに属するかが判断される（ステップＳ３１）。これらの判断は、演算部３３（図３に示す）が期間判断部４１ｆ（図４に示す）を実行することによって行われる。現在が、中間期間に含まれると判断された場合、換気モードＳ３２が実施される。また、現在が、冷房期間に含まれると判断された場合、冷房モードＳ３３が実施される。さらに、現在が、第２期間（夏季パッシブ期間）に含まれると判断された場合、パッシブ冷房モードＳ３４が実施される。
【０２２６】
換気モードＳ３２では、冬季空調ステップＳ２の換気モードＳ２２（図６に示す）と同様に、第１空間９Ａと第２空間９Ｂとが遮断される。このように、第１空間９Ａと第２空間９Ｂとが遮断されることにより、空気調和機１６のフィルターの自動清掃等のメンテナンス時に排出される熱等によって、各居室４Ａ乃至４Ｄに供給される床下空気１７が暖められるのを防ぐことができる。さらに、換気手段１０のファン１０Ｂ（本実施形態では、１階ファン１０Ｂａ及び２階ファン１０Ｂｂ）が運転される。これにより、チャンバーボックス９、換気手段１０及びダンパー２０（２０ａ〜２０ｄ）を介して、床下空気１７が各居室４Ａ乃至４Ｄに供給される。また、居室４Ａ乃至４Ｄの空気は、排気用のファン（図示省略）等によって屋外へ排出される。これにより、各居室４Ａ乃至４Ｄは、清浄化された外気によって換気される。
【０２２７】
また、これらの換気モードＳ３２の一連の処理は、演算部３３（図３に示す）が換気部４１ｊ（図４に示す）を実行することによって行われる。また、１階ファン１０Ｂａ及び２階ファン１０Ｂｂの風量は、第４風量（例えば、１００m3／ｈ）に設定されている。各居室４Ａ、４Ｂ、４Ｃ又は４Ｄのダンパー２０は、第１開度〜第５開度から適宜選択される。
【０２２８】
次に、冷房モードＳ３３では、空気調和機１６で冷却された冷空気が、各居室４Ａ乃至４Ｄに供給される。図２６は、冷房モードＳ３３の処理手順の一例を示すフローチャートである。
【０２２９】
冷房モードＳ３３では、先ず、各居室４Ａ〜４Ｄの目標温度が設定される（ステップＳ３３０）。ステップＳ３３０では、図４に示した目標温度設定部４１ａが演算部３３によって実行される。
【０２３０】
目標温度は、空気調和機１６による冷房により、各居室４Ａ乃至４Ｄで維持したい温度である。目標温度は、適宜設定されうる。本実施形態の目標温度は、屋内熱中症を未然に防ぐ観点より、例えば、２６℃〜２９℃（本実施形態では、２８℃）に設定されるのが望ましい。本実施形態の目標温度は、居室４Ａ乃至４Ｄ毎にそれぞれ設定されてもよいし、同一でもよい。目標温度は、作業用メモリ３５に入力される。
【０２３１】
次に、冷房モードＳ３３では、図１及び図３に示されるように、各居室４Ａ乃至４Ｄの温度が検知される（ステップＳ３３１）。各居室４Ａ乃至４Ｄの温度は、居室温度検知手段２５（２５ａ〜２５ｄ）によってそれぞれ検知される。各居室４Ａ乃至４Ｄの温度は、制御手段２６に伝達され、作業用メモリ３５に入力される。
【０２３２】
次に、冷房モードＳ３３では、各居室４Ａ乃至４Ｄの温度から予め定められた目標温度を差し引いた値Ｗ５がそれぞれ求められる（ステップＳ３３２）。ステップＳ３３２では、作業用メモリ３５に入力された目標温度、及び、各居室４Ａ乃至４Ｄの温度に基づいて、演算部３３よって実行される。値Ｗ５は、居室４Ａ乃至４Ｄ毎に求められる。この値Ｗ５が小さいほど、各居室４Ａ乃至４Ｄの温度が小さいことを示している。値Ｗ５は、作業用メモリ３５に入力される。
【０２３３】
次に、冷房モードＳ３３では、全ての居室４Ａ乃至４Ｄの前記値Ｗ５が、予め定められた第２冷房閾値以下であるか否かが判断される（ステップＳ３３３）。本実施形態のステップＳ３３３では、作業用メモリ３５に入力された値Ｗ５、及び、第２冷房閾値に基づいて、演算部３３が判断している。第２冷房閾値は、例えば、記憶部３４に予め入力されている。
【０２３４】
ステップＳ３３３では、空気調和機１６による空調（冷房）が、必要か否かが判断される。従って、第２冷房閾値は、０℃以下に設定されるのが望ましい。本実施形態の第２冷房閾値は、例えば、０℃よりも小さい−１．０℃に設定されている。
【０２３５】
全ての居室４Ａ乃至４Ｄの前記値Ｗ５が、予め定められた第２冷房閾値（例えば、−１．０℃）以下であると判断された場合（ステップＳ３３３で、「Ｙ」）、全ての居室４Ａ乃至４Ｄの温度は、目標温度（例えば、２８℃）以下であり、十分に冷却されている。従って、空気調和機１６による空調（冷房）が不要であると判断されうる。このような場合、次の空調停止ステップＳ３３４が実行される。なお、空調停止ステップＳ３３４の処理手順は、図８に示した暖房モードＳ２３の空調停止ステップＳ２３４の処理手順と同一であり、演算部３３（図３に示す）が停止部４１ｋ（図４に示す）を実行することによって行われる。
【０２３６】
他方、全ての居室４Ａ乃至４Ｄの前記値Ｗ５が、予め定められた第２冷房閾値（例えば、−１．０℃）以下でないと判断された場合（ステップＳ３３３で、「Ｎ」）、居室４Ａ乃至４Ｄのうち、少なくとも一つの居室が十分に冷却されていない可能性が高いため、空気調和機１６による空調（冷房）が必要であると判断されうる。このような場合、空気調和機１６で冷却された冷空気を、各居室４Ａ乃至４Ｄに供給する冷房ステップＳ３３５が実行される。本実施形態では、第２冷房閾値が、−１．０℃に設定されるため、各居室４Ａ乃至４Ｄが必要以上に冷房されるのを防ぐことができ、ひいては、空気調和機１６の省エネルギー運転を図ることができる。
【０２３７】
図２７は、冷房ステップＳ３３５の処理手順の一例を示すフローチャートである。冷房ステップＳ３３５では、先ず、空気調和機１６による冷房が開始される（ステップＳ８２１）。ステップＳ８２１では、演算部３３が、空気調和機１６、１階ファン１０Ｂａ及び２階ファン１０Ｂｂを制御することによって行われる。
【０２３８】
本実施形態のステップＳ８２１では、先ず、空気調和機１６が冷房運転される。さらに、換気手段１０の１階ファン１０Ｂａ及び２階ファン１０Ｂｂが運転される。これにより、第１空間９Ａにおいて、床下空間３の空気と、空気調和機１６で冷却された冷空気とが混合される。そして、この混合空気（冷空気＋床下空気）が換気手段１０によって各居室４Ａ乃至４Ｄに供給される。これにより、換気を行いながら、空気調和機１６による冷房（空調）が実現されうる。なお、空気調和機１６による冷房が既に開始されている場合、ステップＳ８２１は省略される。
【０２３９】
次に、冷房ステップＳ３３５では、全ての居室４Ａ乃至４Ｄの前記値Ｗ５が、第１冷房閾値以上、かつ、第３冷房閾値以下であるか否かが判断される（ステップＳ８２２）。ステップＳ８２２では、例えば、記憶部３４に入力されている値Ｗ５、第１冷房閾値及び第３冷房閾値に基づいて、演算部３３が判断している。
【０２４０】
ステップＳ８２２では、空気調和機１６のより積極的な運転が、必要か否かが判断される。従って、第３冷房閾値は、０℃より大に設定されるのが望ましい。本実施形態の第３冷房閾値は、例えば、＋０．５℃に設定されている。
【０２４１】
空気調和機１６（図１に示す）のよる積極的な運転は、各居室４Ａ乃至４Ｄの値Ｗ５が広範囲に分布している場合に実施されるのが望ましい。このため、第１冷房閾値は、冷房ステップＳ３３５の実施を判断するステップＳ３３３で用いられた第２冷房閾値（例えば、−１．０℃）よりも大に設定されるのが望ましい。本実施形態の第１冷房閾値は、例えば、−０．５℃に設定されている。
【０２４２】
ステップＳ８２２において、全ての居室４Ａ乃至４Ｄの前記値Ｗ５が、第１冷房閾値（例えば、−０．５℃）以上、かつ、第３冷房閾値（例えば、＋０．５℃）以下でない場合（ステップＳ８２２で、Ｎ）、各居室４Ａ乃至４Ｄの値Ｗ５が広範囲に分布している可能性がある。このため、積極運転ステップＳ８２３が実施される。他方、全ての居室４Ａ乃至４Ｄの前記値Ｗ５が、第１冷房閾値（例えば、−０．５℃）以上、かつ、第３冷房閾値（例えば、＋０．５℃）以下である場合（ステップＳ８２２で、Ｙ）、各居室４Ａ乃至４Ｄが比較的冷えており、かつ、各居室４Ａ乃至４Ｄの値Ｗ５が広範囲に分布していない。このため、空気調和機１６の効率的な運転が行われる効率運転ステップＳ８２４が実施される。
【０２４３】
このように、冷房ステップＳ３３５では、各居室４Ａ乃至４Ｄの値Ｗ５が広範囲に分布している場合に、積極運転ステップＳ８２３が実施されるため、各居室４Ａ乃至４Ｄを効果的に冷房しうる。
【０２４４】
本実施形態の積極運転ステップＳ８２３では、居室エリアＡ（本実施形態では、１階居室エリアＡ１及び２階居室エリアＡ２）毎に、各居室４Ａ乃至４Ｄへの冷空気の供給量、及び、ファン１０Ｂ（本実施形態では、１階ファン１０Ｂａ及び２階ファン１０Ｂｂ）の風量が調節される。図２８は、本実施形態の積極運転ステップＳ８２３の処理手順の一例を示すフローチャートである。
【０２４５】
本実施形態の積極運転ステップＳ８２３では、先ず、１階居室エリアＡ１の各居室４Ａ、４Ｂへの冷空気の供給量、及び、１階ファン１０Ｂａの風量が調節される（１階居室エリア調節ステップＳ８３１）。図２９及び図３０は、１階居室エリア調節ステップＳ８３１の処理手順を示すフローチャートである。なお、１階居室エリア調節ステップＳ８３１において実施される各判断処理（例えば、ステップＳ８４１、Ｓ８４３等）は、例えば、作業用メモリ３５に入力された値Ｗ５等に基づいて、演算部３３によって行われている。
【０２４６】
１階居室エリア調節ステップＳ８３１では、先ず、１階居室エリアＡ１に含まれる全ての居室（本実施形態では、１階の居室４Ａ、４Ｂ）の前記値Ｗ５のうち、最も小さい最小値Ｗ６ｓが、予め定められた第４冷房閾値以上であるか否かが判断される（ステップＳ８４１）。このステップＳ８４１では、１階居室エリアＡ１に含まれる各居室４Ａ、４Ｂへの冷空気（混合空気）の供給量を最大にして、冷房する必要があるか否かが判断される。従って、第４冷房閾値は、積極的な運転が必要か否かの判断に用いられた第３冷房閾値（例えば、＋０．５℃）よりも大きい値に設定されるのが望ましい。本実施形態の第４冷房閾値は、＋１．５℃に設定されている。
【０２４７】
最小値Ｗ６ｓが第４冷房閾値（例えば、＋１．５℃）以上の場合（ステップＳ８４１で、「Ｙ」）、１階居室エリアＡ１の全ての居室（本実施形態では、１階の居室４Ａ、４Ｂ）の温度が大幅に上昇している。このため、１階居室エリアＡ１の各居室４Ａ、４Ｂへの冷空気（混合空気）の供給量が最大に設定される（ステップＳ８４２）。ステップＳ８４２では、１階居室エリアＡ１の各居室４Ａ、４Ｂのダンパー２０ａ、２０ｂ（図１に示す）が、最も大きい第５開度に設定される。これにより、１階居室エリアＡ１の各居室４Ａ、４Ｂへの冷空気の供給量が最大にされうる。ステップＳ８４２では、演算部３３が、ダンパー２０ａ、２０ｂを制御することによって行われる。
【０２４８】
他方、最小値Ｗ６ｓが第４冷房閾値（例えば、＋１．５℃）未満である場合（ステップＳ８４１で、「Ｎ」）、１階居室エリアＡ１の全ての居室（本実施形態では、１階の居室４Ａ、４Ｂ）の温度が、大幅に上昇しているわけではない。従って、１階居室エリアＡ１の各居室４Ａ、４Ｂへの冷空気（混合空気）の供給量を個別に調節して、冷房するのが有効である。本実施形態では、図３１〜図３５に示す第５居室供給量調節ステップＳ８４４〜第８居室供給量調節ステップＳ８５０又は第１０居室供給量調節ステップＳ８５８の何れかが実施される。
【０２４９】
第５居室供給量調節ステップＳ８４４〜第８居室供給量調節ステップＳ８５０及び第１０居室供給量調節ステップＳ８５８では、第１居室エリアＡｒ（即ち、１階居室エリアＡ１及び２階居室エリアＡ２）の各居室の値Ｗ５に基づいて、各居室のダンパー２０の開度が個別に調節される。本実施形態では、前記値Ｗ５が大きい居室４Ａ又は居室４Ｂほど、ダンパー２０ａ、２０ｂの開度が大に設定されている。これにより、温度が高い居室４Ａ、４Ｂほど、より多くの冷空気（混合空気）が供給されるため、効率よく冷房されうる。
【０２５０】
第５居室供給量調節ステップＳ８４４〜第８居室供給量調節ステップＳ８５０及び第１０居室供給量調節ステップＳ８５８は、演算部３３（図３に示す）が居室供給量調節部４１ｃ（図４に示す）を実行することによって行われる。詳細な処理手順については、後述する。
【０２５１】
次に、１階居室エリア調節ステップＳ８３１では、１階居室エリアＡ１の各居室４Ａ、４Ｂ（図１に示す）の前記値Ｗ５のうち、最も大きい最大値Ｗ６ｍが第５冷房閾値以上か否かが判断される（ステップＳ８４３）。最大値Ｗ６ｍが大幅に大きいと、各居室４Ａ、４Ｂの前記値Ｗ５が広範囲に分布している可能性が高い。従って、このような分布の有無を判断するために、第５冷房閾値については、第４冷房閾値（例えば、＋１．５℃）よりも大に設定されるのが望ましい。本実施形態の第５冷房閾値は、例えば、＋３．０℃に設定されている。
【０２５２】
最大値Ｗ６ｍが第５冷房閾値（例えば、＋３．０℃）以上である場合（ステップＳ８４３で、「Ｙ」）、１階居室エリアＡ１の各居室４Ａ、４Ｂ（図１に示す）の前記値Ｗ５が広範囲に分布している可能性が高い。この場合、第５居室供給量調節ステップＳ８４４が実施される。他方、最大値Ｗ６ｍが第５冷房閾値（例えば、＋３．０℃）未満である場合、本ステップＳ８４３のみでは、各居室４Ａ、４Ｂの前記値Ｗ５が広範囲に分布しているか否かが判断できないため、次のステップＳ８４５が実施される。
【０２５３】
図３１は、第５居室供給量調節ステップＳ８４４の処理手順の一例を示すフローチャートである。第５居室供給量調節ステップＳ８４４では、前記値Ｗ５が大きい１階居室エリアＡ１の各居室４Ａ又は４Ｂ（図１に示す）ほど、ダンパー２０（２０ａ又は２０ｂ）の開度が大に設定されている（ステップＳ８６２〜ステップＳ８６６）。例えば、前記値Ｗ５が−３．０℃未満である居室４Ａ又は４Ｂのダンパー２０は、最も小さい第１開度が設定される（ステップＳ８６２）。前記値Ｗ５が−３．０℃（以上）〜−１．０℃（未満）である居室４Ａ又は４Ｂのダンパー２０は、第１開度よりも大きい第２開度に設定される（ステップＳ８６３）。前記値Ｗ５が−１．０℃（以上）〜＋１．０℃（未満）である居室４Ａ又は４Ｂのダンパー２０は、第２開度よりも大きい第３開度に設定される（ステップＳ８６４）。
【０２５４】
さらに、前記値Ｗ５が＋１．０℃（以上）〜＋３．０℃（以下）である居室４Ａ又は４Ｂのダンパー２０（２０ａ又は２０ｂ）は、第３開度よりも大きい第４開度に設定される（ステップＳ８６５）。前記値Ｗ５が＋３．０℃よりも大きい居室４Ａ又は４Ｂのダンパー２０は、第４開度よりも大きい第５開度に設定される（ステップＳ８６６）。
【０２５５】
そして、１階居室エリアＡ１の全ての居室（本実施形態では、居室４Ａ及び４Ｂ）のダンパー２０（２０ａ又は２０ｂ）の開度が調節されたか否かが判断される（ステップＳ８６７）。１階居室エリアＡ１の全ての居室４Ａ、４Ｂのダンパー２０の開度が調節されたと判断された場合（ステップＳ８６７で、「Ｙ」）、第５居室供給量調節ステップＳ８４４の一連の処理が終了する。他方、１階居室エリアＡ１の全ての居室４Ａ、４Ｂのダンパー２０の開度が調節されていないと判断された場合（ステップＳ８６７で、「Ｎ」）、開度が調節されていない居室４Ａ又は４Ｂのダンパー２０が選択され（ステップＳ８６８）、ステップＳ８６１〜Ｓ８６７が再度実施される。これにより、前記値Ｗ５に基づいて、１階居室エリアＡ１の全ての居室４Ａ及び４Ｂのダンパー２０の開度がそれぞれ調節されるため、各居室４Ａ乃至４Ｂへの冷空気（混合空気）の供給量が、個別に調節されうる。
【０２５６】
本実施形態では、前記値Ｗ５が大きい居室４Ａ、４Ｂほど、ダンパー２０の開度が大に設定されている。これにより、温度が高い居室４Ａ、４Ｂほど、より多くの冷空気（混合空気）が供給されるため、各居室４Ａ及び４Ｂが効率よく冷房されうる。なお、各ダンパー２０（２０ａ、２０ｂ）の開度を区分した各閾値については、上記の値に限定されるわけではない。
【０２５７】
次に、図２９に示されるように、１階居室エリア調節ステップＳ８３１では、１階居室エリアＡ１の各居室４Ａ、４Ｂ（図１に示す）の前記値Ｗ５のうち、最も小さい最小値Ｗ６ｓが第１冷房閾値よりも大であるか否かが判断される（ステップＳ８４５）。上述したように、本実施形態の第１冷房閾値は、−０．５℃に設定されている。図３６は、第１冷房閾値を基準とする各居室４Ａ、４Ｂの値Ｗ５の範囲を示す図である。
【０２５８】
最小値Ｗ６ｓが第１冷房閾値（例えば、−０．５℃）よりも大である場合（ステップＳ８４５で、「Ｙ」）、各居室４Ａ、４Ｂの温度が、第１冷房閾値に対して不利側に偏って分布している（図３６において、「Ｃ３」）。この場合、本実施形態では、第６居室供給量調節ステップＳ８４６が実施される。他方、最小値Ｗ６ｓが第１冷房閾値より大でない場合（ステップＳ８４５で、「Ｎ」）、次のステップＳ８４７が実施される。
【０２５９】
図３２は、第６居室供給量調節ステップＳ８４６の処理手順の一例を示すフローチャートである。第６居室供給量調節ステップＳ８４６での閾値の範囲は、例えば、「−０．５℃（より大）〜＋０．５℃（未満）」、「＋０．５℃（以上）〜＋１．５℃（以下）」、及び、「＋１．５℃より大」である。このように、第６居室供給量調節ステップＳ８４６での閾値は、第５居室供給量調節ステップＳ８４４（図３１に示す）の閾値とは異なり、第１冷房閾値（例えば、−０．５℃）に対して不利側に偏って設定されている。
【０２６０】
第６居室供給量調節ステップＳ８４６では、前記値Ｗ５が大きい居室４Ａ又は居室４Ｂほど、ダンパー２０の開度が大に設定されている（ステップＳ８７２〜ステップＳ８７４）。これにより、温度が高い居室４Ａ、４Ｂほど、より多くの冷空気（混合空気）が供給されるため、効率よく冷房されうる。例えば、前記値Ｗ５が−０．５℃（より大）〜＋０．５℃（未満）の居室４Ａ又は居室４Ｂのダンパー２０は、最も小さい第１開度が設定される（ステップＳ８７２）。前記値Ｗ５が＋０．５℃（以上）〜＋１．５℃（以下）の居室４Ａ又は居室４Ｂのダンパー２０は、第１開度よりも大きい第３開度に設定される（ステップＳ８７３）。前記値Ｗ５が＋１．５℃より大の居室４Ａ又は居室４Ｂのダンパー２０は、第３開度よりも大きい第５開度に設定される（ステップＳ８７４）。このように、第６居室供給量調節ステップＳ８４６では、第１冷房閾値（例えば、−０．５℃）に対して不利側に偏った閾値に基づいて、最も小さな第１開度から、最も大きい第５開度まで万遍なく設定されるため、各居室４Ａ、４Ｂが効果的に冷房されうる。
【０２６１】
そして、１階居室エリアＡ１の全ての居室（本実施形態では、居室４Ａ、４Ｂ）のダンパー２０（２０ａ又は２０ｂ）の開度が調節されたか否かが判断される（ステップＳ８７５）。１階居室エリアＡ１の全ての居室４Ａ、４Ｂのダンパー２０の開度が調節されたと判断された場合（ステップＳ８７５で、「Ｙ」）、第６居室供給量調節ステップＳ８４６の一連の処理が終了する。他方、１階居室エリアＡ１の全ての居室４Ａ、４Ｂのダンパー２０の開度が調節されていないと判断された場合（ステップＳ８７５で、「Ｎ」）、開度が調節されていない居室４Ａ又は居室４Ｂのダンパー２０が選択され（ステップＳ８７６）、ステップＳ８７１〜Ｓ８７５が再度実施される。これにより、前記値Ｗ５に基づいて、１階居室エリアＡ１の全ての居室４Ａ、４Ｂのダンパー２０の開度がそれぞれ調節されるため、各居室４Ａ、４Ｂへの冷空気（混合空気）の供給量が、効果的に調節されうる。
【０２６２】
次に、図２９に示されるように、１階居室エリア調節ステップＳ８３１では、１階居室エリアＡ１の各居室４Ａ、４Ｂ（図１に示す）の前記値Ｗ５のうち、最も大きい最大値Ｗ６ｍが第１冷房閾値以下であるか否かが判断される（ステップＳ８４７）。
【０２６３】
最大値Ｗ６ｍが第１冷房閾値（例えば、−０．５℃）以下である場合（ステップＳ８４７で、「Ｙ」）、各居室４Ａ、４Ｂの温度が、第１冷房閾値に対して有利側に偏って分布している（図３６において、「Ｃ４」）。この場合、本実施形態では、次のステップＳ８５７が実施される。他方、最大値Ｗ６ｍが第１冷房閾値以下でない場合（ステップＳ８４７で、「Ｎ」）、次のステップＳ８４９（図３０に示す）が実施される。
【０２６４】
本実施形態のステップＳ８５７では、１階居室エリアＡ１の各居室４Ａ、４Ｂ（図１に示す）の前記値Ｗ５のうち、最も大きい最大値Ｗ６ｍが第２冷房閾値より大か否かが判断される。上述のように、第２冷房閾値は、第１冷房閾値（例えば、−０．５℃）よりも小さい−１．０に設定される。
【０２６５】
ステップＳ８５７において、最大値Ｗ６ｍが第２冷房閾値（例えば、−１．０℃）よりも大であると判断された場合（ステップＳ８５７で、「Ｙ」）、各居室４Ａ、４Ｂの温度が、第１冷房閾値（例えば、−０．５℃）に対して、それほど有利側に偏って分布しているわけではない。この場合、第７居室供給量調節ステップＳ８４８が実施される。他方、最大値Ｗ６ｍが第２冷房閾値よりも大でないと判断された場合（ステップＳ８５７で、「Ｎ」）、各居室４Ａ、４Ｂの温度が、第１冷房閾値に対して、有利側に偏って分布している。この場合、第１０居室供給量調節ステップＳ８５８が実施される。
【０２６６】
図３３は、第７居室供給量調節ステップＳ８４８の処理手順の一例を示すフローチャートである。第７居室供給量調節ステップＳ８４８での閾値の範囲は、例えば、「−１．５℃（以下）」、「−１．５℃（より大）〜−１．０℃（以下）」、及び、「−１．０℃（より大）〜−０．５℃（以下）」である。このように、第７居室供給量調節ステップＳ８４８での閾値は、第１冷房閾値（例えば、−０．５℃）に対して有利側に偏って設定されている。
【０２６７】
第７居室供給量調節ステップＳ８４８では、前記値Ｗ５が大きい居室４Ａ又は居室４Ｂほど、ダンパー２０の開度が大に設定されている（ステップＳ８８２〜ステップＳ８８４）。これにより、温度が高い居室４Ａ、４Ｂほど、より多くの冷空気（混合空気）が供給されるため、効率よく冷房されうる。例えば、前記値Ｗ５が−１．５℃（以下）の居室４Ａ又は居室４Ｂのダンパー２０は、最も小さい第１開度が設定される（ステップＳ８８２）。前記値Ｗ５が−１．５℃（より大）〜−１．０℃（以下）の居室４Ａ又は居室４Ｂのダンパー２０は、第１開度よりも大きい第３開度に設定される（ステップＳ８８３）。前記値Ｗ５が−１．０℃（より大）〜−０．５℃（以下）の居室４Ａ又は居室４Ｂのダンパー２０は、第３開度よりも大きい第５開度に設定される（ステップＳ８８４）。このように、第７居室供給量調節ステップＳ８４８は、第１冷房閾値（例えば、−０．５℃）に対して有利側に偏った閾値に基づいて、最も小さな第１開度から、最も大きい第５開度まで万遍なく設定されるため、各居室４Ａ、４Ｂが効果的に冷房されうる。
【０２６８】
そして、１階居室エリアＡ１の全ての居室（本実施形態では、居室４Ａ、４Ｂ）のダンパー２０（２０ａ又は２０ｂ）の開度が調節されたか否かが判断される（ステップＳ８８５）。１階居室エリアＡ１の全ての居室４Ａ、４Ｂのダンパー２０の開度が調節されたと判断された場合（ステップＳ８８５で、「Ｙ」）、第７居室供給量調節ステップＳ８４８の一連の処理が終了する。他方、１階居室エリアＡ１の全ての居室４Ａ、４Ｂのダンパー２０の開度が調節されていないと判断された場合（ステップＳ８４５で、「Ｎ」）、開度が調節されていないダンパー２０が選択され（ステップＳ８８６）、ステップＳ８８１〜Ｓ８８５が再度実施される。これにより、前記値Ｗ５に基づいて、１階居室エリアＡ１の全ての居室４Ａ、４Ｂのダンパー２０の開度がそれぞれ調節されるため、各居室４Ａ、４Ｂへの冷空気（混合空気）の供給量が、効果的に調節されうる。
【０２６９】
図３４は、第１０居室供給量調節ステップＳ８５８の処理手順の一例を示すフローチャートである。第１０居室供給量調節ステップＳ８５８での閾値の範囲は、例えば、「−２．０℃（以下）」、「−２．０℃（より大）〜−１．５℃（以下）」、及び、「−１．５℃（より大）〜−１．０℃（以下）」である。このように、第１０居室供給量調節ステップＳ８５８での閾値は、第２冷房閾値（例えば、−１．０℃）に対して有利側に偏って設定されている。
【０２７０】
第１０居室供給量調節ステップＳ８５８では、前記値Ｗ５が大きい居室４Ａ又は居室４Ｂほど、ダンパー２０の開度が大に設定されている（ステップＳ９０２〜ステップＳ９０４）。これにより、温度が高い居室４Ａ、４Ｂほど、より多くの冷空気（混合空気）が供給されるため、効率よく冷房されうる。例えば、前記値Ｗ５が−２．０℃（以下）の居室４Ａ又は居室４Ｂのダンパー２０は、最も小さい第１開度が設定される（ステップＳ９０２）。前記値Ｗ５が−２．０℃（より大）〜−１．５℃（以下）の居室４Ａ又は居室４Ｂのダンパー２０は、第１開度よりも大きい第３開度に設定される（ステップＳ９０３）。前記値Ｗ５が−１．５℃（より大）〜−１．０℃（以下）の居室４Ａ又は居室４Ｂのダンパー２０は、第３開度よりも大きい第５開度に設定される（ステップＳ９０４）。このように、第１０居室供給量調節ステップＳ８５８は、第２冷房閾値（例えば、−１．０℃）に対して有利側に偏った閾値に基づいて、最も小さな第１開度から、最も大きい第５開度まで万遍なく設定されるため、各居室４Ａ、４Ｂが効果的に冷房されうる。
【０２７１】
そして、１階居室エリアＡ１の全ての居室（本実施形態では、居室４Ａ、４Ｂ）のダンパー２０（２０ａ又は２０ｂ）の開度が調節されたか否かが判断される（ステップＳ９０５）。１階居室エリアＡ１の全ての居室４Ａ、４Ｂのダンパー２０の開度が調節されたと判断された場合（ステップＳ９０５で、「Ｙ」）、第１０居室供給量調節ステップＳ８５８の一連の処理が終了する。他方、１階居室エリアＡ１の全ての居室４Ａ、４Ｂのダンパー２０の開度が調節されていないと判断された場合（ステップＳ９０５で、「Ｎ」）、開度が調節されていないダンパー２０が選択され（ステップＳ９０６）、ステップＳ９０１〜Ｓ９０５が再度実施される。これにより、前記値Ｗ５に基づいて、１階居室エリアＡ１の全ての居室４Ａ、４Ｂのダンパー２０の開度がそれぞれ調節されるため、各居室４Ａ、４Ｂへの冷空気（混合空気）の供給量が、効果的に調節されうる。
【０２７２】
図３０に示されるように、１階居室エリア調節ステップＳ８３１では、１階居室エリアＡ１の各居室４Ａ、４Ｂ（図１に示す）の前記値Ｗ５のうち、最も小さい最小値Ｗ６ｓが第６冷房閾値以下であるか否かが判断される（ステップＳ８４９）。最小値Ｗ６ｓが大幅に小さいと、１階居室エリアＡ１の各居室４Ａ、４Ｂの前記値Ｗ５が広範囲に分布している可能性が高い。従って、このような分布の有無を判断するために、第６冷房閾値については、第２冷房閾値（例えば、−１．０℃）よりも小に設定されるのが望ましい。本実施形態の第６冷房閾値は、例えば、−３．０℃に設定されている。
【０２７３】
最小値Ｗ６ｓが第６冷房閾値（例えば、−３．０℃）以下である場合（ステップＳ８４９で、「Ｙ」）、１階居室エリアＡ１の各居室４Ａ、４Ｂの前記値Ｗ５が広範囲に分布している可能性が高い。この場合、図３１に示した第５居室供給量調節ステップＳ８４４が実施される。他方、最小値Ｗ６ｓが第６冷房閾値（例えば、−３．０℃）よりも大きい場合（ステップＳ８４９で、「Ｎ」）、最小値Ｗ６ｓが比較的大きい。しかも、図２９に示したステップＳ８４３の判断より、最大値Ｗ６ｍが＋３．０℃未満である。従って、１階居室エリアＡ１の各居室４Ａ及び４Ｂの前記値Ｗ５が広範囲に分布している可能性が低い。この場合、第８居室供給量調節ステップＳ８５０が実施される。
【０２７４】
図３５は、第８居室供給量調節ステップＳ８５０の処理手順の一例を示すフローチャートである。第８居室供給量調節ステップＳ８５０での閾値の範囲は、「−１．５℃未満」、「−１．５℃（以上）〜−０．５℃（未満）」、「−０．５℃（以上）〜＋０．５℃（未満）」、「＋０．５℃（以上）〜＋１．５℃（以下）」、「＋１．５℃よりも大」である。このように、第８居室供給量調節ステップＳ８５０は、第５居室供給量調節ステップＳ８４４（図３１に示す）に比べて、閾値の範囲が小に設定されている。従って、各居室４Ａ、４Ｂ（図１に示す）の前記値Ｗ５が広範囲に分布していなくても、居室４Ａ、４Ｂ毎に、ダンパー２０ａ、２０ｂの開度が、より細やかにバランスよく調節されうる。
【０２７５】
第８居室供給量調節ステップＳ８５０では、第５居室供給量調節ステップＳ８４４と同様に、前記値Ｗ５が大きい１階居室エリアＡ１の各居室４Ａ又は４Ｂほど、ダンパー２０（２０ａ、２０ｂ（図１に示す））の開度が大に設定されている（ステップＳ８９２〜ステップＳ８９６）。例えば、前記値Ｗ５が−１．５℃未満である居室４Ａ又は４Ｂのダンパー２０は、最も小さい第１開度が設定される（ステップＳ８９２）。前記値Ｗ５が−１．５℃（以上）〜−０．５℃（未満）である居室４Ａ又は４Ｂのダンパー２０のダンパー２０は、第１開度よりも大きい第２開度に設定される（ステップＳ８９３）。前記値Ｗ５が−０．５℃（以上）〜＋０．５℃（未満）である居室４Ａ又は４Ｂのダンパー２０は、第２開度よりも大きい第３開度に設定される（ステップＳ８９４）。
【０２７６】
さらに、前記値Ｗ５が＋０．５℃（以上）〜＋１．５℃（以下）である居室４Ａ又は４Ｂのダンパー２０（２０ａ〜２０ｄ）は、第３開度よりも大きい第４開度に設定される（ステップＳ８９５）。前記値Ｗ５が＋１．５℃よりも大きい居室４Ａ又は４Ｂのダンパー２０は、第４開度よりも大きい第５開度に設定される（ステップＳ８９６）。
【０２７７】
そして、１階居室エリアＡ１の全ての居室（本実施形態では、居室４Ａ及び４Ｂ）のダンパー２０（２０ａ又は２０ｂ）の開度が調節されたか否かが判断される（ステップＳ８９７）。全ての居室４Ａ及び４Ｂのダンパー２０の開度が調節されたと判断された場合（ステップＳ８９７で、「Ｙ」）、第８居室供給量調節ステップＳ８５０の一連の処理が終了する。他方、全ての居室４Ａ及び４Ｂのダンパー２０の開度が調節されていないと判断された場合（ステップＳ８９７で、「Ｎ」）、開度が調節されていない居室４Ａ又は４Ｂのダンパー２０が選択され（ステップＳ８９８）、ステップＳ８９１〜Ｓ８９７が再度実施される。これにより、前記値Ｗ５に基づいて、１階居室エリアＡ１の全ての居室４Ａ及び４Ｂのダンパー２０の開度がそれぞれ調節されるため、各居室４Ａ及び４Ｂへの冷空気（混合空気）の供給量が、個別に調節されうる。
【０２７８】
本実施形態では、前記値Ｗ５が大きい居室４Ａ乃至４Ｄほど、ダンパー２０の開度が大に設定されている。これにより、温度が高い居室４Ａ、４Ｂほど、より多くの冷空気（混合空気）が供給されるため、各居室４Ａ及び４Ｂが効率よく冷房されうる。なお、各ダンパー２０（２０ａ及び２０ｂ）の開度を区分した各閾値については、上記の値に限定されるわけではない。
【０２７９】
次に、本実施形態の１階居室エリア調節ステップＳ８３１では、図２９及び図３０に示されるように、１階居室エリアＡ１のファン１０Ｂ（１階ファン１０Ｂａ）の風量が調節される（ファン風量調節ステップＳ８５１〜Ｓ８５６及びＳ８５９）。ファン風量調節ステップＳ８５１〜Ｓ８５６及びＳ８５９では、前記値Ｗ５（１階居室エリアＡ１の居室４Ａ又は４Ｂの温度から目標温度を差し引いた値）に基づいて、１階ファン１０Ｂａの風量が調節される。これらのファン風量調節ステップＳ８５１〜Ｓ８５６及びＳ８５９は、演算部３３（図３に示す）がファン風量調節部４１ｂ（図４に示す）を実行することによって行われる。
【０２８０】
ステップＳ８４１において、前記値Ｗ５の最小値Ｗ６ｓが第４冷房閾値（例えば、＋１．５℃）以上であると判断された場合（ステップＳ８４１で、「Ｙ」）、最大値Ｗ６ｍが、第４冷房閾値よりも大幅に大きい可能性がある。このため、１階ファン１０Ｂａの風量を大きくして、高温の居室４Ａ又は４Ｂを含む１階居室エリアＡ１に冷空気を積極的に供給することが有効である。従って、１階ファン１０Ｂａの風量は、第１風量（例えば、５５０m3／ｈ）に設定される（ファン風量調節ステップＳ８５１）。
【０２８１】
また、ステップＳ８４３において、１階居室エリアＡ１の最大値Ｗ６ｍが第５冷房閾値（例えば、＋３．０℃）以上であると判断された場合（ステップＳ８４３で、「Ｙ」）も同様に、１階ファン１０Ｂａの風量が、第１風量（例えば、５５０m3／ｈ）に設定される（ファン風量調節ステップＳ８５２）。
【０２８２】
ステップＳ８４５において、１階居室エリアＡ１の最小値Ｗ６ｓが第１冷房閾値（例えば、−０．５℃）より大であると判断された場合（ステップＳ８４５で、「Ｙ」）、第１冷房閾値に対して不利側に偏って分布している（図３６において、「Ｃ３」）。このため、１階ファン１０Ｂａの風量を大きくして、高温の居室４Ａ又は４Ｂを含む１階居室エリアＡ１に冷空気を積極的に供給することが有効である。従って、１階ファン１０Ｂａの風量は、最も大きい第１風量（例えば、５５０m3／ｈ）に設定される（ファン風量調節ステップＳ８５３）。これにより、各居室４Ａ又は４Ｂに冷空気が積極的に供給されるため、各居室４Ａ又は４Ｂが効率よく冷房されうる。
【０２８３】
ステップＳ８４７において、１階居室エリアＡ１の最大値Ｗ６ｍが第１冷房閾値（例えば、−０．５℃）以下であると判断された場合（ステップＳ８４７で、「Ｙ」）、第１冷房閾値に対して有利側に偏って分布している（図３６において、「Ｃ４」）。このため、１階ファン１０Ｂａの風量は、第１風量よりも小さい風量に設定される（ファン風量調節ステップＳ８５４及びＳ８５９）。これにより、各居室４Ａ又は４Ｂに冷空気が必要以上に供給されるのを防ぐことができるため、各居室４Ａ又は４Ｂが効率よく冷房されうる。
【０２８４】
本実施形態では、ステップＳ８５７において、１階居室エリアＡ１の最大値Ｗ６ｍが第２冷房閾値（例えば、−１．０℃）より大と判断された場合（ステップＳ８５７で、「Ｙ」）、第２風量（例えば、２５０m3／ｈ）に設定される（ファン風量調節ステップＳ８５４）。他方、ステップＳ８５７において、最大値Ｗ６ｍが第２冷房閾値（例えば、−１．０℃）以下であると判断された場合（ステップＳ８５７で、「Ｎ」）、第４風量（例えば、１００m3／ｈ）に設定される（ファン風量調節ステップＳ８５９）。このように、本実施形態では、各居室に冷空気が必要以上に供給されるのを防ぐことができるため、各居室が効率よく冷房されうる。
【０２８５】
図３６に示されるように、最小値Ｗ６ｓが第１冷房閾値（例えば、−０．５℃）よりも大である範囲Ｃ３と、最大値Ｗ６ｍが第１冷房閾値以下である範囲Ｃ４とでは、１階居室エリアＡ１に属する全ての居室４Ａ及び４Ｂの温度が、各範囲Ｃ３及びＣ４の何れかに属している。これにより、例えば、最小値Ｗ６ｓが第１冷房閾値よりも大である（即ち、全ての居室４Ａ、４Ｂの温度が範囲Ｃ３に分布している）と判断（ステップＳ８４５）された後に、再び処理された１階居室エリア調節ステップＳ８３１において、最大値Ｗ６ｍが第１冷房閾値以下である（即ち、全ての居室４Ａ、４Ｂの温度が範囲Ｃ４に分布している）と判断（ステップＳ８４７）されるのを防ぐことができる。従って、本実施形態では、１階ファン１０Ｂａの風量として、第１風量（例えば、５５０m3／ｈ）と、第１風量よりも小さい第２風量（例えば、２５０m3／ｈ）及び第４風量（例えば、１００m3／ｈ）とが、短時間で繰り返し設定されるのを防ぐことができる。
【０２８６】
図３０に示されるように、ステップＳ８４９において、１階居室エリアＡ１の最小値Ｗ６ｓが第６冷房閾値（例えば、−３．０℃）以下であると判断された場合（ステップＳ８４９で、「Ｙ」）、ファン風量調節ステップＳ８５１〜Ｓ８５３ほど、１階ファン１０Ｂａの風量を大きくする必要はないと判断されうる。このため、１階ファン１０Ｂａの風量が、第２風量（例えば、２５０m3／ｈ）に設定される（ファン風量調節ステップＳ８５５）。
【０２８７】
ステップＳ８４９において、１階居室エリアＡ１の最小値Ｗ６ｓが第６冷房閾値（例えば、−３．０℃）よりも大であると判断された場合（ステップＳ８４９で、「Ｎ」）、ファン風量調節ステップＳ８５１〜Ｓ８５３ほど、１階ファン１０Ｂａの風量を大きくする必要はないが、ファン風量調節ステップＳ８５５よりも１階ファン１０Ｂａの風量を大きくするのが有効である。このため、１階ファン１０Ｂａの風量が、第３風量（例えば、４００m3／ｈ）に設定される（ファン風量調節ステップＳ８５６）。
【０２８８】
このように、ファン風量調節ステップＳ８５１〜Ｓ８５６及びＳ８５９では、１階居室エリアＡ１の最大値Ｗ６ｍが大きいほど、１階ファン１０Ｂａの風量が大きく設定される。さらに、１階居室エリアＡ１の最小値Ｗ６ｓが小さいほど、１階ファン１０Ｂａの風量が小さく設定される。従って、１階居室エリアＡ１の居室４Ａ及び４Ｂが効率よく冷房されうる。このファン風量調節ステップＳ８５１〜Ｓ８５６及びＳ８５９の処理終了後、１階居室エリア調節ステップＳ８３１の一連の処理が終了する。
【０２８９】
次に、図１及び図２８に示されるように、積極運転ステップＳ８２３では、２階居室エリアＡ２の各居室４Ｃ、４Ｄへの冷空気の供給量、及び、２階ファン１０Ｂｂの風量が調節される（２階居室エリア調節ステップＳ８３２）。図３７及び図３８は、２階居室エリア調節ステップＳ８３２の処理手順を示すフローチャートである。２階居室エリア調節ステップＳ８３２は、図２９、図３０に示した１階居室エリア調節ステップＳ８３１と同一の処理手順によって実施される。なお、２階居室エリア調節ステップＳ８３２において実施される各判断処理（例えば、ステップＳ９４１、Ｓ９４３等）は、例えば、作業用メモリ３５に入力された値Ｗ５等に基づいて、演算部３３によって行われている。
【０２９０】
２階居室エリア調節ステップＳ８３２では、先ず、２階居室エリアＡ２に含まれる全ての居室（本実施形態では、２階の居室４Ｃ、４Ｄ）の前記値Ｗ５のうち、最も小さい最小値Ｗ７ｓが、予め定められた第４冷房閾値以上であるか否かが判断される（ステップＳ９４１）。第４冷房閾値は、１階居室エリア調節ステップＳ８３１と同様に、＋１．５℃に設定されている。
【０２９１】
最小値Ｗ７ｓが第４冷房閾値（例えば、＋１．５℃）以上である場合（ステップＳ９４１で、「Ｙ」）、２階居室エリアＡ２の全ての居室（本実施形態では、２階の居室４Ｃ、４Ｄ）の温度が大幅に上昇しているため、２階居室エリアＡ２の各居室４Ｃ、４Ｄへの冷空気（混合空気）の供給量が最大に設定される（ステップＳ９４２）。この場合、２階居室エリアＡ２の各居室４Ｃ、４Ｄのダンパー２０ｃ、２０ｄ（図１に示す）は、最も大きい第５開度に設定される。ステップＳ９４２では、演算部３３が、ダンパー２０ａ、２０ｂを制御することによって行われる。
【０２９２】
他方、最小値Ｗ７ｓが第４冷房閾値（例えば、＋１．５℃）未満である場合（ステップＳ９４１で、「Ｎ」）、２階居室エリアＡ２の全ての居室４Ｃ、４Ｄの温度が、大幅に上昇していないため、２階居室エリアＡ２の各居室４Ｃ、４Ｄへの冷空気（混合空気）の供給量を個別に調節して、冷房するのが有効である。従って、１階居室エリア調節ステップＳ８３１と同様に、図３１〜図３５に示した第５居室供給量調節ステップ〜第８居室供給量調節ステップ又は第１０居室供給量調節ステップの何れかが実施される。
【０２９３】
次に、２階居室エリア調節ステップＳ８３２では、２階居室エリアＡ２の各居室４Ｃ、４Ｄ（図１に示す）の前記値Ｗ５のうち、最も大きい最大値Ｗ７ｍが第５冷房閾値以上であるか否かが判断される（ステップＳ９４３）。本実施形態の第５冷房閾値は、１階居室エリア調節ステップＳ８３１と同様に、＋３．０℃に設定されている。
【０２９４】
最大値Ｗ７ｍが第５冷房閾値（例えば、＋３．０℃）以上である場合（ステップＳ９４３で、「Ｙ」）、２階居室エリアＡ２の各居室４Ｃ、４Ｄ（図１に示す）の前記値Ｗ５が広範囲に分布している可能性が高い。この場合、第５居室供給量調節ステップＳ９４４が実施される。他方、最大値Ｗ７ｍが第５冷房閾値（例えば、＋３．０℃）未満である場合（ステップＳ９４３で、「Ｎ」）、本ステップＳ９４３のみでは、各居室４Ｃ、４Ｄの前記値Ｗ５が広範囲に分布しているか否かが判断できないため、次のステップＳ９４５が実施される。
【０２９５】
第５居室供給量調節ステップＳ９４４は、１階居室エリア調節ステップＳ８３１の第５居室供給量調節ステップＳ８４４（図３１に示す）と同一の処理手順である。従って、前記値Ｗ５に基づいて、２階居室エリアＡ２の各居室４Ｃ及び４Ｄのダンパー２０の開度がそれぞれ調節されるため、各居室４Ｃ及び４Ｄへの冷空気（混合空気）の供給量が、個別に調節されうる。従って、各居室４Ｃ及び４Ｄが効率よく冷房されうる。
【０２９６】
図３７に示されるように、２階居室エリア調節ステップＳ８３２では、２階居室エリアＡ２の各居室４Ｃ、４Ｄ（図１に示す）の前記値Ｗ５のうち、最も小さい最小値Ｗ７ｓが第１冷房閾値より大であるか否かが判断される（ステップＳ９４５）。本実施形態の第１冷房閾値は、１階居室エリア調節ステップＳ６３１と同様に、例えば、−０．５℃に設定されている。
【０２９７】
最小値Ｗ７ｓが第１冷房閾値（例えば、−０．５℃）より大である場合（ステップＳ９４５で、「Ｙ」）、各居室４Ｃ、４Ｄの温度が、第１冷房閾値に対して不利側に偏って分布している（図３６において、「Ｃ３」）。この場合、第６居室供給量調節ステップＳ９４６が実施される。他方、最小値Ｗ７ｓが第１冷房以下である場合（ステップＳ９４５で、「Ｎ」）、次のステップＳ９４７が実施される。
【０２９８】
第６居室供給量調節ステップＳ９４６は、１階居室エリア調節ステップＳ８３１の第６居室供給量調節ステップＳ８４６（図３２に示す）と同一の処理手順である。このため、第６居室供給量調節ステップＳ９４６での閾値は、第５居室供給量調節ステップＳ９４４（図３１に示す）の閾値とは異なり、第１冷房閾値（例えば、−０．５℃）に対して不利側に偏って設定されているため、各居室４Ｃ及び４Ｄが効果的に冷房されうる。
【０２９９】
図３７に示されるように、２階居室エリア調節ステップＳ８３２では、２階居室エリアＡ２の各居室４Ｃ、４Ｄ（図１に示す）の前記値Ｗ５のうち、最も大きい最大値Ｗ７ｍが第１冷房閾値以下であるか否かが判断される（ステップＳ９４７）。上述したように、本実施形態の第１冷房閾値は、−０．５℃に設定されている。
【０３００】
最大値Ｗ７ｍが第１冷房閾値（例えば、−０．５℃）以下である場合（ステップＳ９４７で、「Ｙ」）、各居室４Ｃ、４Ｄの温度が、第１冷房閾値に対して有利側に偏って分布している（図３６において、「Ｃ４」）。この場合、次のステップＳ９５７が実施される。他方、最大値Ｗ７ｍが第１冷房閾より大である場合（ステップＳ９４７で、「Ｎ」）、次のステップＳ９４９（図３８に示す）が実施される。
【０３０１】
本実施形態のステップＳ９５７では、２階居室エリアＡ２の各居室４Ｃ、４Ｄ（図１に示す）の前記値Ｗ５のうち、最も大きい最大値Ｗ７ｍが第２冷房閾値よりも大か否かが判断される（ステップＳ９５７）。本実施形態の第２冷房閾値は、１階居室エリア調節ステップＳ８３１と同様に、例えば、−１．０℃に設定されている。
【０３０２】
ステップＳ９５７において、最大値Ｗ７ｍが第２冷房閾値（例えば、−１．０℃）よりも大であると判断された場合（ステップＳ９５７で、「Ｙ」）、各居室４Ｃ、４Ｄの温度が、第１冷房閾値（例えば、−０．５℃）に対して、それほど有利側に偏って分布しているわけではない。この場合、第７居室供給量調節ステップＳ９４８が実施される。他方、最大値Ｗ６ｍが第２冷房閾値よりも大でないと判断された場合（ステップＳ９５７で、「Ｎ」）、各居室４Ｃ、４Ｄの温度が、第１冷房閾値に対して、有利側に偏って分布している。この場合、第１０居室供給量調節ステップＳ９５８が実施される。
【０３０３】
第７居室供給量調節ステップＳ９４８は、１階居室エリア調節ステップＳ８３１の第７居室供給量調節ステップＳ８４８（図３３に示す）と同一の処理手順である。このため、第７居室供給量調節ステップＳ９４８での閾値は、第１冷房閾値（例えば、−０．５℃）に対して有利側に偏って設定されているため、各居室４Ｃ及び４Ｄが効果的に冷房されうる。また、第１０居室供給量調節ステップＳ９５８は、１階居室エリア調節ステップＳ８３１の第１０居室供給量調節ステップＳ８５８と同一の処理手順である。このため、第１０居室供給量調節ステップＳ９５８での閾値は、第２冷房閾値（例えば、−１．０℃）に対して有利側に偏って設定されている。従って、各居室４Ｃ及び４Ｄが効果的に冷房されうる。
【０３０４】
図３８に示されるように、２階居室エリア調節ステップＳ８３２では、２階居室エリアＡ２の各居室４Ｃ、４Ｄ（図１に示す）の前記値Ｗ５の最小値Ｗ７ｓが、第６冷房閾値以下であるか否かが判断される（ステップＳ９４９）。本実施形態の第６冷房閾値は、１階居室エリア調節ステップＳ８３１と同様に、例えば、−３．０℃に設定されている。
【０３０５】
最小値Ｗ７ｓが第６冷房閾値（例えば、−３．０℃）以下である場合（ステップＳ９４９で、「Ｙ」）、１階居室エリアＡ１の各居室４Ａ、４Ｂの前記値Ｗ５が広範囲に分布している可能性が高い。この場合、図３１に示した第５居室供給量調節ステップが実施される（Ｓ９４４）。他方、最小値Ｗ７ｓが第６冷房閾値（例えば、−３．０℃）未満である場合（ステップＳ９４９で、「Ｎ」）、１階居室エリアＡ１の各居室４Ａ及び４Ｂの前記値Ｗ５が広範囲に分布している可能性が低い。この場合、第８居室供給量調節ステップＳ９５０が実施される。
【０３０６】
第８居室供給量調節ステップＳ９５０は、１階居室エリア調節ステップＳ８３１の第８居室供給量調節ステップＳ８５０（図３５に示す）と同一の処理手順である。第８居室供給量調節ステップＳ９５０は、第５居室供給量調節ステップＳ９４４（図３１に示す）に比べて、閾値の範囲が小に設定されている。このため、２階居室エリアＡ２の各居室４Ｃ、４Ｄ（図１に示す）の前記値Ｗ５が広範囲に分布していなくても、居室４Ｃ、４Ｄ毎に、ダンパー２０ｃ、２０ｄの開度が、より細やかにバランスよく調節されうる。
【０３０７】
本実施形態の２階居室エリア調節ステップＳ８３２では、２階居室エリアＡ２のファン１０Ｂ（２階ファン１０Ｂｂ）の風量が調節される（ファン風量調節ステップＳ９５１〜Ｓ９５６及びＳ９５９）。ファン風量調節ステップＳ９５１〜Ｓ９５６及びＳ９５９では、２階居室エリアＡ２の各居室４Ｃ及び４Ｄの前記値Ｗ５に基づいて、２階ファン１０Ｂｂの風量が調節される。なお、ファン風量調節ステップＳ９５１〜Ｓ９５６及びＳ９５９は、図２９及び図３０に示した１階居室エリア調節ステップＳ８３１のファン風量調節ステップＳ８５１〜Ｓ８５６及びＳ８５９と同様の処理手順である。従って、これらのファン風量調節ステップＳ８５１〜Ｓ８５６及びＳ８５９は、演算部３３（図３に示す）がファン風量調節部４１ｂ（図４に示す）を実行することによって行われる。
【０３０８】
ステップＳ９４１において、２階居室エリアＡ２の前記値Ｗ５の最小値Ｗ７ｓが第４冷房閾値（例えば、＋１．５℃）以上であると判断された場合（ステップＳ９４１で、「Ｙ」）、２階ファン１０Ｂｂの風量は、最も大きい第１風量（例えば、５５０m3／ｈ）に設定される（ファン風量調節ステップＳ９５１）。また、ステップＳ９４３において、２階居室エリアＡ２の最大値Ｗ７ｍが第５冷房閾値（例えば、＋３．０℃）以上であると判断された場合（ステップＳ９４３で、「Ｙ」）も同様に、２階ファン１０Ｂｂの風量が、第１風量（例えば、５５０m3／ｈ）に設定される（ファン風量調節ステップＳ９５２）。これにより、高温の居室４Ｃ又は４Ｄを含む２階居室エリアＡ２に、冷空気を積極的に供給することができる。
【０３０９】
ステップＳ９４５において、２階居室エリアＡ２の最小値Ｗ７ｓが第１冷房閾値（例えば、−０．５℃）より大であると判断された場合（ステップＳ９４５で、「Ｙ」）、第１冷房閾値に対して不利側に偏って分布している（図３６において、「Ｃ３」）。このため、２階ファン１０Ｂｂの風量は、最も大きい第１風量（例えば、５５０m3／ｈ）に設定される（ファン風量調節ステップＳ９５３）。これにより、各居室４Ｃ又は４Ｄに冷空気が積極的に供給されるため、各居室４Ｃ又は４Ｄが効率よく冷房されうる。
【０３１０】
ステップＳ９４７において、２階居室エリアＡ２の最大値Ｗ７ｍが第１冷房閾値（例えば、−０．５℃）以下であると判断された場合（ステップＳ９４７で、「Ｙ」）、第１冷房閾値に対して有利側に偏って分布している（図３６において、「Ｃ４」）。このため、２階ファン１０Ｂｂの風量は、第１風量よりも小さい風量（例えば、２５０m3／ｈ）に設定される（ファン風量調節ステップＳ９５４及びＳ９５９）。これにより、各居室４Ｃ又は４Ｄに冷空気が必要以上に供給されるのを防ぐことができるため、各居室４Ｃ又は４Ｄが効率よく冷房されうる。
【０３１１】
本実施形態では、ステップＳ９５７において、２階居室エリアＡ２の最大値Ｗ７ｍが第２冷房閾値（例えば、−１．０℃）より大と判断された場合（ステップＳ９５７で、「Ｙ」）、第２風量（例えば、２５０m3／ｈ）に設定される（ファン風量調節ステップＳ９５４）。他方、ステップＳ９５７において、最大値Ｗ７ｍが第２冷房閾値（例えば、−１．０℃）以下であると判断された場合（ステップＳ９５７で、「Ｎ」）、第４風量（例えば、１００m3／ｈ）に設定される（ファン風量調節ステップＳ９５９）。このように、本実施形態では、各居室に冷空気が必要以上に供給されるのを防ぐことができるため、各居室が効率よく冷房されうる。
【０３１２】
図３６に示されるように、最小値Ｗ７ｓが第１冷房閾値（例えば、−０．５℃）よりも大である範囲Ｃ３と、最大値Ｗ７ｍが第１冷房閾値以下である範囲Ｃ４とでは、２階居室エリアＡ２に属する全ての居室４Ｃ及び４Ｄの温度が、各範囲Ｃ３及びＣ４の何れかに属している。これにより、例えば、最小値Ｗ７ｓが第１冷房閾値よりも大である（即ち、全ての居室４Ｃ、４Ｄの温度が範囲Ｃ３に分布している）と判断（ステップＳ９４５）された後に、再び処理された２階居室エリア調節ステップＳ８３２において、最大値Ｗ７ｍが第１冷房閾値以下である（即ち、全ての居室４Ｃ、４Ｄの温度が範囲Ｃ４に分布している）と判断（ステップＳ９４７）されるのを防ぐことができる。従って、本実施形態では、２階ファン１０Ｂｂの風量として、第１風量（例えば、５５０m3／ｈ）と、第１風量よりも小さい第２風量（例えば、２５０m3／ｈ）及び第４風量（例えば、１００m3／ｈ）とが、短時間で繰り返し設定されるのを防ぐことができる。
【０３１３】
図３８に示されるように、ステップＳ９４９において、２階居室エリアＡ２の最小値Ｗ７ｓが第６冷房閾値（例えば、−３．０℃）以下であると判断された場合（ステップＳ９４９で、「Ｙ」）、ファン風量調節ステップＳ９５１〜Ｓ９５３ほど、２階ファン１０Ｂｂの風量を大きくする必要はないと判断されうる。このため、２階ファン１０Ｂｂの風量が、第２風量（例えば、２５０m3／ｈ）に設定される（ファン風量調節ステップＳ９５５）。
【０３１４】
ステップＳ９４９において、２階居室エリアＡ２の最小値Ｗ７ｓが第６冷房閾値（例えば、−３．０℃）より大であると判断された場合（ステップＳ９４９で、「Ｎ」）、ファン風量調節ステップＳ９５１〜Ｓ９５３ほど、２階ファン１０Ｂｂの風量を大きくする必要はないが、ファン風量調節ステップＳ９５５よりも２階ファン１０Ｂｂの風量を大きくするのが有効である。このため、２階ファン１０Ｂｂの風量が、第３風量（例えば、４００m3／ｈ）に設定される（ファン風量調節ステップＳ９５６）。
【０３１５】
このように、ファン風量調節ステップＳ９５１〜Ｓ９５６及びＳ９５９では、最大値Ｗ７ｍが大きいほど、２階ファン１０Ｂｂの風量が大きく設定され、２階居室エリアＡ２の最小値Ｗ７ｓが小さいほど、２階ファン１０Ｂｂの風量が小さく設定される。従って、２階居室エリアＡ２の居室４Ｃ及び４Ｄが効率よく冷房されうる。このファン風量調節ステップＳ９５１〜Ｓ９５６及びＳ９５９の処理終了後、２階居室エリア調節ステップＳ８３２の一連の処理が終了する。
【０３１６】
本実施形態では、１階居室エリア調節ステップＳ８３１のファン風量調節ステップＳ８５１〜Ｓ８５６及びＳ８５９（図２９及び図３０に示す）、及び、２階居室エリア調節ステップＳ８３２のファン風量調節ステップＳ９５１〜Ｓ９５６及びＳ９５９（図３７及び図３８に示す）により、１日を通して室温に差が生じやすい居室エリアＡ１、Ａ２毎に、１階ファン１０Ｂａ又は２階ファン１０Ｂｂの風量がそれぞれ調節される。これにより、前記値Ｗ５が相対的に大きい高温の居室を含む居室エリアＡ１又はＡ２に、１階ファン１０Ｂａ又は２階ファン１０Ｂｂによって冷空気が積極的に供給されうるため、各居室が効率よく冷房されうる。
【０３１７】
次に、図２８に示されるように、積極運転ステップＳ８２３では、次の空気調和機１６の設定温度を調節する空調温度調節ステップＳ８３４及びＳ８３５に先立ち、前記各居室４Ａ乃至４Ｄの前記値Ｗ５のうち、最大値Ｗ５ｍが第５冷房閾値（例えば、＋３．０℃）以上、又は、最も小さい最小値Ｗ５ｓが第４冷房閾値（例えば、＋１．５℃）以上であるか否かが判断される（ステップＳ８３３）。ステップＳ８３３では、空気調和機１６の設定温度を大幅に低くする必要があるか否かが判断される。なお、ステップＳ８３３では、作業用メモリ３５に入力された最大値Ｗ５ｍ、第５冷房閾値及び第４冷房閾値に基づいて、演算部３３が判断している。
【０３１８】
最大値Ｗ５ｍが第５冷房閾値（例えば、＋３．０℃）以上、又は、最小値Ｗ５ｓが第４冷房閾値（例えば、＋１．５℃）以上であると判断された場合（ステップＳ８３３で、「Ｙ」）、少なくとも一つの居室（本実施形態では、居室４Ａ、４Ｂ、４Ｃ又は４Ｄ）の温度が大幅に上昇している。このため、空気調和機１６の設定温度が、目標温度（例えば、２８℃）と、第１減算温度との差に設定される（空調温度調節ステップＳ８３４）。第１減算温度については、適宜設定されうる。本実施形態の第１減算温度は、例えば、−５℃に設定されている。
【０３１９】
他方、最大値Ｗ５ｍが第５冷房閾値（例えば、＋３．０℃）未満、及び、最小値Ｗ５ｓが第４冷房閾値（例えば、＋１．５℃）未満である場合（ステップＳ８３３で、「Ｎ」）、全ての居室（本実施形態では、居室４Ａ乃至４Ｄ）の温度が上昇しているわけではない。このため、ステップＳ８３４ほど、空気調和機１６の設定温度を低くする必要はないと判断されうる。従って、空気調和機１６の設定温度は、目標温度（例えば、２８℃）と、第２減算温度との差に設定される（空調温度調節ステップＳ８３５）。第２減算温度については、第１減算温度よりも大であれば、適宜設定されうる。本実施形態の第２減算温度は、例えば、−２℃に設定されている。
【０３２０】
このように、空調温度調節ステップＳ８３４及びＳ８３５は、最大値Ｗ５ｍ（及び最小値Ｗ５ｓ）が大きいほど、設定温度が低く調節されるため、各居室４Ａ乃至４Ｄが効果的に冷房されうる。なお、空調温度調節ステップＳ８３４及びＳ８３５は、演算部３３（図３に示す）が空調温度調節部４１ｄ（図４に示す）を実行することによって行われる。
【０３２１】
次に、本実施形態の積極運転ステップＳ８２３では、空気調和機１６の設定風量が調節される（ステップＳ８３６）。本実施形態のステップＳ８３６は、演算部３３（図３に示す）が空調風量調節部４１ｅ（図４に示す）を実行することによって行われる。
【０３２２】
本実施形態の空気調和機１６の設定風量Ｆｗは、暖房ステップＳ２３５と同様に、上記式（１）で定義される。従って、ファン１０Ｂの合計風量Ｔｆが大きいほど、空気調和機１６の設定風量Ｆｗが大きく設定されるため、空気調和機１６で冷却された空気が、各居室（本実施形態では、居室４Ａ乃至４Ｄ）に効果的に供給されうる。しかも、設定風量Ｆｗは、合計風量Ｔｆから建築物Ｂに必要な換気風量Ｖｆを差し引いた値が設定されるため、換気に必要な床下空気１７も、各居室に供給されうる。本実施形態では、ステップＳ８３６の処理終了後、積極運転ステップＳ８２３及び冷房ステップＳ３３５の一連の処理が終了する。
【０３２３】
図３９は、本実施形態の効率運転ステップＳ８２４の処理手順の一例を示すフローチャートである。上述したように、効率運転ステップＳ８２４は、空気調和機１６の効率的な運転が行われる。本実施形態の効率運転ステップＳ８２４の一連の処理は、演算部３３（図３に示す）が効率運転部４１ｇ（図４に示す）を実行することによって行われる。
【０３２４】
効率運転ステップＳ８２４では、先ず、各居室４Ａ乃至４Ｄの湿度が検知される（ステップＳ９６１）。各居室４Ａ乃至４Ｄの湿度は、居室湿度検知手段２９（２９ａ〜２９ｄ）によってそれぞれ検知される。各居室４Ａ乃至４Ｄの湿度は、制御手段２６に伝達される。
【０３２５】
次に、効率運転ステップＳ８２４では、全ての居室４Ａ乃至４Ｄが、予め定められた湿度（例えば、７０ＲＨ）以上であるか否かが判断される（ステップＳ９６２）。全ての居室４Ａ乃至４Ｄが、予め定められた湿度（例えば、７０ＲＨ）以上であると判断された場合（ステップＳ９６２で、「Ｙ」）、次の除湿運転ステップＳ９６３が実施される。他方、全ての居室４Ａ乃至４Ｄが、予め定められた湿度（例えば、７０ＲＨ）未満であると判断された場合（ステップＳ９６２で、「Ｎ」）、各居室４Ａ乃至４Ｄを除湿する必要がないため、次の効率冷房運転ステップＳ９６４が実施される。
【０３２６】
図４０は、除湿運転ステップＳ９６３の処理手順の一例を示すフローチャートである。本実施形態の除湿運転ステップＳ９６３では、先ず、各居室４Ａ乃至４Ｄのダンパー２０ａ〜２０ｄの開度が維持され（ステップＳ９７０）、換気手段１０のファン１０Ｂ（１階ファン１０Ｂａ及び２階ファン１０Ｂｂ）の風量が第３風量（例えば、４００m3／ｈ）に設定される（ステップＳ９７１）。そして、空気調和機１６が除湿運転され（ステップＳ９７２）、空気調和機１６の設定温度が維持される（ステップＳ９７３）。さらに、空気調和機１６の設定風量が、上記式（１）で定義される設定風量Ｆｗに基づいて、第３空調風量（例えば、６２５m3／ｈ）に設定される（ステップＳ９７４）。
【０３２７】
このような除湿運転ステップＳ９６３により、後述する効率冷房運転ステップＳ９６４を実施しなくても、空気調和機１６の除湿運転により、冷房効率の悪化を防ぎつつ、各居室４Ａ乃至４Ｄの除湿を行いながら効率よく冷房されうる。
【０３２８】
図４１は、効率冷房運転ステップＳ９６４の処理手順の一例を示すフローチャートである。効率冷房運転ステップＳ９６４では、現在の空気調和機１６の冷房能力が計算される（ステップＳ９８０）。空気調和機１６の冷房能力Ｅｃは、下記式（３）で求められる。
Ｅｃ＝（Ｔａ−Ｔｂ）×Ａｆ×Ｈｓ／１０００  …（３）
ここで、各定数及び変数については、次のとおりである。
Ｔａ：空気調和機の吸気部の温度（℃）
Ｔｂ：空気調和機の排気部の温度（℃）
Ａｆ：空気調和機の風量（m3／ｈ）
Ｈｓ：空気比熱（０．３５Wh／m3・℃）
【０３２９】
図２２（ｂ）は、ＣＯＰ（Coefficient of Performance ）、顕熱負荷（ｋＷ）、潜熱負荷（ｋＷ）及び冷房消費電力（ｋＷ）、並びに、冷房能力（ｋＷ）の関係を示すグラフである。一般に、冷房能力Ｅｃが、２ｋＷ以上である場合、冷房効率が悪い状態である。このような場合、冷房能力Ｅｃが２ｋＷに近づくように、例えば、設定温度を高くする、又は、設定風量を小さくして、空気調和機１６が運転されるのが望ましい。
【０３３０】
次に、図４１に示されるように、効率冷房運転ステップＳ９６４では、現在の空気調和機１６の冷房効率が悪いか否かが判断される（ステップＳ９８１）。本実施形態では、現在の冷房能力Ｅｃが２ｋＷ以上である場合に、冷房効率が悪いと判断される。このように、冷房効率が悪い場合には、空気調和機１６の効率的な運転が行われる。
【０３３１】
現在の空気調和機１６の冷房効率が悪い（冷房能力Ｅｃが２ｋＷ以上）と判断された場合（ステップＳ９８１で、「Ｙ」）、空気調和機１６の効率的な運転を行わせるに先立ち、次のステップＳ９８２が実施される。他方、現在の空気調和機１６の冷房効率が悪くない（冷房能力Ｅｃが２ｋＷ未満）と判断された場合（ステップＳ９８１で、「Ｎ」）、既に、空気調和機１６の効率的な運転が行われている。このため、現在の空気調和機１６の運転状態（設定温度、及び、設定風量）、及びファン１０Ｂの風量が維持されたまま、効率運転ステップＳ８２４及び冷房ステップＳ３３５（図２７に示す）の一連の処理が終了する。
【０３３２】
次に、効率冷房運転ステップＳ９６４では、空気調和機１６の設定温度が、目標温度（例えば、２８℃）未満であるか否かが判断される（ステップＳ９８２）。空気調和機１６の設定温度が、目標温度未満である場合（ステップＳ９８２で、「Ｙ」）、設定温度をやや大きくしても、各居室４Ａ、４Ｂ、４Ｃ又は４Ｄを目標温度に冷房することができる。このような場合、ダンパー２０ａ〜２０ｄの開度が維持されたまま（ステップＳ９８３）、ファン１０Ｂ（１階ファン１０Ｂａ及び２階ファン１０Ｂｂ）の風量が第３風量（例えば、４００m3／ｈ）に設定され（ステップＳ９８４）、さらに、空気調和機１６の設定温度が高く調節される（ステップＳ９８５）。なお、空気調和機１６の設定温度の増加分は、適宜設定される。本実施形態の増加分は、例えば、＋１℃に設定される。
【０３３３】
さらに、空気調和機１６の設定風量は、上記式（１）で定義される設定風量Ｆｗに基づいて、第３空調風量（例えば、６２５m3／ｈ）に設定される（ステップＳ９８６）。これにより、効率運転ステップＳ８２４では、空気調和機１６の設定温度を高くしても、各居室４Ａ乃至４Ｄが効率よく冷房されるため、冷房効率を高めることができる。
【０３３４】
空気調和機１６の設定温度が、目標温度以上である場合（ステップＳ９８２で、「Ｎ」）である場合、設定温度をこれ以上高くすると、各居室４Ａ、４Ｂ、４Ｃ又は４Ｄを目標温度に維持できないおそれがある。このため、ダンパー２０ａ〜２０ｄの開度が維持されるとともに（ステップＳ９８７）、ファン１０Ｂ（１階ファン１０Ｂａ及び２階ファン１０Ｂｂ）の風量が第４風量（例えば１００m3／ｈ）に設定され（ステップＳ９８８）、さらに、空気調和機１６の設定温度が維持される（ステップＳ９８９）。
【０３３５】
さらに、空気調和機１６の設定風量は、上記式（１）で定義される設定風量Ｆｗに基づいて、静音風量（例えば、３２５m3／ｈ）に設定される（ステップＳ９９０）。これにより、効率運転ステップＳ８２４では、空気調和機１６の冷房効率の悪化を防ぎつつ、各居室４Ａ乃至４Ｄが効率よく冷房されうる。
【０３３６】
次に、効率冷房運転ステップＳ９６４では、ステップＳ９８３〜ステップＳ９９０で設定された空気調和機１６の設定温度、設定風量、及び、ファン１０Ｂの風量が維持された状態で、空気調和機１６及びファン１０Ｂの運転が残置される（ステップＳ９９１）。これにより、空気調和機１６の冷房効率の悪化を防ぎつつ、各居室４Ａ乃至４Ｄが効率よく冷房されうる。
【０３３７】
なお、残置される時間については、適宜設定されうる。本実施形態では、効率冷房運転ステップＳ９６４で設定された空気調和機１６の設定温度、設定風量、及び、ファン１０Ｂの風量により、各居室４Ａ乃至４Ｄを効率よく冷房させることを考慮して、例えば、５分程度に設定されるのが望ましい。
【０３３８】
図３９に示されるように、除湿運転ステップＳ９６３及び効率冷房運転ステップＳ９６４処理終了後、効率運転ステップＳ８２４及び冷房ステップＳ３３５（図２６に示す）の一連の処理が終了する。
【０３３９】
次に、図２６に示されるように、冷房モードＳ３３では、冷房モードＳ３３が開始されてから予め定められた終了時間が経過したか否かが判断される（ステップＳ３３６）。ステップＳ３３６では、作業用メモリ３５に入力された冷房モードＳ３３の開始時間、及び、終了時間に基づいて、演算部３３が判断している。終了時間については、適宜設定されうる。本実施形態では、冷房モードＳ３３で設定された空気調和機１６の設定温度、設定風量、及び、ファン１０Ｂの風量により、各居室４Ａ乃至４Ｄが効果的に冷房されることを考慮して、例えば、例えば、３０分程度に設定されるのが望ましい。
【０３４０】
終了時間が経過したと判断された場合（ステップＳ３３６で、「Ｙ」）、冷房モードＳ３３の一連の処理が終了する。他方、終了時間が経過していないと判断された場合（ステップＳ３３６で、「Ｎ」）、ステップＳ３３０〜ステップＳ３３６が再度実施される。これにより、冷房モードＳ３３では、時々刻々と変化する各居室４Ａ、４Ｂ、４Ｃ又は４Ｄの温度に基づいて、ダンパー２０の開度、空気調和機１６の設定温度、設定風量、及び、ファン１０Ｂの風量が調節されるため、各居室４Ａ乃至４Ｄが効果的に冷房されうる。
【０３４１】
次に、パッシブ冷房モードＳ３４（図２５に示す）では、床下空気１７が各居室４Ａ乃至４Ｄに供給されることにより、居室４Ａ乃至４Ｄが換気されながら空調される。図４２は、パッシブ冷房モードＳ３４の処理手順の一例を示すフローチャートである。パッシブ冷房モードＳ３４の一連の処理は、演算部３３（図３に示す）がパッシブ冷房部４１ｉ（図４に示す）を実行することによって行われる。
【０３４２】
パッシブ冷房モードＳ３４では、先ず、図１及び図３に示されるように、各居室４Ａ乃至４Ｄの温度が検知される（ステップＳ３４１）。次に、パッシブ冷房モードＳ３４では、外気の温度が検知される（ステップＳ３４２）。次に、パッシブ冷房モードＳ３４では、床下空気１７の温度が検知される（ステップＳ３４３）。各居室４Ａ乃至４Ｄの温度、外気の温度、並びに、床下空気１７の温度は、制御手段２６に伝達される。
【０３４３】
次に、パッシブ冷房モードＳ３４では、各居室４Ａ乃至４Ｄの温度が、空気調和機１６による冷房運転が必要とされる温度よりも低いか否かが判断される（ステップＳ３４４）。なお、「空気調和機１６による冷房運転が必要とされる温度」については、例えば、建築物Ｂの構造や、床下空気１７による冷房能力（温度）等に応じて、適宜設定されうる。本実施形態では、例えば、３１℃程度に設定されている。
【０３４４】
各居室４Ａ乃至４Ｄの温度が、空気調和機１６による冷房運転が必要とされる温度（例えば、３１℃）よりも低い場合（ステップＳ３４４で、「Ｙ」）、床下空気１７を利用して冷房（空調）可能と判断されうる。このような場合、次のステップＳ３４５が実施される。他方、各居室４Ａ乃至４Ｄの温度が、空気調和機１６による冷房運転が必要とされる温度（例えば、３１℃）以上である場合（ステップＳ３４４で、「Ｎ」）、床下空気１７を利用しても、各居室４Ａ乃至４Ｄを効果的に冷房できないと判断されうる。このような場合、パッシブ冷房モードＳ３４が中断され、前記冷房モードＳ３３（図２５及び図２６に示す）が実施される。
【０３４５】
次に、パッシブ冷房モードＳ３４では、外気の温度が、予め定められた温度未満であるか否かが判断される（ステップＳ３４５）。外気の「予め定められた温度」については、例えば、建築物Ｂの構造や、床下空気１７による冷房能力（温度）等に応じて、適宜設定されうる。本実施形態では、例えば、３０℃に設定されている。
【０３４６】
外気の温度が、予め定められた温度（例えば、３０℃）未満である場合（ステップＳ３４５で、「Ｙ」）、外気による居室４Ａ乃至４Ｄの温度上昇の影響が小さいため、床下空気１７を利用して、各居室４Ａ乃至４Ｄを冷房（空調）できると判断されうる。このような場合、次のステップＳ３４６が実施される。他方、外気の温度が、予め定められた温度（例えば、３０℃）以上である場合（ステップＳ３４５で、「Ｎ」）、床下空気１７を利用しても、外気の影響により各居室４Ａ乃至４Ｄを効果的に冷房できないと判断されうる。このような場合、パッシブ冷房モードＳ３４が中断され、前記冷房モードＳ３３（図２５及び図２６に示す）が実施される。
【０３４７】
次に、パッシブ冷房モードＳ３４では、床下空気１７の温度が、予め定められた温度未満であるか否かが判断される（ステップＳ３４６）。床下空気１７の「予め定められた温度」については、例えば、建築物Ｂの構造等に応じて、適宜設定されうる。本実施形態では、例えば、２２℃に設定されている。
【０３４８】
床下空気１７の温度が、予め定められた温度（例えば、２２℃）未満である場合（ステップＳ３４６で、「Ｙ」）、比較的温度が低い床下空気１７を利用して、各居室４Ａ乃至４Ｄを冷房（空調）できると判断されうる。このような場合、次の第２供給ステップＳ３４７が実施される。他方、床下空気１７の温度が、予め定められた温度（例えば、２２℃）以上である場合（ステップＳ３４６で、「Ｎ」）、床下空気１７を利用しても、各居室４Ａ乃至４Ｄを効果的に冷房できないと判断されうる。このような場合、パッシブ冷房モードＳ３４が中断され、前記冷房モードＳ３３（図２５及び図２６に示す）が実施される。
【０３４９】
次に、パッシブ冷房モードＳ３４では、床下空気１７が、各居室４Ａ乃至４Ｄに供給される（第２供給ステップＳ３４７）。第２供給ステップＳ３４７は、ステップＳ３４４〜ステップＳ３４６の判断により、各居室４Ａ乃至４Ｄの温度が、空気調和機１６による冷房運転が必要とされる温度よりも低く、外気の温度が予め定められた温度未満であり、しかも、床下空気１７の温度が予め定められた温度未満であると判断された場合にのみ実施される。従って、第２供給ステップＳ３４７では、各居室４Ａ乃至４Ｄの温度、外気の温度、及び、床下空気１７の温度が比較的低いため、空気調和機１６を使用しなくても、床下空気１７を利用して、各居室４Ａ乃至４Ｄが効果的に冷房（空調）されうる。従って、空調コストの増大を防ぐことができる。図４３は、第２供給ステップＳ３４７の処理手順の一例を示すフローチャートである。
【０３５０】
図１及び図４３に示されるように、本実施形態の第２供給ステップＳ３４７では、先ず、換気手段１０のファン１０Ｂ（１階ファン１０Ｂａ及び２階ファン１０Ｂｂ）の風量（床下空気１７の総供給量）が設定される（ステップＳ９１１）。本実施形態の１階ファン１０Ｂａ及び２階ファン１０Ｂｂの風量は、例えば、冬季と比べて自然換気量が少ないため、第１風量（例えば、５５０m3／ｈ）が設定されている。これにより、チャンバーボックス９の第１空間９Ａの空気は、排気口１４からダクト１０Ａ、空気浄化装置１０Ｃを経由して清浄化された後、ダンパー２０（２０ａ〜２０ｄ）を介して、各居室４Ａ乃至４Ｄ等の床上空間４に供給される。
【０３５１】
次に、図４３に示されるように、第２供給ステップＳ３４７では、各居室４Ａ乃至４Ｄの温度と予め定められた目標温度との差Ｖｂが求められる（ステップＳ９１２）。本実施形態の目標温度は、屋内熱中症を未然に防ぐ観点より、例えば、２８℃に設定されるのが望ましい。また、目標温度は、居室４Ａ乃至４Ｄ毎に設定されてもよい。目標温度は、記憶部３４に予め記憶されている。
【０３５２】
差Ｖｂは、居室４Ａ乃至４Ｄ毎に求められる。本実施形態の差Ｖｂは、冷房モードＳ３３の値Ｗ５と同様に、各居室４Ａ乃至４Ｄの温度から目標温度を差し引いた値として求められる。この値（差Ｖｂ）が小さいほど、各居室４Ａ乃至４Ｄの温度が小さいことを示している。
【０３５３】
次に、第２供給ステップＳ３４７では、各居室４Ａ乃至４Ｄの前記差Ｖｂに基づいて、各居室４Ａ乃至４Ｄのダンパー２０（２０ａ〜２０ｄ）の開度が調節される（ステップＳ９１３〜ステップＳ９１９）。本実施形態では、前記差Ｖｂが大きいほど、ダンパー２０の開度（床下空気１７の供給量）が大に設定されている。これにより、温度が高い居室４Ａ乃至４Ｄほど、より多くの冷たい床下空気１７が供給されるため、各居室４Ａ乃至４Ｄが効率よく冷房されうる。
【０３５４】
例えば、前記差Ｖｂが−１．５℃未満である居室４Ａ、４Ｂ、４Ｃ又は４Ｄのダンパーは、最も小さい第１開度に設定される（ステップＳ９１４）。前記差Ｖｂが−１．５℃（以上）〜−０．５℃（未満）である居室４Ａ、４Ｂ、４Ｃ又は４Ｄのダンパー２０は、第１開度よりも大きい第２開度に設定される（ステップＳ９１５）。前記差Ｖｂが−０．５℃（以上）〜＋０．５℃（未満）である居室４Ａ、４Ｂ、４Ｃ又は４Ｄのダンパー２０は、第２開度よりも大きい第３開度に設定される（ステップＳ９１６）。
【０３５５】
さらに、前記差Ｖｂが＋０．５℃（以上）〜＋１．５℃（以下）である居室４Ａ、４Ｂ、４Ｃ又は４Ｄのダンパー２０（２０ａ〜２０ｄ）は、第３開度よりも大きい第４開度に設定される（ステップＳ９１７）。前記差Ｖｂが＋１．５℃よりも大きい居室４Ａ、４Ｂ、４Ｃ又は４Ｄのダンパー２０は、第４開度よりも大きい第５開度に設定される（ステップＳ９１８）。
【０３５６】
そして、全ての居室４Ａ乃至４Ｄのダンパー２０（２０ａ〜２０ｄ）の開度が調節されたか否かが判断される（ステップＳ９１９）。全ての居室４Ａ乃至４Ｄのダンパー２０の開度が調節されたと判断された場合、次のステップＳ３４８（図４２に示す）が実施される。他方、全ての居室４Ａ乃至４Ｄのダンパー２０の開度が調節されていないと判断された場合、開度が調節されていない居室４Ａ乃至４Ｄのダンパー２０が選択され（ステップＳ９２０）、ステップＳ９１３〜ステップＳ９１９が再度実施される。これにより、前記差Ｖｂに基づいて、全ての居室４Ａ乃至４Ｄのダンパー２０の開度が調節されうる。従って、各居室４Ａ乃至４Ｄへの床下空気１７の供給量が、個別に調節されうる。
【０３５７】
なお、前記差Ｖｂの閾値（本実施形態では、「＋１．５℃」、「＋０．５℃」、「−０．５℃」、「−１．５℃」）については、例えば、換気手段１０のファン１０Ｂ（１階ファン１０Ｂａ及び２階ファン１０Ｂｂ）の風量に応じて、適宜変更することができる。
【０３５８】
次に、図４２に示されるように、パッシブ冷房モードＳ３４では、第２供給ステップＳ３４７の開始から予め定められた時間が経過するまで、各居室４Ａ乃至４Ｄへの床下空気１７の供給が残置される（ステップＳ３４８）。このような残置により、第２供給ステップＳ３４７で設定された各居室４Ａ乃至４Ｄのダンパー２０（２０ａ〜２０ｄ）の開度に基づいて、床下空気１７が一定時間供給されるため、各居室４Ａ乃至４Ｄが効果的に冷房されうる。残置される時間については、適宜設定されうる。本実施形態では、例えば、２０分〜３０分程度に設定されている。
【０３５９】
次に、パッシブ冷房モードＳ３４では、各居室４Ａ乃至４Ｄの温度が、予め定められた温度未満であるか否かが判断される（ステップＳ３４９）。各居室４Ａ乃至４Ｄの「予め定められた温度」については、適宜設定されうる。本実施形態の温度は、第２供給ステップＳ３４７で設定された目標温度に基づいて、例えば２８℃に設定されている。
【０３６０】
各居室４Ａ乃至４Ｄの温度（２８℃）が前記温度（２８℃）未満である場合（ステップＳ３４９で、「Ｙ」）、床下空気１７を利用して、効果的に冷房されていると判断されうる。このような場合、次のステップＳ３５０が実施される。他方、各居室４Ａ乃至４Ｄの温度が前記温度以上（即ち、少なくとも一つの居室４Ａ乃至４Ｄの温度が前記温度以上）である場合（ステップＳ３４９で、「Ｎ」）、床下空気１７を利用しても、各居室４Ａ乃至４Ｄを効果的に冷房できないと判断されうる。この場合、パッシブ冷房モードＳ３４が中断され、前記冷房モードＳ３３（図２５及び図２６に示す）が実施される。このように、本実施形態では、各居室４Ａ乃至４Ｄに床下空気１７が一定時間供給されても、各居室４Ａ乃至４Ｄが十分に冷房されないと判断された場合に、パッシブ冷房モードＳ３４が中断され、冷房モードＳ３３が迅速に実施される。従って、各居室４Ａ乃至４Ｄが確実に冷房されうる。
【０３６１】
次に、パッシブ冷房モードＳ３４では、ステップＳ３４１〜ステップＳ３４９を経た現在において、第２期間（夏季パッシブ期間）か否かが判断される（ステップＳ３５０）。現在が第２期間であると判断された場合（ステップＳ３５０で、「Ｙ」）、ステップＳ３４１〜Ｓ３５０が再度実施される。これにより、第２期間（夏季パッシブ期間）では、空気調和機１６を使用しなくても、自然エネルギーのみを利用して、各居室４Ａ乃至４Ｄが効果的に冷房（空調）されうるため、空調コストの増大が防がれうる。他方、現在が第２期間（夏季パッシブ期間）外であると判断された場合（ステップＳ３５０で、「Ｎ」）、パッシブ冷房モードＳ３４の一連の処理が終了する。
【０３６２】
図２５に示した換気モードＳ３２、冷房モードＳ３３、及び、パッシブ冷房モードＳ３４を含む夏季空調ステップＳ３の一連の処理が終了することにより、次のステップＳ４（図５に示す）が実施される。これにより、夏季空調ステップＳ３では、現在が属する期間に応じて、各居室４Ａ乃至４Ｄが、効率よく冷房（空調）されうる。
【０３６３】
次に、本実施形態の空調方法では、図５に示されるように、冬季空調ステップＳ２又は夏季空調ステップＳ３が実施された後に、空調方法の終了命令の有無が判断される（ステップＳ４）。終了命令は、例えば、制御手段２６を介して、居住者等によって行われる。ステップＳ４では、終了命令がある場合、本実施形態の一連の処理が終了する。他方、終了命令がない場合は、ステップＳ１〜ステップＳ４が再度実施される。
【０３６４】
このように、本実施形態の空調方法では、暖房モードＳ２３（図７に示す）及び冷房モードＳ３３（図２６に示す）が含まれるため、空気調和機１６を利用して、各居室４Ａ乃至４Ｄが、一年を通して快適に空調されうる。さらに、暖房モードＳ２３及び冷房モードＳ３３では、各居室４Ａ乃至４Ｄの温度と目標温度との温度差に基づいて、暖空気又は冷空気の供給量が個別に調節されうるため、各居室４Ａ乃至４Ｄが効率よく冷暖房されうる。また、本実施形態の空調方法では、パッシブ暖房モードＳ２４（図２３に示す）と、パッシブ冷房モードＳ３４（図４２に示す）とが含まれるため、床下空気を利用して、各居室４Ａ乃至４Ｄが効率よく冷暖房されうる。
【０３６５】
また、上述したように、パッシブ暖房モードＳ２４での床下空気１７の総供給量（本実施形態では、第２風量（２５０m3／ｈ））は、パッシブ冷房モードＳ３４での床下空気１７の総供給量（本実施形態では、第１風量（５５０m3／ｈ））よりも小さい。これは、夏季の自然換気量に比べて大きくなる冬季の自然換気量を考慮したものである。これにより、冬季において、各居室４Ａ乃至４Ｄが、過乾燥になるのを抑制しうる。
【０３６６】
以上、第１発明乃至第４発明の特に好ましい実施形態について詳述したが、第１発明乃至第４発明は図示の実施形態に限定されることなく、種々の態様に変形して実施しうる。
【符号の説明】
【０３６７】
４        居室
１０Ｂ      ファン
１６        空気調和機
Ａ１、Ａ２  居室エリア
【図１】
0006533459.tif 000002
【図２】
0006533459.tif 000003
【図３】
0006533459.tif 000004
【図４】
0006533459.tif 000005
【図５】
0006533459.tif 000006
【図６】
0006533459.tif 000007
【図７】
0006533459.tif 000008
【図８】
0006533459.tif 000009
【図９】
0006533459.tif 000010
【図１０】
0006533459.tif 000011
【図１１】
0006533459.tif 000012
【図１２】
0006533459.tif 000013
【図１３】
0006533459.tif 000014
【図１４】
0006533459.tif 000015
【図１５】
0006533459.tif 000016
【図１６】
0006533459.tif 000017
【図１７】
0006533459.tif 000018
【図１８】
0006533459.tif 000019
【図１９】
0006533459.tif 000020
【図２０】
0006533459.tif 000021
【図２１】
0006533459.tif 000022
【図２２】
0006533459.tif 000023
【図２３】
0006533459.tif 000024
【図２４】
0006533459.tif 000025
【図２５】
0006533459.tif 000026
【図２６】
0006533459.tif 000027
【図２７】
0006533459.tif 000028
【図２８】
0006533459.tif 000029
【図２９】
0006533459.tif 000030
【図３０】
0006533459.tif 000031
【図３１】
0006533459.tif 000032
【図３２】
0006533459.tif 000033
【図３３】
0006533459.tif 000034
【図３４】
0006533459.tif 000035
【図３５】
0006533459.tif 000036
【図３６】
0006533459.tif 000037
【図３７】
0006533459.tif 000038
【図３８】
0006533459.tif 000039
【図３９】
0006533459.tif 000040
【図４０】
0006533459.tif 000041
【図４１】
0006533459.tif 000042
【図４２】
0006533459.tif 000043
【図４３】
0006533459.tif 000044